(57)【特許請求の範囲】
【請求項１】
DMRSを運ぶために使用される時間−周波数リソースを判定するステップであって、
前記DMRSは少なくとも1つのリソースユニットで運ばれ、システムがサポートするDMRSポートの総数が6であり、前記6つのDMRSポートが3つのDMRSポートグループに分割され、各DMRSポートグループが2つのDMRSポートを含み、前記3つのDMRSポートグループが第1のDMRSポートグループ、第2のDMRSポートグループ、および第3のDMRSポートグループを含み、同じ時間−周波数リソースが各DMRSポートグループにおける前記DMRSポートのためにCDM方式で多重化される場合、各リソースユニットにおいて、前記第1のDMRSポートグループがマッピングされる時間−周波数リソースが、時間領域における第1のシンボルにあるサブキャリア12n、サブキャリア12n＋1、サブキャリア12n＋6、およびサブキャリア12n＋7を含み、前記第2のDMRSポートグループがマッピングされる時間−周波数リソースが、時間領域における前記第1のシンボルにあるサブキャリア12n＋2、サブキャリア12n＋3、サブキャリア12n＋8、およびサブキャリア12n＋9を含み、前記第3のDMRSポートグループがマッピングされる時間−周波数リソースが、時間領域における前記第1のシンボルにあるサブキャリア12n＋4、サブキャリア12n＋5、サブキャリア12n＋10、およびサブキャリア12n＋11を含み、nは0以上かつ
【数１】
0006943974.tif 000069
未満である任意の1つ以上の整数であり、Mは周波数領域における各リソースユニットのサブキャリアの数であり、Mは1以上の整数である、または
前記DMRSは少なくとも1つのリソースユニットで運ばれ、システムがサポートするDMRSポートの総数が6であり、前記6つのDMRSポートが3つのDMRSポートグループに分割され、各DMRSポートグループが2つのDMRSポートを含み、前記3つのDMRSポートグループが第1のDMRSポートグループ、第2のDMRSポートグループ、および第3のDMRSポートグループを含み、同じ時間−周波数リソースが各DMRSポートグループにおける前記DMRSポートのためにCDM方式で多重化される場合、各リソースユニットにおいて、前記第1のDMRSポートグループがマッピングされる時間−周波数リソースが、時間領域における第1のシンボルおよび第2のシンボルにあるサブキャリア12n、サブキャリア12n＋1、サブキャリア12n＋6、およびサブキャリア12n＋7を含み、前記第2のDMRSポートグループがマッピングされる時間−周波数リソースが、時間領域における前記第1のシンボルおよび前記第2のシンボルにあるサブキャリア12n＋2、サブキャリア12n＋3、サブキャリア12n＋8、およびサブキャリア12n＋9を含み、前記第3のDMRSポートグループがマッピングされる時間−周波数リソースが、時間領域における前記第1のシンボルおよび前記第2のシンボルにあるサブキャリア12n＋4、サブキャリア12n＋5、サブキャリア12n＋10、およびサブキャリア12n＋11を含み、nは0以上かつ
【数２】
0006943974.tif 000070
未満である任意の1つ以上の整数であり、Mは周波数領域における各リソースユニットのサブキャリアの数であり、Mは1以上の整数である、
ステップと、
前記時間−周波数リソースを使用することによって前記DMRSを送信するステップと、
を含む、復調参照信号DMRSを送信するための方法。
【請求項２】
DMRSを運ぶために使用される時間−周波数リソースを判定するステップであって、
前記DMRSは少なくとも1つのリソースユニットで運ばれ、システムがサポートするDMRSポートの総数が6であり、前記6つのDMRSポートが3つのDMRSポートグループに分割され、各DMRSポートグループが2つのDMRSポートを含み、前記3つのDMRSポートグループが第1のDMRSポートグループ、第2のDMRSポートグループ、および第3のDMRSポートグループを含み、同じ時間−周波数リソースが各DMRSポートグループにおける前記DMRSポートのためにCDM方式で多重化される場合、各リソースユニットにおいて、前記第1のDMRSポートグループがマッピングされる時間−周波数リソースが、時間領域における第1のシンボルにあるサブキャリア12n、サブキャリア12n＋1、サブキャリア12n＋6、およびサブキャリア12n＋7を含み、前記第2のDMRSポートグループがマッピングされる時間−周波数リソースが、時間領域における前記第1のシンボルにあるサブキャリア12n＋2、サブキャリア12n＋3、サブキャリア12n＋8、およびサブキャリア12n＋9を含み、前記第3のDMRSポートグループがマッピングされる時間−周波数リソースが、時間領域における前記第1のシンボルにあるサブキャリア12n＋4、サブキャリア12n＋5、サブキャリア12n＋10、およびサブキャリア12n＋11を含み、nは0以上かつ
【数３】
0006943974.tif 000071
未満である任意の1つ以上の整数であり、Mは周波数領域における各リソースユニットのサブキャリアの数であり、Mは1以上の整数である、または
前記DMRSは少なくとも1つのリソースユニットで運ばれ、システムがサポートするDMRSポートの総数が6であり、前記6つのDMRSポートが3つのDMRSポートグループに分割され、各DMRSポートグループが2つのDMRSポートを含み、前記3つのDMRSポートグループが第1のDMRSポートグループ、第2のDMRSポートグループ、および第3のDMRSポートグループを含み、同じ時間−周波数リソースが各DMRSポートグループにおける前記DMRSポートのためにCDM方式で多重化される場合、各リソースユニットにおいて、前記第1のDMRSポートグループがマッピングされる時間−周波数リソースが、時間領域における第1のシンボルおよび第2のシンボルにあるサブキャリア12n、サブキャリア12n＋1、サブキャリア12n＋6、およびサブキャリア12n＋7を含み、前記第2のDMRSポートグループがマッピングされる時間−周波数リソースが、時間領域における前記第1のシンボルおよび前記第2のシンボルにあるサブキャリア12n＋2、サブキャリア12n＋3、サブキャリア12n＋8、およびサブキャリア12n＋9を含み、前記第3のDMRSポートグループがマッピングされる時間−周波数リソースが、時間領域における前記第1のシンボルおよび前記第2のシンボルにあるサブキャリア12n＋4、サブキャリア12n＋5、サブキャリア12n＋10、およびサブキャリア12n＋11を含み、nは0以上かつ
【数４】
0006943974.tif 000072
未満である任意の1つ以上の整数であり、Mは周波数領域における各リソースユニットのサブキャリアの数であり、Mは1以上の整数である、
ステップと、
前記時間−周波数リソースを使用することによって前記DMRSを取得するステップと、
を含む、復調参照信号DMRSを取得するための方法。
【請求項３】
指示情報を生成するステップであって、前記指示情報が復調参照信号DMRSを運ぶために使用される時間−周波数リソースを指示するために使用され、
前記DMRSは少なくとも1つのリソースユニットで運ばれ、システムがサポートするDMRSポートの総数が6であり、前記6つのDMRSポートが3つのDMRSポートグループに分割され、各DMRSポートグループが2つのDMRSポートを含み、前記3つのDMRSポートグループが第1のDMRSポートグループ、第2のDMRSポートグループ、および第3のDMRSポートグループを含み、同じ時間−周波数リソースが各DMRSポートグループにおける前記DMRSポートのためにCDM方式で多重化される場合、各リソースユニットにおいて、前記第1のDMRSポートグループがマッピングされる時間−周波数リソースが、時間領域における第1のシンボルにあるサブキャリア12n、サブキャリア12n＋1、サブキャリア12n＋6、およびサブキャリア12n＋7を含み、前記第2のDMRSポートグループがマッピングされる時間−周波数リソースが、時間領域における前記第1のシンボルにあるサブキャリア12n＋2、サブキャリア12n＋3、サブキャリア12n＋8、およびサブキャリア12n＋9を含み、前記第3のDMRSポートグループがマッピングされる時間−周波数リソースが、時間領域における前記第1のシンボルにあるサブキャリア12n＋4、サブキャリア12n＋5、サブキャリア12n＋10、およびサブキャリア12n＋11を含み、nは0以上かつ
【数５】
0006943974.tif 000073
未満である任意の1つ以上の整数であり、Mは周波数領域における各リソースユニットのサブキャリアの数であり、Mは1以上の整数である、または
前記DMRSは少なくとも1つのリソースユニットで運ばれ、システムがサポートするDMRSポートの総数が6であり、前記6つのDMRSポートが3つのDMRSポートグループに分割され、各DMRSポートグループが2つのDMRSポートを含み、前記3つのDMRSポートグループが第1のDMRSポートグループ、第2のDMRSポートグループ、および第3のDMRSポートグループを含み、同じ時間−周波数リソースが各DMRSポートグループにおける前記DMRSポートのためにCDM方式で多重化される場合、各リソースユニットにおいて、前記第1のDMRSポートグループがマッピングされる時間−周波数リソースが、時間領域における第1のシンボルおよび第2のシンボルにあるサブキャリア12n、サブキャリア12n＋1、サブキャリア12n＋6、およびサブキャリア12n＋7を含み、前記第2のDMRSポートグループがマッピングされる時間−周波数リソースが、時間領域における前記第1のシンボルおよび前記第2のシンボルにあるサブキャリア12n＋2、サブキャリア12n＋3、サブキャリア12n＋8、およびサブキャリア12n＋9を含み、前記第3のDMRSポートグループがマッピングされる時間−周波数リソースが、時間領域における前記第1のシンボルおよび前記第2のシンボルにあるサブキャリア12n＋4、サブキャリア12n＋5、サブキャリア12n＋10、およびサブキャリア12n＋11を含み、nは0以上かつ
【数６】
0006943974.tif 000074
未満である任意の1つ以上の整数であり、Mは周波数領域における各リソースユニットのサブキャリアの数であり、Mは1以上の整数である、
ステップと、
前記指示情報を送信するステップと、
を含む、指示方法。
【請求項４】
指示情報を受信するステップであって、前記指示情報が復調参照信号DMRSを運ぶために使用される時間−周波数リソースを指示するために使用され、
前記DMRSは少なくとも1つのリソースユニットで運ばれ、システムがサポートするDMRSポートの総数が6であり、前記6つのDMRSポートが3つのDMRSポートグループに分割され、各DMRSポートグループが2つのDMRSポートを含み、前記3つのDMRSポートグループが第1のDMRSポートグループ、第2のDMRSポートグループ、および第3のDMRSポートグループを含み、同じ時間−周波数リソースが各DMRSポートグループにおける前記DMRSポートのためにCDM方式で多重化される場合、各リソースユニットにおいて、前記第1のDMRSポートグループがマッピングされる時間−周波数リソースが、時間領域における第1のシンボルにあるサブキャリア12n、サブキャリア12n＋1、サブキャリア12n＋6、およびサブキャリア12n＋7を含み、前記第2のDMRSポートグループがマッピングされる時間−周波数リソースが、時間領域における前記第1のシンボルにあるサブキャリア12n＋2、サブキャリア12n＋3、サブキャリア12n＋8、およびサブキャリア12n＋9を含み、前記第3のDMRSポートグループがマッピングされる時間−周波数リソースが、時間領域における前記第1のシンボルにあるサブキャリア12n＋4、サブキャリア12n＋5、サブキャリア12n＋10、およびサブキャリア12n＋11を含み、nは0以上かつ
【数７】
0006943974.tif 000075
未満である任意の1つ以上の整数であり、Mは周波数領域における各リソースユニットのサブキャリアの数であり、Mは1以上の整数である、または
前記DMRSは少なくとも1つのリソースユニットで運ばれ、システムがサポートするDMRSポートの総数が6であり、前記6つのDMRSポートが3つのDMRSポートグループに分割され、各DMRSポートグループが2つのDMRSポートを含み、前記3つのDMRSポートグループが第1のDMRSポートグループ、第2のDMRSポートグループ、および第3のDMRSポートグループを含み、同じ時間−周波数リソースが各DMRSポートグループにおける前記DMRSポートのためにCDM方式で多重化される場合、各リソースユニットにおいて、前記第1のDMRSポートグループがマッピングされる時間−周波数リソースが、時間領域における第1のシンボルおよび第2のシンボルにあるサブキャリア12n、サブキャリア12n＋1、サブキャリア12n＋6、およびサブキャリア12n＋7を含み、前記第2のDMRSポートグループがマッピングされる時間−周波数リソースが、時間領域における前記第1のシンボルおよび前記第2のシンボルにあるサブキャリア12n＋2、サブキャリア12n＋3、サブキャリア12n＋8、およびサブキャリア12n＋9を含み、前記第3のDMRSポートグループがマッピングされる時間−周波数リソースが、時間領域における前記第1のシンボルおよび前記第2のシンボルにあるサブキャリア12n＋4、サブキャリア12n＋5、サブキャリア12n＋10、およびサブキャリア12n＋11を含み、nは0以上かつ
【数８】
0006943974.tif 000076
未満である任意の1つ以上の整数であり、Mは周波数領域における各リソースユニットのサブキャリアの数であり、Mは1以上の整数である、
ステップと、
前記指示情報に基づいて前記時間−周波数リソースを判定するステップと、
を含む、時間−周波数リソースを判定するための方法。
【請求項５】
DMRSを運ぶために使用される時間−周波数リソースを判定するように構成される判定ユニットであって、
前記DMRSは少なくとも1つのリソースユニットで運ばれ、システムがサポートするDMRSポートの総数が6であり、前記6つのDMRSポートが3つのDMRSポートグループに分割され、各DMRSポートグループが2つのDMRSポートを含み、前記3つのDMRSポートグループが第1のDMRSポートグループ、第2のDMRSポートグループ、および第3のDMRSポートグループを含み、同じ時間−周波数リソースが各DMRSポートグループにおける前記DMRSポートのためにCDM方式で多重化される場合、各リソースユニットにおいて、前記第1のDMRSポートグループがマッピングされる時間−周波数リソースが、時間領域における第1のシンボルにあるサブキャリア12n、サブキャリア12n＋1、サブキャリア12n＋6、およびサブキャリア12n＋7を含み、前記第2のDMRSポートグループがマッピングされる時間−周波数リソースが、時間領域における前記第1のシンボルにあるサブキャリア12n＋2、サブキャリア12n＋3、サブキャリア12n＋8、およびサブキャリア12n＋9を含み、前記第3のDMRSポートグループがマッピングされる時間−周波数リソースが、時間領域における前記第1のシンボルにあるサブキャリア12n＋4、サブキャリア12n＋5、サブキャリア12n＋10、およびサブキャリア12n＋11を含み、nは0以上かつ
【数９】
0006943974.tif 000077
未満である任意の1つ以上の整数であり、Mは周波数領域における各リソースユニットのサブキャリアの数であり、Mは1以上の整数である、または
前記DMRSは少なくとも1つのリソースユニットで運ばれ、システムがサポートするDMRSポートの総数が6であり、前記6つのDMRSポートが3つのDMRSポートグループに分割され、各DMRSポートグループが2つのDMRSポートを含み、前記3つのDMRSポートグループが第1のDMRSポートグループ、第2のDMRSポートグループ、および第3のDMRSポートグループを含み、同じ時間−周波数リソースが各DMRSポートグループにおける前記DMRSポートのためにCDM方式で多重化される場合、各リソースユニットにおいて、前記第1のDMRSポートグループがマッピングされる時間−周波数リソースが、時間領域における第1のシンボルおよび第2のシンボルにあるサブキャリア12n、サブキャリア12n＋1、サブキャリア12n＋6、およびサブキャリア12n＋7を含み、前記第2のDMRSポートグループがマッピングされる時間−周波数リソースが、時間領域における前記第1のシンボルおよび前記第2のシンボルにあるサブキャリア12n＋2、サブキャリア12n＋3、サブキャリア12n＋8、およびサブキャリア12n＋9を含み、前記第3のDMRSポートグループがマッピングされる時間−周波数リソースが、時間領域における前記第1のシンボルおよび前記第2のシンボルにあるサブキャリア12n＋4、サブキャリア12n＋5、サブキャリア12n＋10、およびサブキャリア12n＋11を含み、nは0以上かつ
【数１０】
0006943974.tif 000078
未満である任意の1つ以上の整数であり、Mは周波数領域における各リソースユニットのサブキャリアの数であり、Mは1以上の整数である、
判定ユニットと、
前記時間−周波数リソースを使用することによって前記DMRSを送信するように構成される送信ユニットと、
を備える、復調参照信号DMRSを送信するための装置。
【請求項６】
DMRSを運ぶために使用される時間−周波数リソースを判定するように構成される判定ユニットであって、
前記DMRSは少なくとも1つのリソースユニットで運ばれ、システムがサポートするDMRSポートの総数が6であり、前記6つのDMRSポートが3つのDMRSポートグループに分割され、各DMRSポートグループが2つのDMRSポートを含み、前記3つのDMRSポートグループが第1のDMRSポートグループ、第2のDMRSポートグループ、および第3のDMRSポートグループを含み、同じ時間−周波数リソースが各DMRSポートグループにおける前記DMRSポートのためにCDM方式で多重化される場合、各リソースユニットにおいて、前記第1のDMRSポートグループがマッピングされる時間−周波数リソースが、時間領域における第1のシンボルにあるサブキャリア12n、サブキャリア12n＋1、サブキャリア12n＋6、およびサブキャリア12n＋7を含み、前記第2のDMRSポートグループがマッピングされる時間−周波数リソースが、時間領域における前記第1のシンボルにあるサブキャリア12n＋2、サブキャリア12n＋3、サブキャリア12n＋8、およびサブキャリア12n＋9を含み、前記第3のDMRSポートグループがマッピングされる時間−周波数リソースが、時間領域における前記第1のシンボルにあるサブキャリア12n＋4、サブキャリア12n＋5、サブキャリア12n＋10、およびサブキャリア12n＋11を含み、nは0以上かつ
【数１１】
0006943974.tif 000079
未満である任意の1つ以上の整数であり、Mは周波数領域における各リソースユニットのサブキャリアの数であり、Mは1以上の整数である、または
前記DMRSは少なくとも1つのリソースユニットで運ばれ、システムがサポートするDMRSポートの総数が6であり、前記6つのDMRSポートが3つのDMRSポートグループに分割され、各DMRSポートグループが2つのDMRSポートを含み、前記3つのDMRSポートグループが第1のDMRSポートグループ、第2のDMRSポートグループ、および第3のDMRSポートグループを含み、同じ時間−周波数リソースが各DMRSポートグループにおける前記DMRSポートのためにCDM方式で多重化される場合、各リソースユニットにおいて、前記第1のDMRSポートグループがマッピングされる時間−周波数リソースが、時間領域における第1のシンボルおよび第2のシンボルにあるサブキャリア12n、サブキャリア12n＋1、サブキャリア12n＋6、およびサブキャリア12n＋7を含み、前記第2のDMRSポートグループがマッピングされる時間−周波数リソースが、時間領域における前記第1のシンボルおよび前記第2のシンボルにあるサブキャリア12n＋2、サブキャリア12n＋3、サブキャリア12n＋8、およびサブキャリア12n＋9を含み、前記第3のDMRSポートグループがマッピングされる時間−周波数リソースが、時間領域における前記第1のシンボルおよび前記第2のシンボルにあるサブキャリア12n＋4、サブキャリア12n＋5、サブキャリア12n＋10、およびサブキャリア12n＋11を含み、nは0以上かつ
【数１２】
0006943974.tif 000080
未満である任意の1つ以上の整数であり、Mは周波数領域における各リソースユニットのサブキャリアの数であり、Mは1以上の整数である、
判定ユニットと、
前記時間−周波数リソースを使用することによって前記DMRSを取得するように構成される取得ユニットと、
を備える、復調参照信号DMRSを取得するための装置。
【請求項７】
指示情報を生成し、前記指示情報が復調参照信号DMRSを運ぶために使用される時間−周波数リソースを指示するために使用される、ように構成される生成ユニットであって、
前記DMRSは少なくとも1つのリソースユニットで運ばれ、システムがサポートするDMRSポートの総数が6であり、前記6つのDMRSポートが3つのDMRSポートグループに分割され、各DMRSポートグループが2つのDMRSポートを含み、前記3つのDMRSポートグループが第1のDMRSポートグループ、第2のDMRSポートグループ、および第3のDMRSポートグループを含み、同じ時間−周波数リソースが各DMRSポートグループにおける前記DMRSポートのためにCDM方式で多重化される場合、各リソースユニットにおいて、前記第1のDMRSポートグループがマッピングされる時間−周波数リソースが、時間領域における第1のシンボルにあるサブキャリア12n、サブキャリア12n＋1、サブキャリア12n＋6、およびサブキャリア12n＋7を含み、前記第2のDMRSポートグループがマッピングされる時間−周波数リソースが、時間領域における前記第1のシンボルにあるサブキャリア12n＋2、サブキャリア12n＋3、サブキャリア12n＋8、およびサブキャリア12n＋9を含み、前記第3のDMRSポートグループがマッピングされる時間−周波数リソースが、時間領域における前記第1のシンボルにあるサブキャリア12n＋4、サブキャリア12n＋5、サブキャリア12n＋10、およびサブキャリア12n＋11を含み、nは0以上かつ
【数１３】
0006943974.tif 000081
未満である任意の1つ以上の整数であり、Mは周波数領域における各リソースユニットのサブキャリアの数であり、Mは1以上の整数である、または
前記DMRSは少なくとも1つのリソースユニットで運ばれ、システムがサポートするDMRSポートの総数が6であり、前記6つのDMRSポートが3つのDMRSポートグループに分割され、各DMRSポートグループが2つのDMRSポートを含み、前記3つのDMRSポートグループが第1のDMRSポートグループ、第2のDMRSポートグループ、および第3のDMRSポートグループを含み、同じ時間−周波数リソースが各DMRSポートグループにおける前記DMRSポートのためにCDM方式で多重化される場合、各リソースユニットにおいて、前記第1のDMRSポートグループがマッピングされる時間−周波数リソースが、時間領域における第1のシンボルおよび第2のシンボルにあるサブキャリア12n、サブキャリア12n＋1、サブキャリア12n＋6、およびサブキャリア12n＋7を含み、前記第2のDMRSポートグループがマッピングされる時間−周波数リソースが、時間領域における前記第1のシンボルおよび前記第2のシンボルにあるサブキャリア12n＋2、サブキャリア12n＋3、サブキャリア12n＋8、およびサブキャリア12n＋9を含み、前記第3のDMRSポートグループがマッピングされる時間−周波数リソースが、時間領域における前記第1のシンボルおよび前記第2のシンボルにあるサブキャリア12n＋4、サブキャリア12n＋5、サブキャリア12n＋10、およびサブキャリア12n＋11を含み、nは0以上かつ
【数１４】
0006943974.tif 000082
未満である任意の1つ以上の整数であり、Mは周波数領域における各リソースユニットのサブキャリアの数であり、Mは1以上の整数である、
生成ユニットと、
前記指示情報を送信するように構成される送信ユニットと、
を備える、指示装置。
【請求項８】
指示情報を受信し、前記指示情報が復調参照信号DMRSを運ぶために使用される時間−周波数リソースを指示するために使用される、ように構成される受信ユニットであって、
前記DMRSは少なくとも1つのリソースユニットで運ばれ、システムがサポートするDMRSポートの総数が6であり、前記6つのDMRSポートが3つのDMRSポートグループに分割され、各DMRSポートグループが2つのDMRSポートを含み、前記3つのDMRSポートグループが第1のDMRSポートグループ、第2のDMRSポートグループ、および第3のDMRSポートグループを含み、同じ時間−周波数リソースが各DMRSポートグループにおける前記DMRSポートのためにCDM方式で多重化される場合、各リソースユニットにおいて、前記第1のDMRSポートグループがマッピングされる時間−周波数リソースが、時間領域における第1のシンボルにあるサブキャリア12n、サブキャリア12n＋1、サブキャリア12n＋6、およびサブキャリア12n＋7を含み、前記第2のDMRSポートグループがマッピングされる時間−周波数リソースが、時間領域における前記第1のシンボルにあるサブキャリア12n＋2、サブキャリア12n＋3、サブキャリア12n＋8、およびサブキャリア12n＋9を含み、前記第3のDMRSポートグループがマッピングされる時間−周波数リソースが、時間領域における前記第1のシンボルにあるサブキャリア12n＋4、サブキャリア12n＋5、サブキャリア12n＋10、およびサブキャリア12n＋11を含み、nは0以上かつ
【数１５】
0006943974.tif 000083
未満である任意の1つ以上の整数であり、Mは周波数領域における各リソースユニットのサブキャリアの数であり、Mは1以上の整数である、または
前記DMRSは少なくとも1つのリソースユニットで運ばれ、システムがサポートするDMRSポートの総数が6であり、前記6つのDMRSポートが3つのDMRSポートグループに分割され、各DMRSポートグループが2つのDMRSポートを含み、前記3つのDMRSポートグループが第1のDMRSポートグループ、第2のDMRSポートグループ、および第3のDMRSポートグループを含み、同じ時間−周波数リソースが各DMRSポートグループにおける前記DMRSポートのためにCDM方式で多重化される場合、各リソースユニットにおいて、前記第1のDMRSポートグループがマッピングされる時間−周波数リソースが、時間領域における第1のシンボルおよび第2のシンボルにあるサブキャリア12n、サブキャリア12n＋1、サブキャリア12n＋6、およびサブキャリア12n＋7を含み、前記第2のDMRSポートグループがマッピングされる時間−周波数リソースが、時間領域における前記第1のシンボルおよび前記第2のシンボルにあるサブキャリア12n＋2、サブキャリア12n＋3、サブキャリア12n＋8、およびサブキャリア12n＋9を含み、前記第3のDMRSポートグループがマッピングされる時間−周波数リソースが、時間領域における前記第1のシンボルおよび前記第2のシンボルにあるサブキャリア12n＋4、サブキャリア12n＋5、サブキャリア12n＋10、およびサブキャリア12n＋11を含み、nは0以上かつ
【数１６】
0006943974.tif 000084
未満である任意の1つ以上の整数であり、Mは周波数領域における各リソースユニットのサブキャリアの数であり、Mは1以上の整数である、
受信ユニットと、
前記指示情報に基づいて前記時間−周波数リソースを判定するように構成される判定ユニットと、
を備える、時間−周波数リソースを判定するための装置。
【請求項９】
メモリと、
請求項1に記載の方法を実行するように構成されるプロセッサと、
を備える、復調参照信号DMRSを送信するための装置。
【請求項１０】
メモリと、
請求項2に記載の方法を実行するように構成されるプロセッサと、
を備える、復調参照信号DMRSを取得するための装置。
【請求項１１】
メモリと、
請求項3に記載の方法を実行するように構成されるプロセッサと、
を備える、指示装置。
【請求項１２】
メモリと、
請求項4に記載の方法を実行するように構成されるプロセッサと、
を備える、時間−周波数リソースを判定するための装置。
【請求項１３】
コンピュータ記憶媒体であって、前記コンピュータ記憶媒体がコンピュータ命令を格納し、前記コンピュータ命令がコンピュータ上で実行されると、前記コンピュータが請求項1から4のいずれか1項に記載の方法を実行する、コンピュータ記憶媒体。
【請求項１４】
コンピュータプログラムであって、前記コンピュータプログラムがコンピュータ上で実行されると、前記コンピュータが請求項1から4のいずれか1項に記載の方法を実行する、コンピュータプログラム。
【発明の詳細な説明】
【技術分野】
【０００１】
本出願は、2017年4月1日に中国専利局に出願された「METHOD AND APPARATUS FOR TRANSMITTING DMRS」と題する中国特許出願第201710214876．X号の優先権を主張するものであり、参照により、この出願の内容全体を本願明細書に援用する。
【０００２】
本出願の実施形態は、通信技術の分野に関し、詳細には、復調参照信号（demodulation reference signal、DMRS）を送信するための方法および装置に関する。
【背景技術】
【０００３】
既存のロングタームエボリューション（long term evolution、LTE）規格では、シングルユーザ（single user、SU）多入力多出力（multi−input multi−output、MIMO）は最大8層の直交DMRSポートのための多重化をサポートし、DMRSは24個のREを占有する。具体的には、図1に示すように、DMRSポートは周波数領域において各リソースブロック（resource block、RB）ペア（pair）のサブキャリア0、サブキャリア1、サブキャリア5、サブキャリア6、サブキャリア10、およびサブキャリア11にマッピングされ、またDMRSポートは時間領域において各サブフレームのシンボル5、シンボル6、シンボル12、およびシンボル13にマッピングされ得る。
【０００４】
上述の技術的解決策は、new radio（new radio、NR）システムには適用可能ではない。例えば、LTEにおけるDMRSは各サブフレームの中間または後方に配置される。受信側はデータ復調を実行する前にすべてのDMRSを受信する必要がある。そのため、NRにおける高速データ復調の要件を満たすことはできない。
【発明の概要】
【課題を解決するための手段】
【０００５】
本出願は、NRシステムに適用可能なDMRSを送信するための方法および装置を提供する。
【０００６】
第1の態様によれば、本出願は、DMRSを運ぶために使用される時間−周波数リソースを判定するための方法および装置を提供する。
【０００７】
可能な設計では、本方法は、DMRSを運ぶために使用される時間−周波数リソースを判定するステップを含み得る。時間−周波数リソースの関連説明については、以下の説明を参照されたい。
【０００８】
それに対応して、本出願は、DMRSを運ぶために使用される時間−周波数リソースを判定するための装置をさらに提供する。本装置は、DMRSを運ぶために使用される時間−周波数リソースを判定するための方法を実施し得る。例えば、本装置は、チップ（例えば、ベースバンドチップまたは通信チップ）または送信側（例えば、基地局または端末）であり得る。本装置は、ソフトウェアもしくはハードウェアを使用することによって、または対応するソフトウェアを実行することによりハードウェアを使用することによって、上述の方法を実施し得る。
【０００９】
可能な設計では、本装置は、プロセッサとメモリとを備え得る。プロセッサは、DMRSを運ぶために使用される時間−周波数リソースを判定するための上述の方法における対応する機能を実行する際に本装置をサポートするように構成される。メモリは、プロセッサに結合され、本装置に必要なプログラム（命令）およびデータを格納するように構成される。場合により、本装置は、本装置と別のネットワーク要素との間の通信をサポートするように構成される通信インターフェースをさらに備え得る。通信インターフェースは送受信機であり得る。
【００１０】
別の可能な設計では、本装置は、DMRSを運ぶために使用される時間−周波数リソースを判定するように構成される判定ユニットを備え得る。時間−周波数リソースの関連説明については、以下の説明を参照されたい。
【００１１】
第2の態様によれば、本出願は、DMRSを送信するための方法および装置を提供する。
【００１２】
可能な設計では、本方法は、DMRSを運ぶために使用される時間−周波数リソースを判定するステップと、次いで、時間−周波数リソースを使用することによってDMRSを送信するステップと、を含み得る、つまり、DMRSを運ぶために使用される時間−周波数リソースを判定するステップと、次いで、判定された時間−周波数リソースを使用することによってDMRSを送信するステップと、を含み得る。
【００１３】
可能な設計では、DMRSは少なくとも1つのリソースユニットで運ばれ、システムがサポートするDMRSポートの総数が6である場合、各リソースユニットにおいて、DMRSによって占有される時間−周波数リソースは、時間領域に第1のシンボルを含み、周波数領域に次のサブキャリア、すなわち、サブキャリア6n、サブキャリア6n＋1、サブキャリア6n＋2、サブキャリア6n＋3、サブキャリア6n＋4、およびサブキャリア6n＋5のうちのいずれか1つを含み、nは0以上かつ
【数１】
0006943974.tif 000002
未満である任意の1つ以上の整数である。具体的な例およびその関連説明については、図7の（a）を参照されたい。ここでの「DMRS」は参照信号であり、「DMRSを運ぶために使用される時間−周波数リソース」は、1つ以上のリソースユニットにあり、DMRSを運ぶために使用されるREとして理解されることがあり、「各リソースユニットにおいてDMRSによって占有される時間−周波数リソース」は、1つのリソースユニットにあり、かつDMRSを運ぶために使用されるREであることが理解できる。以下の例におけるこれらの用語は、上記の用語と同様の意味を持ち、従って、詳細は説明されない。
【００１４】
可能な設計では、DMRSは少なくとも1つのリソースユニットで運ばれ、システムがサポートするDMRSポートの総数が6であり、6つのDMRSポートが3つのDMRSポートグループに分割され、同じ時間−周波数リソースが各DMRSポートグループにおけるDMRSポートのためにCDM方式で多重化される場合、各リソースユニットにおいて、DMRSによって占有される時間−周波数リソースは、時間領域に第1のシンボルを含み、周波数領域に次のサブキャリア、すなわち、サブキャリア3n、サブキャリア3n＋1、およびサブキャリア3n＋2のうちのいずれか1つを含み、
nは0以上かつ
【数２】
0006943974.tif 000003
未満である任意の1つ以上の整数であり得、具体的な例およびその関連説明については、図8の（a）を参照することができる。
【００１５】
可能な設計では、DMRSは少なくとも1つのリソースユニットで運ばれ、システムがサポートするDMRSポートの総数が6である場合、各リソースユニットにおいて、DMRSによって占有される時間−周波数リソースは、次の特徴、すなわち、
DMRSによって占有される時間−周波数リソースが時間領域における第1のシンボルである場合、時間−周波数リソースは周波数領域におけるリソースユニットのサブキャリア6nを含み、DMRSによって占有される時間−周波数リソースが時間領域における第2のシンボルである場合、時間−周波数リソースは周波数領域におけるリソースユニットのサブキャリア6n＋3を含む、特徴、
DMRSによって占有される時間−周波数リソースが時間領域における第1のシンボルである場合、時間−周波数リソースは周波数領域におけるリソースユニットのサブキャリア6n＋1を含み、DMRSによって占有される時間−周波数リソースが時間領域における第2のシンボルである場合、時間−周波数リソースは周波数領域におけるリソースユニットのサブキャリア6n＋4を含む、特徴、
DMRSによって占有される時間−周波数リソースが時間領域における第1のシンボルである場合、時間−周波数リソースは周波数領域におけるリソースユニットのサブキャリア6n＋2を含み、DMRSによって占有される時間−周波数リソースが時間領域における第2のシンボルである場合、時間−周波数リソースは周波数領域におけるリソースユニットのサブキャリア6n＋5を含む、特徴、
DMRSによって占有される時間−周波数リソースが時間領域における第1のシンボルである場合、時間−周波数リソースは周波数領域におけるリソースユニットのサブキャリア6n＋3を含み、DMRSによって占有される時間−周波数リソースが時間領域における第2のシンボルである場合、時間−周波数リソースは周波数領域におけるリソースユニットのサブキャリア6nを含む、特徴、
DMRSによって占有される時間−周波数リソースが時間領域における第1のシンボルである場合、時間−周波数リソースは周波数領域におけるリソースユニットのサブキャリア6n＋4を含み、DMRSによって占有される時間−周波数リソースが時間領域における第2のシンボルである場合、時間−周波数リソースは周波数領域におけるリソースユニットのサブキャリア6n＋1を含む、特徴、または
DMRSによって占有される時間−周波数リソースが時間領域における第1のシンボルである場合、時間−周波数リソースは周波数領域におけるリソースユニットのサブキャリア6n＋5を含み、DMRSによって占有される時間−周波数リソースが時間領域における第2のシンボルである場合、時間−周波数リソースは周波数領域におけるリソースユニットのサブキャリア6n＋2を含む、特徴
のうちのいずれか1つを有し、
nは0以上かつ
【数３】
0006943974.tif 000004
未満である任意の1つ以上の整数であり得、具体的な例およびその関連説明については、図11の（c）を参照することができる。
【００１６】
可能な設計では、DMRSは少なくとも1つのリソースユニットで運ばれ、システムがサポートするDMRSポートの総数が6であり、6つのDMRSポートが3つのDMRSポートグループに分割され、同じ時間−周波数リソースが各DMRSポートグループにおけるDMRSポートのためにCDM方式で多重化される場合、各リソースユニットにおいて、DMRSによって占有される時間−周波数リソースは、次の特徴、すなわち、
DMRSによって占有される時間−周波数リソースが時間領域における第1のシンボルである場合、時間−周波数リソースは周波数領域におけるリソースユニットのサブキャリア3nを含み、DMRSによって占有される時間−周波数リソースが時間領域における第2のシンボルである場合、時間−周波数リソースは周波数領域におけるリソースユニットのサブキャリア3n＋2を含む、特徴、
DMRSによって占有される時間−周波数リソースが時間領域における第1のシンボルである場合、時間−周波数リソースは周波数領域におけるリソースユニットのサブキャリア3n＋1を含み、DMRSによって占有される時間−周波数リソースが時間領域における第2のシンボルである場合、時間−周波数リソースは周波数領域におけるリソースユニットのサブキャリア3nを含む、特徴、または
DMRSによって占有される時間−周波数リソースが時間領域における第1のシンボルである場合、時間−周波数リソースは周波数領域におけるリソースユニットのサブキャリア3n＋2を含み、DMRSによって占有される時間−周波数リソースが時間領域における第2のシンボルである場合、時間−周波数リソースは周波数領域におけるリソースユニットのサブキャリア3n＋1を含む、特徴
のうちのいずれか1つを有し、
nは0以上かつ
【数４】
0006943974.tif 000005
未満である任意の1つ以上の整数であり得、具体的な例およびその関連説明については、図12の（c）を参照することができる。
【００１７】
上記は、異なる状況において1つのDMRSによって占有される時間−周波数リソースの特徴を列挙していることが理解できる。具体的な実施の際、以下の他の例における特徴については、上述の方式で他の状況において1つのDMRSによって占有される時間−周波数リソースの特徴を参照されたく、複数のDMRSによって占有される時間−周波数リソースの特徴は特徴に基づいて推測され得る。詳細はここでは説明されない。
【００１８】
それに対応して、本出願は、DMRSを送信するための装置をさらに提供する。本装置は、第2の態様によるDMRSを送信するための方法を実施し得る。例えば、本装置は送信側（例えば、基地局または端末）であり得、ソフトウェアもしくはハードウェアを使用することによって、または対応するソフトウェアを実行することによりハードウェアを使用することによって、上述の方法を実施し得る。
【００１９】
可能な設計では、本装置は、プロセッサとメモリとを備え得る。プロセッサは、第2の態様による方法において対応する機能を実行する際に本装置をサポートするように構成される。メモリは、プロセッサに結合され、本装置に必要なプログラム（命令）およびデータを格納するように構成される。場合により、本装置は、本装置と別のネットワーク要素との間の通信をサポートするように構成される通信インターフェースをさらに備え得る。通信インターフェースは送受信機であり得る。
【００２０】
別の可能な設計では、本装置は、判定ユニットと送信ユニットとを備え得る。判定ユニットは、DMRSを運ぶために使用される時間−周波数リソースを判定するように構成される。送信ユニットは、時間−周波数リソースを使用することによってDMRSを送信するように構成される。
【００２１】
第3の態様によれば、本出願は、DMRSを取得するための方法および装置を提供する。
【００２２】
可能な設計では、本方法は、DMRSを運ぶために使用される時間−周波数リソースを判定するステップと、次いで、時間−周波数リソースを使用することによってDMRSを取得するステップと、を含み得る。
【００２３】
それに対応して、本出願は、DMRSを取得するための装置をさらに提供する。本装置は、第3の態様によるDMRSを取得するための方法を実施し得る。例えば、本装置は受信側（例えば、基地局または端末）であり得、ソフトウェアもしくはハードウェアを使用することによって、または対応するソフトウェアを実行することによりハードウェアを使用することによって、上述の方法を実施し得る。
【００２４】
可能な設計では、本装置は、プロセッサとメモリとを備え得る。プロセッサは、第3の態様による方法において対応する機能を実行する際に本装置をサポートするように構成される。メモリは、プロセッサに結合され、本装置に必要なプログラム（命令）およびデータを格納するように構成される。場合により、本装置は、本装置と別のネットワーク要素との間の通信をサポートするように構成される通信インターフェースをさらに備え得る。通信インターフェースは送受信機であり得る。
【００２５】
別の可能な設計では、本装置は、判定ユニットと取得ユニットとを備え得る。判定ユニットは、DMRSを運ぶために使用される時間−周波数リソースを判定するように構成され得る。取得ユニットは、時間−周波数リソースを使用することによってDMRSを取得するように構成され得る。
【００２６】
第4の態様によれば、本出願は、指示方法および装置を提供する。
【００２７】
可能な設計では、本方法は、指示情報を生成するステップであって、指示情報がDMRSを運ぶために使用される時間−周波数リソースを指示するために使用される、ステップと、次いで、指示情報を送信するステップと、を含み得る。本方法は、基地局によって実行され得る。場合により、指示情報は、パイロットパターン、例えばパイロットパターンのインデックスを指示するために使用される情報であり得、現在のスケジューリングプロセスで基地局によって使用されるパイロットパターンを判定するよう端末に命令するために使用される。このオプションの実施は、基地局と端末との間の通信の際に複数のパイロットパターンが使用され得るシナリオに適用可能である。場合により、指示情報は、DMRSポートを指示するために使用される情報、例えばDMRSポート識別子（例えばDMRSポート番号）であり得、現在のスケジューリングプロセスで基地局によって端末に割り当てられたDMRSポートを判定するよう端末に命令するために使用される。このオプションの実施は、基地局と端末との間の通信の際に1つ以上のパイロットパターンが使用され得るシナリオに適用可能である。
【００２８】
それに対応して、本出願は、DMRSを送信するための装置をさらに提供する。本装置は、第4の態様による指示方法を実施し得る。例えば、本装置は基地局であり得、ソフトウェアもしくはハードウェアを使用することによって、または対応するソフトウェアを実行することによりハードウェアを使用することによって、上述の方法を実施し得る。
【００２９】
可能な設計では、本装置は、プロセッサとメモリとを備え得る。プロセッサは、第4の態様による方法において対応する機能を実行する際に本装置をサポートするように構成される。メモリは、プロセッサに結合され、本装置に必要なプログラム（命令）およびデータを格納するように構成される。場合により、本装置は、本装置と別のネットワーク要素との間の通信をサポートするように構成される通信インターフェースをさらに備え得る。通信インターフェースは送受信機であり得る。
【００３０】
別の可能な設計では、本装置は、生成ユニットと送信ユニットとを備え得る。生成ユニットは、指示情報を生成し、指示情報がDMRSを運ぶために使用される時間−周波数リソースを指示するために使用される、ように構成される。送信ユニットは、指示情報を送信するように構成される。
【００３１】
第5の態様によれば、本出願は、時間−周波数リソースを判定するための方法および装置を提供する。
【００３２】
可能な設計では、本方法は、指示情報を受信するステップであって、指示情報がDMRSを運ぶために使用される時間−周波数リソースを指示するために使用される、ステップと、次いで、指示情報に基づいて、DMRSを運ぶために使用される時間−周波数リソースを判定するステップと、を含み得る。
【００３３】
それに対応して、本出願は、DMRSを取得するための装置をさらに提供する。本装置は、第5の態様による時間−周波数リソースを判定するための方法を実施し得る。例えば、本装置は端末であり得、ソフトウェアもしくはハードウェアを使用することによって、または対応するソフトウェアを実行することによりハードウェアを使用することによって、上述の方法を実施し得る。
【００３４】
可能な設計では、本装置は、プロセッサとメモリとを備え得る。プロセッサは、第5の態様による方法において対応する機能を実行する際に本装置をサポートするように構成される。メモリは、プロセッサに結合され、本装置に必要なプログラム（命令）およびデータを格納するように構成される。加えて、本装置は、本装置と別のネットワーク要素との間の通信をサポートするように構成される通信インターフェースをさらに備え得る。通信インターフェースは送受信機であり得る。
【００３５】
別の可能な設計では、本装置は、受信ユニットと判定ユニットとを備え得る。受信ユニットは、指示情報を受信し、指示情報がDMRSを運ぶために使用される時間−周波数リソースを指示するために使用される、ように構成される。判定ユニットは、指示情報に基づいて、DMRSを運ぶために使用される時間−周波数リソースを判定するように構成される。
【００３６】
本出願は、コンピュータ記憶媒体をさらに提供する。コンピュータ記憶媒体は、コンピュータプログラム（命令）を格納する。プログラム（命令）がコンピュータ上で実行されると、コンピュータが上述の態様のいずれか1つに記載の方法を実行する。
【００３７】
本出願は、コンピュータプログラム製品をさらに提供する。コンピュータプログラム製品がコンピュータ上で実行されると、コンピュータが上述の態様のいずれか1つに記載の方法を実行する。
【００３８】
DMRSを運ぶために使用される上述の提供された時間−周波数リソースは、DMRSポートとのマッピング関係を有する。従って、本出願は、DMRSポートと時間−周波数リソースとの間におけるいくつかのマッピング規則をさらに提供する。各規則の詳細な説明および規則の有益な効果の分析については、以下の具体的な実装形態を参照されたい。詳細はここでは説明されない。
【００３９】
上述の提供された装置、コンピュータ記憶媒体、またはコンピュータプログラム製品のうちのいずれか1つが、上述の提供された対応する方法を実行するように構成されることが理解できる。上述の提供された方法を使用することによって達成され得る有益な効果は、DMRSを運ぶために使用される時間−周波数リソースとDMRSポートとの間のマッピング関係に関連する。従って、本装置、コンピュータ記憶媒体、またはコンピュータプログラム製品によって達成され得る有益な効果については、以下の具体的な実装形態における対応する解決策の有益な効果を参照されたい。詳細はここでは説明されない。
【図面の簡単な説明】
【００４０】
【図１】従来技術によるパイロットパターンの概略図である。
【図２】本出願の一実施形態によるリソースユニットの概略図である。
【図３】本出願の一実施形態による技術的解決策が適用されるシステムアーキテクチャの概略図である。
【図４】本出願の一実施形態による基地局の概略構成図である。
【図５】本出願の一実施形態による端末の概略構成図である。
【図６】本出願の一実施形態によるDMRSを送信するための方法の概略的な相互作用図である。
【図６ａ】本出願の一実施形態によるDMRSを送信するための別の方法の概略的な相互作用図である。
【図７】本出願の一実施形態による6つのポートのためのパイロットパターンの概略図である。
【図８】本出願の一実施形態による6つのポートのための別のパイロットパターンの概略図である。
【図９】本出願の一実施形態による6つのポートのための別のパイロットパターンの概略図である。
【図１０】本出願の一実施形態による6つのポートのための別のパイロットパターンの概略図である。
【図１１】本出願の一実施形態による6つのポートのための別のパイロットパターンの概略図である。
【図１２】本出願の一実施形態による6つのポートのための別のパイロットパターンの概略図である。
【図１３】本出願の一実施形態による6つのポートのための別のパイロットパターンの概略図である。
【図１４】本出願の一実施形態による6つのポートのための別のパイロットパターンの概略図である。
【図１５】本出願の一実施形態による8つのポートのためのパイロットパターンの概略図である。
【図１６】本出願の一実施形態による8つのポートのための別のパイロットパターンの概略図である。
【図１７】本出願の一実施形態による8つのポートのための別のパイロットパターンの概略図である。
【図１８】本出願の一実施形態による8つのポートのための別のパイロットパターンの概略図である。
【図１９】本出願の一実施形態による12個のポートのためのパイロットパターンの概略図である。
【図２０】本出願の一実施形態による12個のポートのための別のパイロットパターンの概略図である。
【図２１】本出願の一実施形態による12個のポートのための別のパイロットパターンの概略図である。
【図２２】本出願の一実施形態による12個のポートのための別のパイロットパターンの概略図である。
【図２３】本出願の一実施形態による12個のポートのための別のパイロットパターンの概略図である。
【図２４】本出願の一実施形態による12個のポートのための別のパイロットパターンの概略図である。
【図２５】本出願の一実施形態による12個のポートのための別のパイロットパターンの概略図である。
【図２６】本出願の一実施形態による12個のポートのための別のパイロットパターンの概略図である。
【図２７】本出願の一実施形態による12個のポートのための別のパイロットパターンの概略図である。
【図２８】本出願の一実施形態による12個のポートのための別のパイロットパターンの概略図である。
【図２９】本出願の一実施形態による16個のポートのためのパイロットパターンの概略図である。
【図３０】本出願の一実施形態による16個のポートのための別のパイロットパターンの概略図である。
【図３１】本出願の一実施形態による16個のポートのための別のパイロットパターンの概略図である。
【図３２】本出願の一実施形態による16個のポートのための別のパイロットパターンの概略図である。
【図３３】本出願の一実施形態による16個のポートのための別のパイロットパターンの概略図である。
【図３４】本出願の一実施形態による16個のポートのための別のパイロットパターンの概略図である。
【図３５】本出願の一実施形態によるDMRSを送信するための装置の概略構成図である。
【図３６】本出願の一実施形態によるDMRSを取得するための装置の概略構成図である。
【図３７】本出願の一実施形態による指示装置の概略構成図である。
【図３８】本出願の一実施形態による時間−周波数リソースを判定するための装置の概略構成図である。
【図３９】本出願の一実施形態によるDMRSを送信するための装置の概略構成図である。
【発明を実施するための形態】
【００４１】
まず、読者がよりよく理解できるように、本明細書に関連する用語が簡単に説明される。
【００４２】
（1）リソースユニット（resource unit）
【００４３】
LTE規格におけるRBおよびRBペア（RB pair）と同様に、本出願のいくつかの実施形態ではリソースユニットが提供される。リソースユニットは、リソース割り当てを実行するために端末をスケジューリングするための基本単位として使用されてもよいし、複数の参照信号の配置方式を記述するために使用されてもよい。
【００４４】
リソースユニットは、周波数領域において複数の連続したサブキャリアを含んでもよく、時間領域において1つの時間間隔（time interval、TI）を含んでもよい。異なるスケジューリングプロセスでは、リソースユニットのサイズは同じであっても異なっていてもよい。ここでのTIは、LTEシステムにおける送信時間間隔（transmission time interval、TTI）、シンボルレベルの短いTTI、高周波システムにおける大きなサブキャリア間隔の短いTTI、スロットまたは5Gシステムにおけるミニスロット（mini−slot）などであり得る。このことは、本出願において限定されるものではない。
【００４５】
場合により、1つのリソースユニットは、1つ以上のRB、1つ以上のRB pairなどを含むこともできるし、RBの半分などとすることもできる。あるいは、1つのリソースユニットは、別の時間−周波数リソースであってもよい。このことは、本出願において限定されるものではない。1つのRB pairは、周波数領域において12個の連続したサブキャリアを含み、時間領域において1つのサブフレームを含む。図2に示すように、周波数領域において1つのサブキャリアを含み、時間領域において1つのシンボルを含む時間−周波数リソースが、リソース要素（resource element、RE）である。図2のRB pairは、周波数領域において（0〜11と番号付けられた）12個の連続したサブキャリアを含み、時間領域において（0〜13と番号付けられた）14個のシンボルを含む。図2において、水平座標軸は時間領域を示し、垂直座標軸は周波数領域を示す。本出願に含まれ、かつ時間−周波数領域リソースを示す添付の図面は、例として図2に示されるRB pairを使用することによって説明されることに留意されたい。当業者は、このことが具体的な実施の際に限定されないことを理解されよう。本出願における「シンボル」は、以下、すなわち、直交周波数分割多重化（orthogonal frequency division multiplexing、OFDM）シンボル、ユニバーサル・フィルタード・マルチキャリア（universal filtered multi−carrier、UFMC）信号、フィルタ・バンク・マルチキャリア（filter−bank multi−carrier、FBMC）シンボル、一般化された周波数分割多重化（generalized frequency−division multiplexing、GFDM）シンボルなどのうちのいずれか1つを含み得るが、これらに限定されないことが理解できる。
【００４６】
（2）DMRSポートグループ
【００４７】
本出願における「DMRSポートグループ」は、本出願で提供される技術的解決策を明確に説明するために導入された論理概念であり、具体的には、本出願で提供されるパイロットパターンまたはパイロットパターンの変形を明確に説明するために導入された論理概念である。実際の実施の際、基地局および端末はDMRSポートをグループ化する動作を実行しない場合があることが理解できる。本出願で説明されるパイロットパターンまたはパイロットパターンの変形を設計するために使用される方式は、本出願の保護範囲に含まれるものとする。
【００４８】
1つのDMRSポートグループは、1つ以上のDMRSポートを含み得る。本出願では、例えば、直交カバーコード（orthogonal cover code、OCC）、サイクリックシフト（cyclic shift、CS）、またはサイクリック位相回転（cyclic phase rotation）などの方法を使用することによって、同じ時間−周波数リソースがDMRSポートグループにおけるポートに対応するDMRSのためにCDM（code division multiplexing）方式で多重化される。時間−周波数リソースがCDM方式で複数の参照信号のために多重化される技術的解決策は、従来技術において明確に説明されてきた。本明細書では詳細は説明されない。
【００４９】
（3）システムがサポートするDMRSポート
【００５０】
システムがサポートするDMRSポートは、基地局によって使用され得るDMRSポートと見なされ得る。実際の実施の際、基地局は、基地局によってサポートされる一部または全部のDMRSポートを使用することによって端末をスケジューリングし得る。本出願では、システムがサポートするDMRSポートの数が6、8、12、または16であることが、説明のための例として使用される。
【００５１】
（4）その他の用語
【００５２】
本明細書における「複数の」という用語は、少なくとも2つを意味する。
【００５３】
本明細書における「第1」、「第2」などの用語は、異なるオブジェクトを区別するために使用されるに過ぎないが、用語の順番を限定することは意図されていない。例えば、第1のシンボルグループと第2のシンボルグループとは、異なるシンボルグループを区別するために使用されるに過ぎないが、シンボルグループの順番を限定することは意図されていない。
【００５４】
本明細書における「および／または」という用語は、関連するオブジェクトを記述するための関連関係のみを記述し、3つの関係が存在し得ることを表している。例えば、Aおよび／またはBは、以下の3つの場合、すなわち、Aのみが存在する場合、AとBとの両方が存在する場合、およびBのみが存在する場合を表すことができる。加えて、本明細書中の文字「／」は、関連するオブジェクト間の「論理和」関係を一般に示す。
【００５５】
以下、添付の図面を参照して本出願で提供される技術的解決策を説明する。
【００５６】
本出願で提供される技術的解決策は、様々な通信システム、例えば現在の2G、3G、および4G通信システム、ならびに5G通信システムなどの将来の発展したネットワークに適用され得る。例えば、通信システムは、LTEシステム、第3世代パートナーシッププロジェクト（3rd generation partnership project、3GPP）関連のセルラシステム、および他の通信システムであり得る。特に、本技術的解決策は5G NRシステムに適用され得る。5G規格は、マシンツーマシン（machine to machine、M2M）、D2M、マクロ−マイクロ通信、拡張モバイルブロードバンド（enhanced mobile broadband、eMBB）、超高信頼・低遅延通信（ultra reliable  ＆  low latency communication、uRLLC）、および大規模なモノのインターネット通信（massive machine type communication、mMTC）などのシナリオを含み得ることに留意されたい。これらのシナリオは、端末間の通信シナリオ、基地局間の通信シナリオ、基地局と端末との間の通信シナリオなどを含み得るが、これらに限定されない。本出願の実施形態で提供される技術的解決策は、5G通信システムにおける端末間の通信、基地局間の通信などのシナリオにさらに適用され得る。
【００５７】
本出願の実施形態で提供される技術的解決策は、図3に示されるシステムアーキテクチャに適用され得る。システムアーキテクチャは、基地局100と、基地局100に接続された1つ以上の端末200と、を備え得る。
【００５８】
一例では、基地局100は、図4に示される構造を使用することにより実施され得る。
【００５９】
基地局100は、端末200と通信可能なデバイスであり得る。基地局100は、中継局、アクセスポイントなどであってもよい。基地局100は、グローバル・システム・フォー・モバイル・コミュニケーションズ（global system for mobile communication、GSM（登録商標））または符号分割多元接続（code division multiple access、CDMA）ネットワークのベーストランシーバ基地局（base transceiver station、BTS）であってもよいし、広帯域符号分割多元接続（wideband code division multiple access、WCDMA（登録商標））のNB（NodeB）であってもよいし、LTEのeNBまたはeNodeB（evolutional NodeB）であってもよい。あるいは、基地局100は、クラウド無線アクセスネットワーク（cloud radio access network、CRAN）シナリオにおける無線コントローラであってもよい。あるいは、基地局100は、将来の5Gネットワークのネットワークデバイスまたは将来の発展したPLMNネットワークのネットワークデバイスであってもよいし、ウェアラブルデバイス、車載デバイスなどであってもよい。
【００６０】
端末200は、ユーザ機器（user equipment、UE）、アクセス端末、UEユニット、UE局、移動局、モバイルコンソール、リモートステーション、リモート端末、モバイルデバイス、UE端末、端末、無線通信デバイス、UEエージェント、UE装置などであってもよい。アクセス端末は、携帯電話、コードレス電話、セッション・イニシエーション・プロトコル（session initiation protocol、SIP）電話、ワイヤレスローカルループ（wireless local loop、WLL）局、携帯情報端末（personal digital assistant、PDA）、無線通信機能を有するハンドヘルドデバイス、コンピューティングデバイス、無線モデムに接続された別の処理デバイス、車載デバイス、ウェアラブルデバイス、将来の5Gネットワークの端末、発展したPLMNネットワークの端末などであり得る。
【００６１】
基地局100の汎用ハードウェアアーキテクチャが説明される。図4に示されるように、基地局は、ビルディング・ベースバンド・ユニット（building baseband unit、BBU）とリモート無線モジュール（remote radio unit、RRU）とを備え得る。RRUはアンテナシステム（すなわち、アンテナ）に接続され、BBUとRRUとは要件に基づいて別々に使用され得る。具体的な実施プロセスでは、基地局100は別の汎用ハードウェアアーキテクチャを代替的に使用してもよく、図4に示される汎用ハードウェアアーキテクチャに単に限定されないことに留意されたい。
【００６２】
例えば、端末200は携帯電話であり、携帯電話の汎用ハードウェアアーキテクチャが説明される。図5に示されるように、携帯電話は、無線周波数（radio Frequency、RF）回路110、メモリ120、別の入力デバイス130、ディスプレイ140、センサ150、音声回路160、I／Oサブシステム170、プロセッサ180、および電源190などの構成要素を備え得る。当業者は、図5に示される携帯電話の構造が携帯電話に対する限定を構成せず、携帯電話が図5に示されるものよりも多いまたは少ない構成要素を備え得ることを理解されよう。いくつかの構成要素が組み合わされてもよいし、いくつかの構成要素が取り外されてもよいし、それらの構成要素が異なる方式で配置されてもよい。当業者は、ディスプレイ140がユーザインターフェース（user Interface、UI）に属し、ディスプレイ140がディスプレイパネル141とタッチパネル142とを備え得ることを理解されよう。加えて、携帯電話が図5に示されるものよりも多いまたは少ない構成要素を備え得ることを理解されよう。携帯電話は、図5には示されていないカメラおよびBluetooth（登録商標）モジュールなどの機能モジュールまたはデバイスをさらに含むことができる。詳細はここでは説明されない。
【００６３】
さらに、プロセッサ180は、RF回路110、メモリ120、音声回路160、I／Oサブシステム170、および電源190に別々に接続される。I／Oサブシステム170は、別の入力デバイス130、ディスプレイ140、およびセンサ150に別々に接続される。RF回路110は、情報の受信もしくは送信のプロセスまたは呼プロセスにおいて信号を受信または送信するように構成され得る。特に、RF回路110は、基地局のダウンリンク情報を受信した後、ダウンリンク情報を処理のためにプロセッサ180に送信する。メモリ120は、ソフトウェアプログラムおよびモジュールを格納するように構成され得る。プロセッサ180は、メモリ120に格納されたソフトウェアプログラムおよびモジュールを実行することにより、携帯電話の様々な機能アプリケーションおよびデータを処理する。別の入力デバイス130は、入力された数字もしくは文字情報を受信し、携帯電話のユーザ設定および機能制御に関連するキー信号入力を生成するように構成され得る。ディスプレイ140は、ユーザによって入力された情報またはユーザに提供された情報、および携帯電話の様々なメニューを表示するように構成されてもよく、ユーザ入力を受信してもよい。センサ150は、光学センサ、モーションセンサ、または別のセンサであってもよい。音声回路160は、ユーザと携帯電話との間に音声インターフェースを提供し得る。I／Oサブシステム170は、入力および出力を実行するように構成された周辺機器を制御するように構成され、周辺機器は別のデバイス入力コントローラ、センサコントローラ、およびディスプレイコントローラを含み得る。プロセッサ180は、携帯電話200のコントロールセンタであり、様々なインターフェースおよび配線を使用することにより、携帯電話全体のすべての部分に接続される。プロセッサ180は、携帯電話200の様々な機能を実行し、携帯電話の全体的な監視を実行するために、メモリ120に格納されたソフトウェアプログラムおよび／またはモジュールを稼働または実行することにより、またメモリ120に格納されたデータを呼び出すことによりデータを処理する。電源190（例えば、バッテリ）は、上述のすべての構成要素に電力を供給するように構成される。電源は、電源管理システムを使用することによって充電および放電の管理な
らびに電力消費管理などの機能を実施するために、電源管理システムを使用することによってプロセッサ180に論理的に接続されてもよい。
【００６４】
本出願で提供される技術的解決策は、シングルキャリア送信シナリオまたはマルチキャリア送信シナリオで使用されてもよく、アップリンク送信シナリオまたはダウンリンク送信シナリオに適用されてもよい。
【００６５】
以下、本出願で提供されるDMRSを送信するための方法を説明する。DMRSを送信するための方法は、送信側によりDMRSを送信するための方法と、受信側によりDMRSを取得するための方法と、を含み得る。
【００６６】
図6は、本出願で提供されるDMRSを送信するための方法を示している。本方法は、以下のステップを含み得る。
【００６７】
S101．送信側は、DMRSを運ぶために使用される時間−周波数リソースを判定する。
【００６８】
DMRSは、少なくとも1つのリソースユニットで運ばれる。各リソースユニットにおいてDMRSによって占有される時間−周波数リソースの特徴については、図7から図34のいずれか1つにおけるDMRSによって占有される時間−周波数リソースの任意の特徴および図7から図34の関連説明を参照されたい。
【００６９】
S102．送信側は、時間−周波数リソースを使用することによってDMRSを送信する。
【００７０】
S103．受信側は、DMRSを運ぶために使用される時間−周波数リソースを判定する。
【００７１】
S104．受信側は、判定された時間−周波数リソースを使用することによってDMRSを取得する。
【００７２】
DMRSを運ぶために使用される時間−周波数リソースは、時間領域において1つ以上のシンボルを含んでもよいし、周波数領域において1つ以上のサブキャリアを含んでもよい。時間−周波数リソースが時間領域において複数のシンボルを含む場合、複数のシンボルは、複数の連続したシンボルまたは連続していないシンボルであり得る。時間−周波数リソースが周波数領域において複数のサブキャリアを含む場合、複数のサブキャリアは、複数の連続したサブキャリアまたは連続していないサブキャリアであり得る。このことは、本出願において限定されるものではない。S101の後であってS102の前に、本方法は、送信側によって、判定された時間−周波数リソースにDMRSをマッピングするステップをさらに含み得る。時間−周波数リソースの関連説明および達成され得る有益な効果については、以下の説明を参照されたい。
【００７３】
技術的解決策がアップリンク送信シナリオに適用される場合、送信側は端末であり得、受信側は基地局であり得る。技術的解決策がダウンリンク送信シナリオに適用される場合、送信側は基地局であり得、受信側は端末であり得る。
【００７４】
図6aは、本出願で提供されるDMRSを送信するための別の方法を示している。本方法は、以下のステップを含み得る。
【００７５】
S201．基地局は、指示情報を生成し、指示情報がDMRSを運ぶために使用される時間−周波数リソースを指示するために使用される。
【００７６】
S202．基地局は指示情報を端末に送信する。
【００７７】
S203．端末は、指示情報を受信し、指示情報に基づいて、DMRSを運ぶために使用される時間−周波数リソースを判定する。
【００７８】
S204．端末は、判定された時間−周波数リソースを使用することによってDMRSを取得する。
【００７９】
1つのDMRSポートは1つのDMRSに対応し、1つのDMRSが1つ以上のRE上で運ばれ得る。1つの態様では、DMRSポートと時間−周波数リソースとの間であり、基地局および端末によって使用されるマッピング規則は、固定されてもよいし、半静的に調整されてもよいし、動的に調整されてもよい。別の態様では、基地局によって端末に割り当てられたDMRSポートは、半静的に調整されてもよいし、動的に調整されてもよい。2つの態様のいずれかに基づいて、半静的な調整または動的な調整の際に、ピアエンドが、命令を使用することによって通知され得る。命令（つまり、指示情報）は、以下、すなわち、無線リソース制御（radio resource control、RRC）シグナリング、媒体アクセス制御（media access control、MAC）シグナリング、ダウンリンク制御情報（downlink control information、DCI）などのうちのいずれか1つを含み得るが、これらに限定されない。
【００８０】
場合により、指示情報は、DMRSポート情報、例えばDMRSポート番号を含むことができ、基地局によって端末に割り当てられたDMRSポートに対応する時間−周波数リソースを指示するために使用される。
【００８１】
本出願で提供されるDMRSを送信するための方法によれば、DMRSポートと時間−周波数リソースとの間の適切なマッピング規則が設定され、その結果、本方法は複雑かつ変化するNRシナリオに適用され得る。
【００８２】
これに基づいて、DMRSポートと時間−周波数リソースとの間のいくつかのマッピング規則が本出願でさらに提供される。その前に、以下が説明される必要がある。
【００８３】
第1に、本出願では、説明を簡単にするために、システムがサポートするDMRSポートが、連続的に番号付けされ得る、例えば1から連続的に番号付けされ得る。例えば、システムが6つのDMRSポートをサポートする場合、6つのDMRSポートはDMRSポート1〜6として示される。本出願では、説明を簡単にするために、リソースユニットに含まれるシンボルは時間領域において0から連続的に番号付けされ、リソースユニットに含まれるサブキャリアは周波数領域において0から番号付けされる。例えば、リソースユニットがRB pairであることが例として使用される。RB pairは、時間領域においてシンボル0〜13を含むことができ、周波数領域においてサブキャリア0〜11を含むことができる。当然のことながら、このことは具体的な実施の際に限定されない。上述の説明は、本出願の本実施形態で提供される技術的解決策を簡単に説明するための設定であるが、本出願の範囲を限定することは意図されていないことに留意されたい。
【００８４】
第2に、DMRSポートはリソースユニットの1つ以上のシンボルにマッピングされ得る。場合により、1つ以上のシンボルのそれぞれが、TIの前方シンボル、中間シンボル、または後方シンボルであり得る。前方シンボルは、TIの前方に配置されたシンボルであり、例えばLTEにおけるサブフレーム内の番号2のシンボル（すなわち、シンボル2）および／または番号3のシンボル（すなわち、シンボル3）に対応し得る。サブフレーム内のどのシンボルが前方シンボルとして特に定義されるかは、本出願では限定されない。あるいは、1つ以上のシンボルのそれぞれが、中間シンボルであり得る。中間シンボルは、サブフレームの中間に配置されたシンボルであり、例えばサブフレーム内の番号5のシンボル（すなわち、シンボル5）および／または番号6のシンボル（すなわち、シンボル6）であり得る。サブフレーム内のどのシンボルが中間シンボルとして特に定義されるかは、本出願では限定されない。あるいは、1つ以上のシンボルのそれぞれが、後方シンボルであり得る。後方シンボルは、サブフレームの後方に配置されたシンボルであり、例えばサブフレーム内の番号9のシンボル（すなわち、シンボル9）および／または番号10のシンボル（すなわち、シンボル10）であり得る。サブフレーム内のどのシンボルが後方シンボルとして特に定義されるかは、本出願では限定されない。実際の実施の際に、DMRSポートが複数のシンボルにマッピングされる場合、複数のシンボルは異なるタイプのシンボルであり得、シンボルのタイプは前方シンボル、中間シンボル、および後方シンボルを含むことが理解できる。例えば、複数のシンボルのうちのいくつかは前方シンボルであり、他のいくつかのシンボルは中間シンボルであり得る。
【００８５】
以下では、DMRSポートが1つのシンボルにマッビングされる場合、そのシンボルは第1のシンボルと呼ばれる。DMRSポートが複数のシンボルにマッピングされる場合、複数のシンボルがそれぞれ第1のシンボルおよび第2のシンボルと呼ばれる2つのシンボルであることが、説明のための例として使用される。第1のシンボルと第2のシンボルとは連続していても連続していなくてもよい。換言すれば、第1のシンボルと第2のシンボルとは、隣接するシンボルであってもよいし、隣接しないシンボルであってもよい。以下のすべての具体的な例では、第1のシンボルと第2のシンボルとが連続していることが説明のための例として使用される。具体的には、第1のシンボルがサブフレーム内の番号2のシンボルであり、第2のシンボルがサブフレーム内の番号3のシンボルであるということが説明のための例として使用され、このことは実際の実施の際に限定されない。
【００８６】
ここでのDMRSポートは、すべてシステムがサポートするDMRSポートであることが理解できる。実際の実施の際に、1つのスケジューリングプロセスですべてのDMRSポートが使用されるか、すべてのDMRSポートの一部が使用されるかは、本出願では限定されない。
【００８７】
本出願では、一部または全部のDMRSが前方シンボルにマッピングされ得ることを理解できる。このようにして、従来技術と比較して、本出願は、受信側がすべてのDMRSをより迅速に受信し、次いでデータ復調を開始できるようにする。従って、NRにおける高速データ復調のための要件が満たされ得る。
【００８８】
第3に、DMRSポートグループの関連説明については、上述の説明を参照されたい。特定のポートが1つのDMRSポートグループとして使用される具体的な実施は、本出願において限定されないことに注意されたい。例えば、DMRSポート1〜8が2つのグループに分割される場合、DMRSポートにおける任意の4つのポートが1つのDMRSポートグループとして使用され、他の4つのポートが1つのDMRSポートグループとして使用され得る。加えて、異なるDMRSポートグループは同じDMRSポートを含まない。別の例として、DMRSポート1〜12が3つのグループに分割される場合、DMRSポートにおける任意の4つのポートが1つのDMRSポートグループとして使用され、他の8つのDMRSポートのうちの任意の4つが1つのDMRSポートグループとして使用され、そして残りの4つのポートが1つのDMRSポートグループとして使用され得る。
【００８９】
第4に、以下は、DMRSポートと時間−周波数リソースとの間の複数のマッピング規則を説明する。具体的には、マッピング規則は、パイロットパターン（pattern）を使用することによって提示され得る。具体的な実施プロセスでは、マッピング規則は、式またはテーブルを使用することによって、または他の方式で実施され得る。具体的な実施プロセスでは、受信側は、DMRSポートを使用することによって、またはDMRSに対応する時間−周波数リソースを指示するために使用される他の情報を使用することによって、DMRSに対応する時間−周波数リソースを把握し得る。受信側が時間−周波数リソースからDMRSをどのように取得するかは、本出願では限定されず、このことは従来技術の方法を使用することによって実施されてもよい。原則として、m個のDMRSポートのためにCDM方式で多重化が実行される場合、受信側は、数がm以上であり、かつm個のDMRSポートが運ばれるREのみからm個のDMRSポートを取得でき、mは2以上の整数である。特定のDMRS値（通常は複素数、つまり変調シンボルである）は、通常、値系列から選択される。特定の選択された値が、CDMを実施するために使用される多重符号を使用することによって、DMRSに割り当てられた複数のRE上にロードされる。具体的なロードの方式については、従来技術を参照されたい。これらのREは、同じシンボルにおける異なるサブキャリアに対応してもよいし、異なるシンボルにおける同じサブキャリアに対応してもよいし、異なるシンボルにおける異なるサブキャリアに対応してもよい。
【００９０】
第5に、以下において、周波数領域におけるリソースユニットのサブキャリアの数がMであることが説明のための例として使用され、Mは1以上の整数である。例えば、リソースユニットが1つのRB pair（すなわち、時間領域における2つのRB）である場合、M＝12であり、リソースユニットが周波数領域において2つのRBである場合、M＝24である。
【００９１】
加えて、本明細書の添付の図面では、DMRSポートがマッピングされるシンボルに対応するREが示されており、別のシンボルに対応するREは示されていない。別のREで運ばれる情報は、本出願では限定されない。
【００９２】
以下、DMRSポートと本出願で提供される時間−周波数リソースとの間のマッピング規則を説明する。
【００９３】
システムがサポートするDMRSポートの総数は6である。
【００９４】
1．6つのDMRSポートがマッピングされる時間−周波数リソースは、時間領域におけるリソースユニットの第1のシンボルを含む。
【００９５】
（1）6つのDMRSポートは、第1のDMRSポート、第2のDMRSポート、第3のDMRSポート、第4のDMRSポート、第5のDMRSポート、および第6のDMRSポートを含む。「を含む」は特に「である」という意味であることに留意されたい。このことは以下の例でも同様であり、従って、詳細は説明されない。6つのDMRSポートのマッピング規則は次のとおりである。
【００９６】
第1：
【００９７】
第1のDMRSポートがマッピングされる時間−周波数リソースは、周波数領域におけるリソースユニットのサブキャリア6nを含む。
【００９８】
第2のDMRSポートがマッピングされる時間−周波数リソースは、周波数領域におけるリソースユニットのサブキャリア6n＋1を含む。
【００９９】
第3のDMRSポートがマッピングされる時間−周波数リソースは、周波数領域におけるリソースユニットのサブキャリア6n＋2を含む。
【０１００】
第4のDMRSポートがマッピングされる時間−周波数リソースは、周波数領域におけるリソースユニットのサブキャリア6n＋3を含む。
【０１０１】
第5のDMRSポートがマッピングされる時間−周波数リソースは、周波数領域におけるリソースユニットのサブキャリア6n＋4を含む。
【０１０２】
第6のDMRSポートがマッピングされる時間−周波数リソースは、周波数領域におけるリソースユニットのサブキャリア6n＋5を含む。
【０１０３】
nは0以上かつ
【数５】
0006943974.tif 000006
未満の任意の1つ以上の整数であり得る。
【０１０４】
本明細書では、
【数６】
0006943974.tif 000007
は切り捨てを意味する。加えて、本明細書で提供される様々なマッピング規則では、複数のDMRSポートを運ぶ（すなわち、複数のDMRSポートに対応するDMRSを運ぶ）ために使用される時間−周波数リソースが、周波数領域におけるリソースユニットのすべてのサブキャリアを占有しない場合、DMRSポートを運ぶために使用されるサブキャリアは、要件に基づいてある程度オフセットされ得る。例えば、オフセットされた後、第1のDMRSポートを運ぶために使用されるサブキャリア6nは、サブキャリア6th＋Δに変更されてもよく、Δはプリセットオフセットである。
【０１０５】
図7の（a）は、6つのDMRSポートのマッピング規則の概略図である。それぞれの影付き小ブロックは、DMRSポートがマッピングされるREを指示し、n＝0または1である。
【０１０６】
第2：
【０１０７】
第1のDMRSポートがマッピングされる時間−周波数リソースは、周波数領域におけるリソースユニットのサブキャリア12nおよびサブキャリア12n＋1のうちの少なくとも1つを含む。
【０１０８】
第2のDMRSポートがマッピングされる時間−周波数リソースは、周波数領域におけるリソースユニットのサブキャリア12n＋2およびサブキャリア12n＋3のうちの少なくとも1つを含む。
【０１０９】
第3のDMRSポートがマッピングされる時間−周波数リソースは、周波数領域におけるリソースユニットのサブキャリア12n＋4およびサブキャリア12n＋5のうちの少なくとも1つを含む。
【０１１０】
第4のDMRSポートがマッピングされる時間−周波数リソースは、周波数領域におけるリソースユニットのサブキャリア12n＋6およびサブキャリア12n＋7のうちの少なくとも1つを含む。
【０１１１】
第5のDMRSポートがマッピングされる時間−周波数リソースは、周波数領域におけるリソースユニットのサブキャリア12n＋8およびサブキャリア12n＋9のうちの少なくとも1つを含む。
【０１１２】
第6のDMRSポートがマッピングされる時間−周波数リソースは、周波数領域におけるリソースユニットのサブキャリア12n＋10およびサブキャリア12n＋11のうちの少なくとも1つを含む。
【０１１３】
nは0以上かつ
【数７】
0006943974.tif 000008
以下の任意の1つ以上の整数であり得る。
【０１１４】
図7の（b）は、6つのDMRSポートのマッピング規則の概略図である。それぞれの影付き小ブロックは、DMRSポートグループがマッピングされるREを指示し、n＝0である。
【０１１５】
（2）6つのDMRSポートは3つのDMRSポートグループに分割され、各DMRSポートグループは2つのDMRSポートを含む。3つのDMRSポートグループは、第1のDMRSポートグループ、第2のDMRSポートグループ、および第3のDMRSポートグループを含む。同じ時間−周波数リソースが、各DMRSポートグループにおけるDMRSポートに対応するDMRSのためにCDM方式で多重化される。3つのDMRSポートグループのマッピング規則は次のとおりである。
【０１１６】
第1：
【０１１７】
第1のDMRSポートグループがマッピングされる時間−周波数リソースは、周波数領域におけるリソースユニットのサブキャリア3nを含む。
【０１１８】
第2のDMRSポートグループがマッピングされる時間−周波数リソースは、周波数領域におけるリソースユニットのサブキャリア3n＋1を含む。
【０１１９】
第3のDMRSポートグループがマッピングされる時間−周波数リソースは、周波数領域におけるリソースユニットのサブキャリア3n＋2を含む。
【０１２０】
nは0以上かつ
【数８】
0006943974.tif 000009
未満の任意の1つ以上の整数であり得る。
【０１２１】
図8の（a）は、6つのDMRSポートのマッピング規則の概略図である。それぞれの影付き小ブロックは、DMRSポートグループがマッピングされるREを指示し、n＝0、1、2、または3である。例えば、DMRSポートにおける任意の3つのポートが1つのDMRSポートグループとして使用され、他の3つのポートが1つのDMRSポートグループとして使用され得る。例えば、DMRSポート1〜3が第1のDMRSポートグループとして使用され、DMRSポート4〜6が第2のDMRSポートグループとして使用される。当然のことながら、このことは具体的な実施の際に限定されない。この解決策では、ポートは、周波数領域に均等に分散され、高い密度を有する。これにより、様々なシナリオで高いチャネル推定精度が確保される。加えて、ポートは、均等に分散されるが、周波数領域において相互に分離している。従って、この解決策は、低いピーク対平均電力比（peak−to−average power ratio、PAPR）の特徴を有し、マルチキャリア送信シナリオとシングルキャリア送信シナリオとの両方に適用可能であり、それにより、アップリンクおよびダウンリンク送信またはマルチ波形送信の統合設計が容易になり、また、この解決策は、マルチユーザMIMO（multi−user MIMO、MU−MIMO）シナリオ（MU−MIMO scenario）に適用可能であり、それによりシステムのDMRS指示のオーバーヘッドおよび設計の複雑さが軽減される。この解決策では、1つのシンボルのみが占有される。従って、システムのオーバーヘッドは少なく、この解決策は高周波シナリオで使用され得る。この解決策は、シンボルを追加する方式においてより多くのポートをさらにサポートでき、従って、柔軟性が向上している。加えて、ポートは周波数領域において均等にマッピングされ、それにより柔軟なスケジューリングが容易になる。さらに、パワーブースティング（powerboosting）またはデータ送信が、占有されていないポートグループの位置で実行され得る。
【０１２２】
第2：
【０１２３】
第1のDMRSポートグループがマッピングされる時間−周波数リソースは、周波数領域におけるリソースユニットのサブキャリア12n、サブキャリア12n＋1、サブキャリア12n＋6、およびサブキャリア12n＋7のうちの少なくとも1つを含む。
【０１２４】
第2のDMRSポートグループがマッピングされる時間−周波数リソースは、周波数領域におけるリソースユニットのサブキャリア12n＋2、サブキャリア12n＋3、サブキャリア12n＋8、およびサブキャリア12n＋9のうちの少なくとも1つを含む。
【０１２５】
第3のDMRSポートグループがマッピングされる時間−周波数リソースは、周波数領域におけるリソースユニットのサブキャリア12n＋4、サブキャリア12n＋5、サブキャリア12n＋10、およびサブキャリア12n＋11のうちの少なくとも1つを含む。
【０１２６】
nは0以上かつ
【数９】
0006943974.tif 000010
未満の任意の1つ以上の整数であり得る。
【０１２７】
図8の（b）は、6つのDMRSポートのマッピング規則の概略図である。それぞれの影付き小ブロックは、DMRSポートグループがマッピングされるREを指示し、n＝0である。
【０１２８】
（3）6つのDMRSポートは2つのDMRSポートグループに分割され、各DMRSポートグループは3つのDMRSポートを含む。2つのDMRSポートグループは、第1のDMRSポートグループおよび第2のDMRSポートグループを含む。同じ時間−周波数リソースが、各DMRSポートグループにおけるDMRSポートに対応するDMRSのためにCDM方式で多重化される。2つのDMRSポートグループのマッピング規則は次のとおりである。
【０１２９】
第1：
【０１３０】
第1のDMRSポートグループがマッピングされる時間−周波数リソースは、周波数領域におけるリソースユニットのサブキャリア2nを含む。
【０１３１】
第2のDMRSポートグループがマッピングされる時間−周波数リソースは、周波数領域におけるリソースユニットのサブキャリア2n＋1を含む。
【０１３２】
nは0以上かつ
【数１０】
0006943974.tif 000011
未満の任意の1つ以上の整数であり得る。
【０１３３】
図9の（a）は、6つのDMRSポートのマッピング規則の概略図である。それぞれの影付き小ブロックは、DMRSポートグループがマッピングされるREを指示し、n＝0、1、2、3、4、または5である。この解決策では、ポートは、周波数領域に均等に分散され、高い密度を有する。これにより、様々なシナリオで高いチャネル推定精度が確保される。加えて、ポートは、均等に分散されるが、周波数領域において相互に分離している。従って、この解決策は、低いPAPRの特徴を有し、マルチキャリア送信シナリオとシングルキャリア送信シナリオとの両方に適用可能であり、それにより、アップリンクおよびダウンリンク送信またはマルチ波形送信の統合設計が容易になり、また、この解決策は、MU−MIMOシナリオに適用可能であり、それによりシステムのDMRS指示のオーバーヘッドおよび設計の複雑さが軽減される。この解決策では、1つのシンボルのみが占有される。従って、システムのオーバーヘッドは少なく、この解決策は高周波シナリオで使用され得る。この解決策は、シンボルを追加する方式においてより多くのポートをさらにサポートでき、従って、柔軟性が向上している。加えて、ポートは周波数領域において均等にマッピングされ、それにより柔軟なスケジューリングが容易になる。さらに、パワーブースティングまたはデータ送信が、占有されていないポートグループの位置で実行され得る。
【０１３４】
第2：
【０１３５】
第1のDMRSポートグループがマッピングされる時間−周波数リソースは、周波数領域におけるリソースユニットのサブキャリア12n、サブキャリア12n＋1、サブキャリア12n＋2、サブキャリア12n＋6、サブキャリア12n＋7、およびサブキャリア12n＋8のうちの少なくとも1つを含む。
【０１３６】
第2のDMRSポートグループがマッピングされる時間−周波数リソースは、周波数領域におけるリソースユニットのサブキャリア12n＋3、サブキャリア12n＋4、サブキャリア12n＋5、サブキャリア12n＋9、サブキャリア12n＋10、およびサブキャリア12n＋11のうちの少なくとも1つを含む。
【０１３７】
nは0以上かつ
【数１１】
0006943974.tif 000012
未満の任意の1つ以上の整数であり得る。
【０１３８】
図9の（b）は、6つのDMRSポートのマッピング規則の概略図である。それぞれの影付き小ブロックは、DMRSポートグループがマッピングされるREを指示し、n＝0である。
【０１３９】
（4）同じ時間−周波数リソースが、6つのDMRSポートに対応するDMRSのためにCDM方式で多重化される。この場合、6つのDMRSポートは1つのDMRSポートグループと見なされ得る。DMRSポートグループのマッピング規則は次のとおりである。
【０１４０】
第1：
【０１４１】
DMRSポートグループがマッピングされる時間−周波数リソースは、周波数領域におけるリソースユニットのサブキャリア2nを含む、または
DMRSポートグループがマッピングされる時間−周波数リソースは、周波数領域におけるリソースユニットのサブキャリア2n＋1を含む。
【０１４２】
nは0以上かつ
【数１２】
0006943974.tif 000013
未満の任意の1つ以上の整数であり得る。
【０１４３】
図10の（a）は、6つのDMRSポートのマッピング規則の概略図である。図では、DMRSポートグループがマッピングされる時間−周波数リソースが周波数領域におけるリソースユニットのサブキャリア2nを含むことが、説明のための例として使用される。それぞれの影付き小ブロックは、DMRSポートグループがマッピングされるREを指示し、n＝0、1、2、3、4、または5である。空白の小ブロックは、DMRSポートがマッピングされていないREを指示する。
【０１４４】
第2：
【０１４５】
DMRSポートグループがマッピングされる時間−周波数リソースは、周波数領域におけるリソースユニットのサブキャリアnを含む。
【０１４６】
nは0以上かつM未満の任意の1つ以上の整数であり得る。
【０１４７】
図10の（b）は、6つのDMRSポートのマッピング規則の概略図である。それぞれの影付き小ブロックは、DMRSポートグループがマッピングされるREを指示し、n＝0、1、2、3、4、5、6、7、8、9、10または11である。
【０１４８】
2．6つのDMRSポートがマッピングされる時間−周波数リソースは、時間領域におけるリソースユニットの第1のシンボルおよび第2のシンボルを含む。
【０１４９】
（1）6つのDMRSポートは、第1のDMRSポート、第2のDMRSポート、第3のDMRSポート、第4のDMRSポート、第5のDMRSポート、および第6のDMRSポートを含む。6つのDMRSポートのマッピング規則は次のとおりである。
【０１５０】
第1：6つのDMRSポートがマッピングされる時間−周波数リソースは、周波数領域におけるリソースユニットのサブキャリアを含み、サブキャリアは、図7の（a）に対応する第1の解決策のサブキャリアと同じである。この場合、図11の（a）に例が示される。
【０１５１】
第2：6つのDMRSポートがマッピングされる時間−周波数リソースは、周波数領域におけるリソースユニットのサブキャリアを含み、サブキャリアは、図7の（b）に対応する第2の解決策のサブキャリアと同じである。この場合、図11の（b）に例が示される。
【０１５２】
第3：各DMRSポートグループがマッビングされる時間−周波数リソースは、第1のシンボルおよび第2のシンボルを含む。
【０１５３】
第1のDMRSポートがマッピングされる時間−周波数リソースが時間領域における第1のシンボルである場合、時間−周波数リソースは周波数領域におけるリソースユニットのサブキャリア6nを含み、第1のDMRSポートがマッピングされる時間−周波数リソースが時間領域における第2のシンボルである場合、時間−周波数リソースは周波数領域におけるリソースユニットのサブキャリア6n＋3を含む。
【０１５４】
第2のDMRSポートがマッピングされる時間−周波数リソースが時間領域における第1のシンボルである場合、時間−周波数リソースは周波数領域におけるリソースユニットのサブキャリア6n＋1を含み、第2のDMRSポートがマッピングされる時間−周波数リソースが時間領域における第2のシンボルである場合、時間−周波数リソースは周波数領域におけるリソースユニットのサブキャリア6n＋4を含む。
【０１５５】
第3のDMRSポートがマッピングされる時間−周波数リソースが時間領域における第1のシンボルである場合、時間−周波数リソースは周波数領域におけるリソースユニットのサブキャリア6n＋2を含み、第3のDMRSポートがマッピングされる時間−周波数リソースが時間領域における第2のシンボルである場合、時間−周波数リソースは周波数領域におけるリソースユニットのサブキャリア6n＋5を含む。
【０１５６】
第4のDMRSポートがマッピングされる時間−周波数リソースが時間領域における第1のシンボルである場合、時間−周波数リソースは周波数領域におけるリソースユニットのサブキャリア6n＋3を含み、第4のDMRSポートがマッピングされる時間−周波数リソースが時間領域における第2のシンボルである場合、時間−周波数リソースは周波数領域におけるリソースユニットのサブキャリア6nを含む。
【０１５７】
第5のDMRSポートがマッピングされる時間−周波数リソースが時間領域における第1のシンボルである場合、時間−周波数リソースは周波数領域におけるリソースユニットのサブキャリア6n＋4を含み、第5のDMRSポートがマッピングされる時間−周波数リソースが時間領域における第2のシンボルである場合、時間−周波数リソースは周波数領域におけるリソースユニットのサブキャリア6n＋1を含む。
【０１５８】
第6のDMRSポートがマッピングされる時間−周波数リソースが時間領域における第1のシンボルである場合、時間−周波数リソースは周波数領域におけるリソースユニットのサブキャリア6n＋5を含み、第6のDMRSポートがマッピングされる時間−周波数リソースが時間領域における第2のシンボルである場合、時間−周波数リソースは周波数領域におけるリソースユニットのサブキャリア6n＋2を含む。
【０１５９】
nは0以上かつ
【数１３】
0006943974.tif 000014
未満の任意の1つ以上の整数であり得る。
【０１６０】
図11の（c）は、6つのDMRSポートのマッピング規則の概略図である。それぞれの影付き小ブロックは、DMRSポートがマッピングされるREを指示し、n＝0または1である。
【０１６１】
第4：各DMRSポートグループがマッビングされる時間−周波数リソースは、第1のシンボルおよび第2のシンボルを含む。
【０１６２】
第1のDMRSポートがマッピングされる時間−周波数リソースが時間領域における第1のシンボルである場合、時間−周波数リソースは周波数領域におけるリソースユニットのサブキャリア12nおよびサブキャリア12n＋1のうちの少なくとも1つを含み、第1のDMRSポートがマッピングされる時間−周波数リソースが時間領域における第2のシンボルである場合、時間−周波数リソースは周波数領域におけるリソースユニットのサブキャリア12n＋6およびサブキャリア12n＋7のうちの少なくとも1つを含む。
【０１６３】
第2のDMRSポートがマッピングされる時間−周波数リソースが時間領域における第1のシンボルである場合、時間−周波数リソースは周波数領域におけるリソースユニットのサブキャリア12n＋2およびサブキャリア12n＋3のうちの少なくとも1つを含み、第2のDMRSポートがマッピングされる時間−周波数リソースが時間領域における第2のシンボルである場合、時間−周波数リソースは周波数領域におけるリソースユニットのサブキャリア12n＋8およびサブキャリア12n＋9のうちの少なくとも1つを含む。
【０１６４】
第3のDMRSポートがマッピングされる時間−周波数リソースが時間領域における第1のシンボルである場合、時間−周波数リソースは周波数領域におけるリソースユニットのサブキャリア12n＋4およびサブキャリア12n＋5のうちの少なくとも1つを含み、第3のDMRSポートがマッピングされる時間−周波数リソースが時間領域における第2のシンボルである場合、時間−周波数リソースは周波数領域におけるリソースユニットのサブキャリア12n＋10およびサブキャリア12n＋11のうちの少なくとも1つを含む。
【０１６５】
第4のDMRSポートがマッピングされる時間−周波数リソースが時間領域における第1のシンボルである場合、時間−周波数リソースは周波数領域におけるリソースユニットのサブキャリア12n＋6およびサブキャリア12n＋7のうちの少なくとも1つを含み、第4のDMRSポートがマッピングされる時間−周波数リソースが時間領域における第2のシンボルである場合、時間−周波数リソースは周波数領域におけるリソースユニットのサブキャリア12nおよびサブキャリア12n＋1のうちの少なくとも1つを含む。
【０１６６】
第5のDMRSポートがマッピングされる時間−周波数リソースが時間領域における第1のシンボルである場合、時間−周波数リソースは周波数領域におけるリソースユニットのサブキャリア12n＋8およびサブキャリア12n＋9のうちの少なくとも1つを含み、第5のDMRSポートがマッピングされる時間−周波数リソースが時間領域における第2のシンボルである場合、時間−周波数リソースは周波数領域におけるリソースユニットのサブキャリア12n＋2およびサブキャリア12n＋3のうちの少なくとも1つを含む。
【０１６７】
第6のDMRSポートがマッピングされる時間−周波数リソースが時間領域における第1のシンボルである場合、時間−周波数リソースは周波数領域におけるリソースユニットのサブキャリア12n＋10およびサブキャリア12n＋11のうちの少なくとも1つを含み、第6のDMRSポートがマッピングされる時間−周波数リソースが時間領域における第2のシンボルである場合、時間−周波数リソースは周波数領域におけるリソースユニットのサブキャリア12n＋4およびサブキャリア12n＋5のうちの少なくとも1つを含む。
【０１６８】
nは0以上かつ
【数１４】
0006943974.tif 000015
以下の任意の1つ以上の整数であり得る。
【０１６９】
図11の（d）は、6つのDMRSポートのマッピング規則の概略図である。それぞれの影付き小ブロックは、DMRSポートグループがマッピングされるREを指示し、n＝0である。
【０１７０】
（2）6つのDMRSポートは3つのDMRSポートグループに分割され、各DMRSポートグループは2つのDMRSポートを含む。3つのDMRSポートグループは、第1のDMRSポートグループ、第2のDMRSポートグループ、および第3のDMRSポートグループを含む。同じ時間−周波数リソースが、各DMRSポートグループにおけるDMRSポートに対応するDMRSのためにCDM方式で多重化される。3つのDMRSポートグループのマッピング規則は次のとおりである。
【０１７１】
第1：各DMRSポートグループがマッビングされる時間−周波数リソースは、第1のシンボルおよび第2のシンボルを含み、各DMRSポートグループが周波数領域においてマッピングされる時間−周波数リソースについては、図8の（a）に対応する第1の解決策が参照され得る。この場合、図12の（a）に例が示される。この解決策では、ポートは、周波数領域において均等に分散され、2つのシンボル上に分散され、高い密度を有する。これにより、様々なシナリオで高いチャネル推定精度が確保される。加えて、ポートは、均等に分散されるが、周波数領域において相互に分離している。従って、この解決策は、低いPAPRの特徴を有し、マルチキャリア送信シナリオとシングルキャリア送信シナリオとの両方に適用可能であり、それにより、アップリンクおよびダウンリンク送信またはマルチ波形送信の統合設計が容易になり、また、この解決策は、MU−MIMOシナリオに適用可能であり、それによりシステムのDMRS指示のオーバーヘッドおよび設計の複雑さが軽減される。加えて、この解決策では、各ポートグループにおけるより多くのポートのために多重化を実行するための方法は、元のポートマッピングを変更せずに、より多くのポートを介した送信をサポートする。従って、この解決策はより一般的に使用される。加えて、ポートは周波数領域において均等にマッピングされ、それにより柔軟なスケジューリングが容易になる。さらに、パワーブースティングまたはデータ送信が、占有されていないポートグループの位置で実行され得る。CDMの長さが短く、それによりポート間のより良い直交性を確保する。
【０１７２】
第2：各DMRSポートグループがマッビングされる時間−周波数リソースは、第1のシンボルおよび第2のシンボルを含み、各DMRSポートグループが周波数領域においてマッピングされる時間−周波数リソースについては、図8の（b）に対応する第2の解決策が参照され得る。この場合、図12の（b）に例が示される。
【０１７３】
第3：各DMRSポートグループがマッビングされる時間−周波数リソースは、第1のシンボルおよび第2のシンボルを含む。
【０１７４】
第1のDMRSポートグループがマッピングされる時間−周波数リソースが時間領域における第1のシンボルである場合、時間−周波数リソースは周波数領域におけるリソースユニットのサブキャリア3nを含み、第1のDMRSポートグループがマッピングされる時間−周波数リソースが時間領域における第2のシンボルである場合、時間−周波数リソースは周波数領域におけるリソースユニットのサブキャリア3n＋2を含む。
【０１７５】
第2のDMRSポートグループがマッピングされる時間−周波数リソースが時間領域における第1のシンボルである場合、時間−周波数リソースは周波数領域におけるリソースユニットのサブキャリア3n＋1を含み、第2のDMRSポートグループがマッピングされる時間−周波数リソースが時間領域における第2のシンボルである場合、時間−周波数リソースは周波数領域におけるリソースユニットのサブキャリア3nを含む。
【０１７６】
第3のDMRSポートグループがマッピングされる時間−周波数リソースが時間領域における第1のシンボルである場合、時間−周波数リソースは周波数領域におけるリソースユニットのサブキャリア3n＋2を含み、第3のDMRSポートグループがマッピングされる時間−周波数リソースが時間領域における第2のシンボルである場合、時間−周波数リソースは周波数領域におけるリソースユニットのサブキャリア3n＋1を含む。
【０１７７】
nは0以上かつ
【数１５】
0006943974.tif 000016
未満の任意の1つ以上の整数であり得る。
【０１７８】
図12の（c）は、6つのDMRSポートのマッピング規則の概略図である。それぞれの影付き小ブロックは、DMRSポートグループがマッピングされるREを指示し、n＝0、1、2、または3である。
【０１７９】
第4：各DMRSポートグループがマッビングされる時間−周波数リソースは、第1のシンボルおよび第2のシンボルを含む。
【０１８０】
第1のDMRSポートグループがマッピングされる時間−周波数リソースが時間領域における第1のシンボルである場合、時間−周波数リソースは周波数領域におけるリソースユニットのサブキャリア3nを含み、第1のDMRSポートグループがマッピングされる時間−周波数リソースが時間領域における第2のシンボルである場合、時間−周波数リソースは周波数領域におけるリソースユニットのサブキャリア3n＋1を含む。
【０１８１】
第2のDMRSポートグループがマッピングされる時間−周波数リソースが時間領域における第1のシンボルである場合、時間−周波数リソースは周波数領域におけるリソースユニットのサブキャリア3n＋1を含み、第2のDMRSポートグループがマッピングされる時間−周波数リソースが時間領域における第2のシンボルである場合、時間−周波数リソースは周波数領域におけるリソースユニットのサブキャリア3n＋2を含む。
【０１８２】
第3のDMRSポートグループがマッピングされる時間−周波数リソースが時間領域における第1のシンボルである場合、時間−周波数リソースは周波数領域におけるリソースユニットのサブキャリア3n＋2を含み、第3のDMRSポートグループがマッピングされる時間−周波数リソースが時間領域における第2のシンボルである場合、時間−周波数リソースは周波数領域におけるリソースユニットのサブキャリア3nを含む。
【０１８３】
nは0以上かつ
【数１６】
0006943974.tif 000017
未満の任意の1つ以上の整数であり得る。
【０１８４】
図12の（d）は、6つのDMRSポートのマッピング規則の概略図である。それぞれの影付き小ブロックは、DMRSポートグループがマッピングされるREを指示し、n＝0、1、2、または3である。
【０１８５】
第5：各DMRSポートグループがマッビングされる時間−周波数リソースは、第1のシンボルおよび第2のシンボルを含む。
【０１８６】
第1のDMRSポートグループがマッピングされる時間−周波数リソースが時間領域における第1のシンボルである場合、時間−周波数リソースは周波数領域におけるリソースユニットのサブキャリア12n、サブキャリア12n＋1、サブキャリア12n＋6、およびサブキャリア12n＋7のうちの少なくとも1つを含み、第1のDMRSポートグループがマッピングされる時間−周波数リソースが時間領域における第2のシンボルである場合、時間−周波数リソースは周波数領域におけるリソースユニットのサブキャリア12n＋4、サブキャリア12n＋5、サブキャリア12n＋10、およびサブキャリア12n＋11のうちの少なくとも1つを含む。
【０１８７】
第2のDMRSポートグループがマッピングされる時間−周波数リソースが時間領域における第1のシンボルである場合、時間−周波数リソースは周波数領域におけるリソースユニットのサブキャリア12n＋2、サブキャリア12n＋3、サブキャリア12n＋8、およびサブキャリア12n＋9のうちの少なくとも1つを含み、第2のDMRSポートグループがマッピングされる時間−周波数リソースが時間領域における第2のシンボルである場合、時間−周波数リソースは周波数領域におけるリソースユニットのサブキャリア12n、サブキャリア12n＋1、サブキャリア12n＋6、およびサブキャリア12n＋7のうちの少なくとも1つを含む。
【０１８８】
第3のDMRSポートグループがマッピングされる時間−周波数リソースが時間領域における第1のシンボルである場合、時間−周波数リソースは周波数領域におけるリソースユニットのサブキャリア12n＋4、サブキャリア12n＋5、サブキャリア12n＋10、およびサブキャリア12n＋11のうちの少なくとも1つを含み、第3のDMRSポートグループがマッピングされる時間−周波数リソースが時間領域における第2のシンボルである場合、時間−周波数リソースは周波数領域におけるリソースユニットのサブキャリア12n＋2、サブキャリア12n＋3、サブキャリア12n＋8、およびサブキャリア12n＋9のうちの少なくとも1つを含む。
【０１８９】
nは0以上かつ
【数１７】
0006943974.tif 000018
未満の任意の1つ以上の整数であり得る。
【０１９０】
図12の（e）は、6つのDMRSポートのマッピング規則の概略図である。それぞれの影付き小ブロックは、DMRSポートグループがマッピングされるREを指示し、n＝0である。
【０１９１】
第6：各DMRSポートグループがマッビングされる時間−周波数リソースは、第1のシンボルおよび第2のシンボルを含む。
【０１９２】
第1のDMRSポートグループがマッピングされる時間−周波数リソースが時間領域における第1のシンボルである場合、時間−周波数リソースは周波数領域におけるリソースユニットのサブキャリア12n、サブキャリア12n＋1、サブキャリア12n＋6、およびサブキャリア12n＋7のうちの少なくとも1つを含み、第1のDMRSポートグループがマッピングされる時間−周波数リソースが時間領域における第2のシンボルである場合、時間−周波数リソースは周波数領域におけるリソースユニットのサブキャリア12n＋2、サブキャリア12n＋3、サブキャリア12n＋8、およびサブキャリア12n＋9のうちの少なくとも1つを含む。
【０１９３】
第2のDMRSポートグループがマッピングされる時間−周波数リソースが時間領域における第1のシンボルである場合、時間−周波数リソースは周波数領域におけるリソースユニットのサブキャリア12n＋2、サブキャリア12n＋3、サブキャリア12n＋8、およびサブキャリア12n＋9のうちの少なくとも1つを含み、第2のDMRSポートグループがマッピングされる時間−周波数リソースが時間領域における第2のシンボルである場合、時間−周波数リソースは周波数領域におけるリソースユニットのサブキャリア12n＋4、サブキャリア12n＋5、サブキャリア12n＋10、およびサブキャリア12n＋11のうちの少なくとも1つを含む。
【０１９４】
第3のDMRSポートグループがマッピングされる時間−周波数リソースが時間領域における第1のシンボルである場合、時間−周波数リソースは周波数領域におけるリソースユニットのサブキャリア12n＋4、サブキャリア12n＋5、サブキャリア12n＋10、およびサブキャリア12n＋11のうちの少なくとも1つを含み、第3のDMRSポートグループがマッピングされる時間−周波数リソースが時間領域における第2のシンボルである場合、時間−周波数リソースは周波数領域におけるリソースユニットのサブキャリア12n、サブキャリア12n＋1、サブキャリア12n＋6、およびサブキャリア12n＋7のうちの少なくとも1つを含む。
【０１９５】
nは0以上かつ
【数１８】
0006943974.tif 000019
未満の任意の1つ以上の整数であり得る。
【０１９６】
図12の（f）は、6つのDMRSポートのマッピング規則の概略図である。それぞれの影付き小ブロックは、DMRSポートグループがマッピングされるREを指示し、n＝0である。
【０１９７】
（3）6つのDMRSポートは2つのDMRSポートグループに分割され、各DMRSポートグループは3つのDMRSポートを含む。2つのDMRSポートグループは、第1のDMRSポートグループおよび第2のDMRSポートグループを含む。同じ時間−周波数リソースが、各DMRSポートグループにおけるDMRSポートに対応するDMRSのためにCDM方式で多重化される。2つのDMRSポートグループのマッピング規則は次のとおりである。
【０１９８】
第1：各DMRSポートグループがマッビングされる時間−周波数リソースは、第1のシンボルおよび第2のシンボルを含み、各DMRSポートグループが周波数領域においてマッピングされる時間−周波数リソースについては、図9の（a）に対応する第1の解決策が参照され得る。この場合、図13の（a）に例が示される。この解決策では、ポートは、周波数領域において均等に分散され、両方のシンボル上に分散され、高い密度を有する。これにより、様々なシナリオで高いチャネル推定精度が確保される。加えて、ポートは、均等に分散されるが、周波数領域において相互に分離している。従って、この解決策は、低いPAPRの特徴を有し、マルチキャリア送信シナリオとシングルキャリア送信シナリオとの両方に適用可能であり、それにより、アップリンクおよびダウンリンク送信またはマルチ波形送信の統合設計が容易になり、また、この解決策は、MU−MIMOシナリオに適用可能であり、それによりシステムのDMRS指示のオーバーヘッドおよび設計の複雑さが軽減される。加えて、この解決策では、各ポートグループにおけるより多くのポートのために多重化を実行するための方法は、元のポートマッピングを変更せずに、より多くのポートを介した送信をサポートする。従って、この解決策はより一般的に使用される。加えて、ポートは周波数領域において均等にマッピングされ、それにより柔軟なスケジューリングが容易になる。さらに、パワーブースティングまたはデータ送信が、占有されていないポートグループの位置で実行され得る。加えて、ポートグループにおけるCDMの長さが短く、それによりポート間のより良い直交性を確保する。
【０１９９】
第2：各DMRSポートグループがマッビングされる時間−周波数リソースは、第1のシンボルおよび第2のシンボルを含み、各DMRSポートグループが周波数領域においてマッピングされる時間−周波数リソースについては、図9の（b）に対応する第2の解決策が参照され得る。この場合、図13の（b）に例が示される。
【０２００】
第3：各DMRSポートグループがマッビングされる時間−周波数リソースは、第1のシンボルおよび第2のシンボルを含む。
【０２０１】
第1のDMRSポートグループがマッピングされる時間−周波数リソースが時間領域における第1のシンボルである場合、時間−周波数リソースは周波数領域におけるリソースユニットのサブキャリア2nを含み、第1のDMRSポートグループがマッピングされる時間−周波数リソースが時間領域における第2のシンボルである場合、時間−周波数リソースは周波数領域におけるリソースユニットのサブキャリア2n＋1を含む。
【０２０２】
第2のDMRSポートグループがマッピングされる時間−周波数リソースが時間領域における第1のシンボルである場合、時間−周波数リソースは周波数領域におけるリソースユニットのサブキャリア2n＋1を含み、第2のDMRSポートグループがマッピングされる時間−周波数リソースが時間領域における第2のシンボルである場合、時間−周波数リソースは周波数領域におけるリソースユニットのサブキャリア2nを含む。
【０２０３】
nは0以上かつ
【数１９】
0006943974.tif 000020
未満の任意の1つ以上の整数であり得る。
【０２０４】
図13の（c）は、6つのDMRSポートのマッピング規則の概略図である。それぞれの影付き小ブロックは、DMRSポートグループがマッピングされるREを指示し、n＝0、1、2、3、4、または5である。
【０２０５】
第4：各DMRSポートグループがマッビングされる時間−周波数リソースは、第1のシンボルおよび第2のシンボルを含む。
【０２０６】
第1のDMRSポートグループがマッピングされる時間−周波数リソースが時間領域における第1のシンボルである場合、時間−周波数リソースは周波数領域におけるリソースユニットのサブキャリア12n、サブキャリア12n＋1、サブキャリア12n＋2、サブキャリア12n＋6、サブキャリア12n＋7、およびサブキャリア12n＋8のうちの少なくとも1つを含み、第1のDMRSポートグループがマッピングされる時間−周波数リソースが時間領域における第2のシンボルである場合、時間−周波数リソースは周波数領域におけるリソースユニットのサブキャリア12n＋3、サブキャリア12n＋4、サブキャリア12n＋5、サブキャリア12n＋9、サブキャリア12n＋10、およびサブキャリア12n＋11のうちの少なくとも1つを含む。
【０２０７】
第2のDMRSポートグループがマッピングされる時間−周波数リソースが時間領域における第1のシンボルである場合、時間−周波数リソースは周波数領域におけるリソースユニットのサブキャリア12n＋3、サブキャリア12n＋4、サブキャリア12n＋5、サブキャリア12n＋9、サブキャリア12n＋10、およびサブキャリア12n＋11のうちの少なくとも1つを含み、第2のDMRSポートグループがマッピングされる時間−周波数リソースが時間領域における第2のシンボルである場合、時間−周波数リソースは周波数領域におけるリソースユニットのサブキャリア12n、サブキャリア12n＋1、サブキャリア12n＋2、サブキャリア12n＋6、サブキャリア12n＋7、およびサブキャリア12n＋8のうちの少なくとも1つを含む。
【０２０８】
nは0以上かつ
【数２０】
0006943974.tif 000021
未満の任意の1つ以上の整数であり得る。
【０２０９】
図13の（d）は、6つのDMRSポートのマッピング規則の概略図である。それぞれの影付き小ブロックは、DMRSポートグループがマッピングされるREを指示し、n＝0である。
【０２１０】
第5：各DMRSポートグループがマッビングされる時間−周波数リソースは、第1のシンボルおよび第2のシンボルを含む。
【０２１１】
第1のDMRSポートグループがマッピングされる時間−周波数リソースが時間領域における第1のシンボルおよび第2のシンボルである場合、時間−周波数リソースは周波数領域におけるリソースユニットのサブキャリア12n、サブキャリア12n＋1、サブキャリア12n＋4、サブキャリア12n＋5、サブキャリア12n＋8、およびサブキャリア12n＋9のうちの少なくとも1つを含む。
【０２１２】
第2のDMRSポートグループがマッピングされる時間−周波数リソースが時間領域における第1のシンボルおよび第2のシンボルである場合、時間−周波数リソースは周波数領域におけるリソースユニットのサブキャリア12n＋2、サブキャリア12n＋3、サブキャリア12n＋6、サブキャリア12n＋7、サブキャリア12n＋10、およびサブキャリア12n＋11のうちの少なくとも1つを含む。
【０２１３】
nは0以上かつ
【数２１】
0006943974.tif 000022
未満の任意の1つ以上の整数であり得る。
【０２１４】
図13の（e）は、6つのDMRSポートのマッピング規則の概略図である。それぞれの影付き小ブロックは、DMRSポートグループがマッピングされるREを指示し、n＝0である。
【０２１５】
第6：各DMRSポートグループがマッビングされる時間−周波数リソースは、第1のシンボルおよび第2のシンボルを含む。
【０２１６】
第1のDMRSポートグループがマッピングされる時間−周波数リソースが時間領域における第1のシンボルである場合、時間−周波数リソースは周波数領域におけるリソースユニットのサブキャリア12n、サブキャリア12n＋1、サブキャリア12n＋4、サブキャリア12n＋5、サブキャリア12n＋8、およびサブキャリア12n＋9のうちの少なくとも1つを含み、第1のDMRSポートグループがマッピングされる時間−周波数リソースが時間領域における第2のシンボルである場合、時間−周波数リソースは周波数領域におけるリソースユニットのサブキャリア12n＋2、サブキャリア12n＋3、サブキャリア12n＋6、サブキャリア12n＋7、サブキャリア12n＋10、およびサブキャリア12n＋11のうちの少なくとも1つを含む。
【０２１７】
第2のDMRSポートグループがマッピングされる時間−周波数リソースが時間領域における第1のシンボルである場合、時間−周波数リソースは周波数領域におけるリソースユニットのサブキャリア12n＋2、サブキャリア12n＋3、サブキャリア12n＋6、サブキャリア12n＋7、サブキャリア12n＋10、およびサブキャリア12n＋11のうちの少なくとも1つを含み、第2のDMRSポートグループがマッピングされる時間−周波数リソースが時間領域における第2のシンボルである場合、時間−周波数リソースは周波数領域におけるリソースユニットのサブキャリア12n、サブキャリア12n＋1、サブキャリア12n＋4、サブキャリア12n＋5、サブキャリア12n＋8、およびサブキャリア12n＋9のうちの少なくとも1つを含む。
【０２１８】
nは0以上かつ
【数２２】
0006943974.tif 000023
未満の任意の1つ以上の整数であり得る。
【０２１９】
図13の（f）は、6つのDMRSポートのマッピング規則の概略図である。それぞれの影付き小ブロックは、DMRSポートグループがマッピングされるREを指示し、n＝0である。
【０２２０】
（4）同じ時間−周波数リソースが、6つのDMRSポートに対応するDMRSのためにCDM方式で多重化される。この場合、6つのDMRSポートは1つのDMRSポートグループと見なされ得る。DMRSポートグループのマッピング規則は次のとおりである。
【０２２１】
第1：DMRSポートグループがマッビングされる時間−周波数リソースは、第1のシンボルおよび第2のシンボルを含み、DMRSポートグループが周波数領域においてマッピングされる時間−周波数リソースについては、図10の（a）に対応する第1の解決策が参照され得る。この場合、図14の（a）に例が示される。
【０２２２】
第2：DMRSポートグループがマッビングされる時間−周波数リソースは、第1のシンボルおよび第2のシンボルを含み、DMRSポートグループが周波数領域においてマッピングされる時間−周波数リソースについては、図10の（b）に対応する第2の解決策が参照され得る。この場合、図14の（b）に例が示される。
【０２２３】
第3：
【０２２４】
DMRSポートグループがマッピングされる時間−周波数リソースが時間領域における第1のシンボルである場合、時間−周波数リソースは周波数領域におけるリソースユニットのサブキャリア2nを含み、DMRSポートグループがマッピングされる時間−周波数リソースが時間領域における第2のシンボルである場合、時間−周波数リソースは周波数領域におけるリソースユニットのサブキャリア2n＋1を含む。
【０２２５】
nは0以上かつ
【数２３】
0006943974.tif 000024
未満の任意の1つ以上の整数であり得る。
【０２２６】
図14の（c）は、6つのDMRSポートのマッピング規則の概略図である。それぞれの影付き小ブロックは、DMRSポートグループがマッピングされるREを指示し、n＝0、1、2、3、4、または5である。空白の小ブロックは、DMRSポートがマッピングされていないREを指示する。
【０２２７】
システムがサポートするDMRSポートの総数は8である。
【０２２８】
1．8つのDMRSポートがマッピングされる時間−周波数リソースは、時間領域におけるリソースユニットの第1のシンボルを含む。
【０２２９】
8つのDMRSポートは4つのDMRSポートグループに分割され、各DMRSポートグループは2つのDMRSポートを含む。4つのDMRSポートグループは、第1のDMRSポートグループ、第2のDMRSポートグループ、第3のDMRSポートグループ、および第4のDMRSポートグループを含む。同じ時間−周波数リソースが、各DMRSポートグループにおけるDMRSポートに対応するDMRSのためにCDM方式で多重化される。4つのDMRSポートグループのマッピング規則は次のとおりである。
【０２３０】
第1のDMRSポートグループがマッピングされる時間−周波数リソースは、周波数領域におけるリソースユニットのサブキャリア12n、サブキャリア12n＋1、およびサブキャリア12n＋2のうちの少なくとも1つを含む。
【０２３１】
第2のDMRSポートグループがマッピングされる時間−周波数リソースは、周波数領域におけるリソースユニットのサブキャリア12n＋3、サブキャリア12n＋4、およびサブキャリア12n＋5のうちの少なくとも1つを含む。
【０２３２】
第3のDMRSポートグループがマッピングされる時間−周波数リソースは、周波数領域におけるリソースユニットのサブキャリア12n＋6、サブキャリア12n＋7、およびサブキャリア12n＋8のうちの少なくとも1つを含む。
【０２３３】
第4のDMRSポートグループがマッピングされる時間−周波数リソースは、周波数領域におけるリソースユニットのサブキャリア12n＋9、サブキャリア12n＋10、およびサブキャリア12n＋11のうちの少なくとも1つを含む。
【０２３４】
nは0以上かつ
【数２４】
0006943974.tif 000025
未満の任意の1つ以上の整数であり得る。
【０２３５】
図15は、8つのDMRSポートのマッピング規則の概略図である。それぞれの影付き小ブロックは、DMRSポートグループがマッピングされるREを指示し、n＝0である。
【０２３６】
2．8つのDMRSポートがマッピングされる時間−周波数リソースは、時間領域におけるリソースユニットの第1のシンボルおよび第2のシンボルを含む。
【０２３７】
（1）8つのDMRSポートは4つのDMRSポートグループに分割され、各DMRSポートグループは2つのDMRSポートを含む。4つのDMRSポートグループは、第1のDMRSポートグループ、第2のDMRSポートグループ、第3のDMRSポートグループ、および第4のDMRSポートグループを含む。同じ時間−周波数リソースが、各DMRSポートグループにおけるDMRSポートに対応するDMRSのためにCDM方式で多重化される。4つのDMRSポートグループのマッピング規則は次のとおりである。
【０２３８】
第1：各DMRSポートグループがマッビングされる時間−周波数リソースは、第1のシンボルおよび第2のシンボルを含み、各DMRSポートグループが周波数領域においてマッピングされる時間−周波数リソースについては、図15に対応する解決策が参照され得る。この場合、図16の（a）に例が示される。
【０２３９】
第2：各DMRSポートグループがマッビングされる時間−周波数リソースは、第1のシンボルおよび第2のシンボルを含む。
【０２４０】
第1のDMRSポートグループがマッピングされる時間−周波数リソースが時間領域における第1のシンボルである場合、時間−周波数リソースは周波数領域におけるリソースユニットのサブキャリア12n、サブキャリア12n＋1、およびサブキャリア12n＋2のうちの少なくとも1つを含み、第1のDMRSポートグループがマッピングされる時間−周波数リソースが時間領域における第2のシンボルである場合、時間−周波数リソースは周波数領域におけるリソースユニットのサブキャリア12n＋6、サブキャリア12n＋7、およびサブキャリア12n＋8のうちの少なくとも1つを含む。
【０２４１】
第2のDMRSポートグループがマッピングされる時間−周波数リソースが時間領域における第1のシンボルである場合、時間−周波数リソースは周波数領域におけるリソースユニットのサブキャリア12n＋3、サブキャリア12n＋4、およびサブキャリア12n＋5のうちの少なくとも1つを含み、第2のDMRSポートグループがマッピングされる時間−周波数リソースが時間領域における第2のシンボルである場合、時間−周波数リソースは周波数領域におけるリソースユニットのサブキャリア12n＋9、サブキャリア12n＋10、およびサブキャリア12n＋11のうちの少なくとも1つを含む。
【０２４２】
第3のDMRSポートグループがマッピングされる時間−周波数リソースが時間領域における第1のシンボルである場合、時間−周波数リソースは周波数領域におけるリソースユニットのサブキャリア12n＋6、サブキャリア12n＋7、およびサブキャリア12n＋8のうちの少なくとも1つを含み、第3のDMRSポートグループがマッピングされる時間−周波数リソースが時間領域における第2のシンボルである場合、時間−周波数リソースは周波数領域におけるリソースユニットのサブキャリア12n、サブキャリア12n＋1、およびサブキャリア12n＋2のうちの少なくとも1つを含む。
【０２４３】
第4のDMRSポートグループがマッピングされる時間−周波数リソースが時間領域における第1のシンボルである場合、時間−周波数リソースは周波数領域におけるリソースユニットのサブキャリア12n＋9、サブキャリア12n＋10、およびサブキャリア12n＋11のうちの少なくとも1つを含み、第4のDMRSポートグループがマッピングされる時間−周波数リソースが時間領域における第2のシンボルである場合、時間−周波数リソースは周波数領域におけるリソースユニットのサブキャリア12n＋3、サブキャリア12n＋4、およびサブキャリア12n＋5のうちの少なくとも1つを含む。
【０２４４】
nは0以上かつ
【数２５】
0006943974.tif 000026
未満の任意の1つ以上の整数であり得る。
【０２４５】
図16の（b）は、8つのDMRSポートのマッピング規則の概略図である。それぞれの影付き小ブロックは、DMRSポートグループがマッピングされるREを指示し、n＝0である。
【０２４６】
第3：各DMRSポートグループがマッビングされる時間−周波数リソースは、第1のシンボルおよび第2のシンボルを含む。
【０２４７】
第1のDMRSポートグループがマッピングされる時間−周波数リソースが時間領域における第1のシンボルである場合、時間−周波数リソースは周波数領域におけるリソースユニットのサブキャリア12n、サブキャリア12n＋4、およびサブキャリア12n＋8のうちの少なくとも1つを含み、第1のDMRSポートグループがマッピングされる時間−周波数リソースが時間領域における第2のシンボルである場合、時間−周波数リソースは周波数領域におけるリソースユニットのサブキャリア12n＋2、サブキャリア12n＋6、およびサブキャリア12n＋10のうちの少なくとも1つを含む。
【０２４８】
第2のDMRSポートグループがマッピングされる時間−周波数リソースが時間領域における第1のシンボルである場合、時間−周波数リソースは周波数領域におけるリソースユニットのサブキャリア12n＋1、サブキャリア12n＋5、およびサブキャリア12n＋9のうちの少なくとも1つを含み、第2のDMRSポートグループがマッピングされる時間−周波数リソースが時間領域における第2のシンボルである場合、時間−周波数リソースは周波数領域におけるリソースユニットのサブキャリア12n＋3、サブキャリア12n＋7、およびサブキャリア12n＋11のうちの少なくとも1つを含む。
【０２４９】
第3のDMRSポートグループがマッピングされる時間−周波数リソースが時間領域における第1のシンボルである場合、時間−周波数リソースは周波数領域におけるリソースユニットのサブキャリア12n＋2、サブキャリア12n＋6、およびサブキャリア12n＋10のうちの少なくとも1つを含み、第3のDMRSポートグループがマッピングされる時間−周波数リソースが時間領域における第2のシンボルである場合、時間−周波数リソースは周波数領域におけるリソースユニットのサブキャリア12n、サブキャリア12n＋4、およびサブキャリア12n＋8のうちの少なくとも1つを含む。
【０２５０】
第4のDMRSポートグループがマッピングされる時間−周波数リソースが時間領域における第1のシンボルである場合、時間−周波数リソースは周波数領域におけるリソースユニットのサブキャリア12n＋3、サブキャリア12n＋7、およびサブキャリア12n＋11のうちの少なくとも1つを含み、第4のDMRSポートグループがマッピングされる時間−周波数リソースが時間領域における第2のシンボルである場合、時間−周波数リソースは周波数領域におけるリソースユニットのサブキャリア12n＋1、サブキャリア12n＋5、およびサブキャリア12n＋9のうちの少なくとも1つを含む。
【０２５１】
nは0以上かつ
【数２６】
0006943974.tif 000027
未満の任意の1つ以上の整数であり得る。
【０２５２】
図16の（c）は、8つのDMRSポートのマッピング規則の概略図である。それぞれの影付き小ブロックは、DMRSポートグループがマッピングされるREを指示し、n＝0である。
【０２５３】
第4：第1および第2のDMRSポートグループがマッピングされる時間−周波数リソースは時間領域において第1のシンボルを含み、第3および第4のDMRSポートグループがマッピングされる時間−周波数リソースは時間領域において第2のシンボルを含む。
【０２５４】
第1のDMRSポートグループがマッピングされる時間−周波数リソースが時間領域における第1のシンボルである場合、時間−周波数リソースは周波数領域におけるリソースユニットのサブキャリア2nを含む。
【０２５５】
第2のDMRSポートグループがマッピングされる時間−周波数リソースが時間領域における第1のシンボルである場合、時間−周波数リソースは周波数領域におけるリソースユニットのサブキャリア2n＋1を含む。
【０２５６】
第3のDMRSポートグループがマッピングされる時間−周波数リソースが時間領域における第2のシンボルである場合、時間−周波数リソースは周波数領域におけるリソースユニットのサブキャリア2nを含む。
【０２５７】
第4のDMRSポートグループがマッピングされる時間−周波数リソースが時間領域における第2のシンボルである場合、時間−周波数リソースは周波数領域におけるリソースユニットのサブキャリア2n＋1を含む。
【０２５８】
nは0以上かつ
【数２７】
0006943974.tif 000028
未満の任意の1つ以上の整数であり得る。
【０２５９】
図16の（d）は、8つのDMRSポートのマッピング規則の概略図である。それぞれの影付き小ブロックは、DMRSポートグループがマッピングされるREを指示し、n＝0、1、2、3、4、または5である。この解決策では、ポートは、周波数領域に均等に分散され、高い密度を有する。これにより、様々なシナリオで高いチャネル推定精度が確保される。加えて、ポートは、均等に分散されるが、周波数領域において相互に分離している。従って、この解決策は、低いPAPRの特徴を有し、マルチキャリア送信シナリオとシングルキャリア送信シナリオとの両方に適用可能であり、それにより、アップリンクおよびダウンリンク送信またはマルチ波形送信の統合設計が容易になり、また、この解決策は、MU−MIMOシナリオに適用可能であり、それによりシステムのDMRS指示のオーバーヘッドおよび設計の複雑さが軽減される。この解決策では、各ポートは1つのシンボルにのみマッピングされる。従って、位相ノイズの影響は回避され、この解決策は高周波シナリオで使用され得る。この解決策では、異なる数のシンボルが異なるポートにも使用され、ポートマッピングの位置は固定され得る。従って、柔軟性が向上し、性能が確保され、オーバーヘッドが削減される。加えて、ポートは周波数領域において均等にマッピングされ、それにより柔軟なスケジューリングが容易になる。
【０２６０】
（2）8つのDMRSポートは2つのDMRSポートグループに分割され、各DMRSポートグループは4つのDMRSポートを含む。2つのDMRSポートグループは、第1のDMRSポートグループおよび第2のDMRSポートグループを含む。同じ時間−周波数リソースが、各DMRSポートグループにおけるDMRSポートに対応するDMRSのためにCDM方式で多重化される。2つのDMRSポートグループのマッピング規則は次のとおりである。
【０２６１】
第1：各DMRSポートグループがマッビングされる時間−周波数リソースは、第1のシンボルおよび第2のシンボルを含む。
【０２６２】
第1のDMRSポートグループがマッピングされる時間−周波数リソースが時間領域における第1のシンボルおよび第2のシンボルである場合、時間−周波数リソースは周波数領域におけるリソースユニットのサブキャリア12n、サブキャリア12n＋1、サブキャリア12n＋4、サブキャリア12n＋5、サブキャリア12n＋8、およびサブキャリア12n＋9のうちの少なくとも1つを含む。
【０２６３】
第2のDMRSポートグループがマッピングされる時間−周波数リソースが時間領域における第1のシンボルおよび第2のシンボルである場合、時間−周波数リソースは周波数領域におけるリソースユニットのサブキャリア12n＋2、サブキャリア12n＋3、サブキャリア12n＋6、サブキャリア12n＋7、サブキャリア12n＋10、およびサブキャリア12n＋11のうちの少なくとも1つを含む。
【０２６４】
nは0以上かつ
【数２８】
0006943974.tif 000029
未満の任意の1つ以上の整数であり得る。
【０２６５】
図17の（a）は、8つのDMRSポートのマッピング規則の概略図である。それぞれの影付き小ブロックは、DMRSポートグループがマッピングされるREを指示し、n＝0である。この解決策では、ポートは時間領域において2つのシンボルに均等に、また周波数領域において均等に分散され、高い密度を有する。これにより、様々なシナリオで高いチャネル推定精度が確保される。加えて、この解決策は、複数のタイプのキャリアシステムならびにアップリンクシステムおよびダウンリンクシステムに適用可能であり、それによりDMRS指示のオーバーヘッドおよび設計の複雑さを軽減している。この解決策では、各ポートは連続したREのみにマッピングされ、その結果、ポートグループにおけるポート間の直交性はチャネルによって影響されにくくなる。これにより、チャネル推定の精度が確保される。加えて、ポートは周波数領域において均等にマッピングされ、それにより柔軟なスケジューリングが容易になる。さらに、パワーブースティングまたはデータ送信が、占有されていないポートグループの位置で実行され得る。
【０２６６】
第2：各DMRSポートグループがマッビングされる時間−周波数リソースは、第1のシンボルおよび第2のシンボルを含む。
【０２６７】
第1のDMRSポートグループがマッピングされる時間−周波数リソースが時間領域における第1のシンボルである場合、時間−周波数リソースは周波数領域におけるリソースユニットのサブキャリア12n、サブキャリア12n＋1、サブキャリア12n＋4、サブキャリア12n＋5、サブキャリア12n＋8、およびサブキャリア12n＋9のうちの少なくとも1つを含み、第1のDMRSポートグループがマッピングされる時間−周波数リソースが時間領域における第2のシンボルである場合、時間−周波数リソースは周波数領域におけるリソースユニットのサブキャリア12n＋2、サブキャリア12n＋3、サブキャリア12n＋6、サブキャリア12n＋7、サブキャリア12n＋10、およびサブキャリア12n＋11のうちの少なくとも1つを含む。
【０２６８】
第2のDMRSポートグループがマッピングされる時間−周波数リソースが時間領域における第1のシンボルである場合、時間−周波数リソースは周波数領域におけるリソースユニットのサブキャリア12n＋2、サブキャリア12n＋3、サブキャリア12n＋6、サブキャリア12n＋7、サブキャリア12n＋10、およびサブキャリア12n＋11のうちの少なくとも1つを含み、第2のDMRSポートグループがマッピングされる時間−周波数リソースが時間領域における第2のシンボルである場合、時間−周波数リソースは周波数領域におけるリソースユニットのサブキャリア12n、サブキャリア12n＋1、サブキャリア12n＋4、サブキャリア12n＋5、サブキャリア12n＋8、およびサブキャリア12n＋9のうちの少なくとも1つを含む。
【０２６９】
nは0以上かつ
【数２９】
0006943974.tif 000030
未満の任意の1つ以上の整数であり得る。
【０２７０】
図17の（b）は、8つのDMRSポートのマッピング規則の概略図である。それぞれの影付き小ブロックは、DMRSポートグループがマッピングされるREを指示し、n＝0である。
【０２７１】
第3：各DMRSポートグループがマッビングされる時間−周波数リソースは、第1のシンボルおよび第2のシンボルを含む。
【０２７２】
第1のDMRSポートグループがマッピングされる時間−周波数リソースが時間領域における第1のシンボルである場合、時間−周波数リソースは周波数領域におけるリソースユニットのサブキャリア2nを含み、第1のDMRSポートグループがマッピングされる時間−周波数リソースが時間領域における第2のシンボルである場合、時間−周波数リソースは周波数領域におけるリソースユニットのサブキャリア2n＋1を含む。
【０２７３】
第2のDMRSポートグループがマッピングされる時間−周波数リソースが時間領域における第1のシンボルである場合、時間−周波数リソースは周波数領域におけるリソースユニットのサブキャリア2n＋1を含み、第2のDMRSポートグループがマッピングされる時間−周波数リソースが時間領域における第2のシンボルである場合、時間−周波数リソースは周波数領域におけるリソースユニットのサブキャリア2nを含む。
【０２７４】
nは0以上かつ
【数３０】
0006943974.tif 000031
未満の任意の1つ以上の整数であり得る。
【０２７５】
図17の（c）は、8つのDMRSポートのマッピング規則の概略図である。それぞれの影付き小ブロックは、DMRSポートグループがマッピングされるREを指示し、n＝0、1、2、3、4、または5である。
【０２７６】
第4：第1のDMRSポートグループがマッピングされる時間−周波数リソースは時間領域における第1のシンボルを含み、第2のDMRSポートグループがマッピングされる時間−周波数リソースは時間領域における第2のシンボルを含む。
【０２７７】
第1のDMRSポートグループがマッピングされる時間−周波数リソースが時間領域における第1のシンボルである場合、時間−周波数リソースは周波数領域におけるリソースユニットのサブキャリアnを含む。
【０２７８】
第2のDMRSポートグループがマッピングされる時間−周波数リソースが時間領域における第2のシンボルである場合、時間−周波数リソースは周波数領域におけるリソースユニットのサブキャリアnを含む。
【０２７９】
nは0以上かつM未満の任意の1つ以上の整数であり得る。
【０２８０】
図17の（d）は、8つのDMRSポートのマッピング規則の概略図である。それぞれの影付き小ブロックは、DMRSポートグループがマッピングされるREを指示し、n＝0、1、2、3、4、5、6、7、8、9、10または11である。
【０２８１】
（3）同じ時間−周波数リソースが、8つのDMRSポートに対応するDMRSのためにCDM方式で多重化される。この場合、8つのDMRSポートは1つのDMRSポートグループと見なされ得る。DMRSポートグループのマッピング規則は次のとおりである。
【０２８２】
DMRSポートグループがマッピングされる時間−周波数リソースが時間領域における第1のシンボルおよび第2のシンボルを含む場合、時間−周波数リソースは周波数領域におけるリソースユニットのサブキャリアnを含む。
【０２８３】
nは0以上かつM未満の任意の1つ以上の整数であり得る。
【０２８４】
図18は、8つのDMRSポートのマッピング規則の概略図である。それぞれの影付き小ブロックは、DMRSポートグループがマッピングされるREを指示し、n＝0、1、2、3、4、5、6、7、8、9、10または11である。
【０２８５】
システムがサポートするDMRSポートの総数は12である。
【０２８６】
1．12個のDMRSポートがマッピングされる時間−周波数リソースは、時間領域におけるリソースユニットの第1のシンボルを含む。
【０２８７】
（1）12個のDMRSポートは6つのDMRSポートグループに分割され、各DMRSポートグループは2つのDMRSポートを含む。6つのDMRSポートグループは、第1のDMRSポートグループ、第2のDMRSポートグループ、第3のDMRSポートグループ、第4のDMRSポートグループ、第5のDMRSポートグループ、および第6のDMRSポートグループを含む。同じ時間−周波数リソースが、各DMRSポートグループにおけるDMRSポートに対応するDMRSのためにCDM方式で多重化される。6つのDMRSポートグループのマッピング規則は次のとおりである。
【０２８８】
第1：
【０２８９】
第1のDMRSポートグループがマッピングされる時間−周波数リソースは、周波数領域におけるリソースユニットのサブキャリア12nおよびサブキャリア12n＋1のうちの少なくとも1つを含む。
【０２９０】
第2のDMRSポートグループがマッピングされる時間−周波数リソースは、周波数領域におけるリソースユニットのサブキャリア12n＋2およびサブキャリア12n＋3のうちの少なくとも1つを含む。
【０２９１】
第3のDMRSポートグループがマッピングされる時間−周波数リソースは、周波数領域におけるリソースユニットのサブキャリア12n＋4およびサブキャリア12n＋5のうちの少なくとも1つを含む。
【０２９２】
第4のDMRSポートグループがマッピングされる時間−周波数リソースは、周波数領域におけるリソースユニットのサブキャリア12n＋6およびサブキャリア12n＋7のうちの少なくとも1つを含む。
【０２９３】
第5のDMRSポートグループがマッピングされる時間−周波数リソースは、周波数領域におけるリソースユニットのサブキャリア12n＋8およびサブキャリア12n＋9のうちの少なくとも1つを含む。
【０２９４】
第6のDMRSポートグループがマッピングされる時間−周波数リソースは、周波数領域におけるリソースユニットのサブキャリア12n＋10およびサブキャリア12n＋11のうちの少なくとも1つを含む。
【０２９５】
nは0以上かつ
【数３１】
0006943974.tif 000032
未満の任意の1つ以上の整数であり得る。
【０２９６】
図19の（a）は、12個のDMRSポートのマッピング規則の概略図である。それぞれの影付き小ブロックは、DMRSポートグループがマッピングされるREを指示し、n＝0である。
【０２９７】
第2：
【０２９８】
第1のDMRSポートグループがマッピングされる時間−周波数リソースは、周波数領域におけるリソースユニットのサブキャリア6nを含む。
【０２９９】
第2のDMRSポートグループがマッピングされる時間−周波数リソースは、周波数領域におけるリソースユニットのサブキャリア6n＋1を含む。
【０３００】
第3のDMRSポートグループがマッピングされる時間−周波数リソースは、周波数領域におけるリソースユニットのサブキャリア6n＋2を含む。
【０３０１】
第4のDMRSポートグループがマッピングされる時間−周波数リソースは、周波数領域におけるリソースユニットのサブキャリア6n＋3を含む。
【０３０２】
第5のDMRSポートグループがマッピングされる時間−周波数リソースは、周波数領域におけるリソースユニットのサブキャリア6n＋4を含む。
【０３０３】
第6のDMRSポートグループがマッピングされる時間−周波数リソースは、周波数領域におけるリソースユニットのサブキャリア6n＋5を含む。
【０３０４】
nは0以上かつ
【数３２】
0006943974.tif 000033
未満の任意の1つ以上の整数であり得る。
【０３０５】
図19の（b）は、12個のDMRSポートのマッピング規則の概略図である。それぞれの影付き小ブロックは、DMRSポートグループがマッピングされるREを指示し、n＝0または1である。ポートは、均等に分散されるが、周波数領域において相互に分離している。従って、この解決策は、低いPAPRの特徴を有し、マルチキャリア送信シナリオとシングルキャリア送信シナリオとの両方に適用可能であり、それにより、アップリンクおよびダウンリンク送信またはマルチ波形送信の統合設計が容易になり、また、この解決策は、MU−MIMOシナリオに適用可能であり、それによりシステムのDMRS指示のオーバーヘッドおよび設計の複雑さが軽減される。この解決策では、1つのシンボルのみが占有される。従って、システムのオーバーヘッドは少なく、この解決策は高周波シナリオで使用され得る。この解決策は、シンボルを追加する方式においてより多くのポートをさらにサポートでき、従って、柔軟性が向上している。加えて、ポートは周波数領域において均等にマッピングされ、それにより柔軟なスケジューリングが容易になる。さらに、パワーブースティングまたはデータ送信が、占有されていないポートグループの位置で実行され得る。加えて、この解決策では、ポートマッピングの位置が固定され、同じパイロットパターンが異なるポートに対して使用され、従って、システム指示オーバーヘッドが削減される。
【０３０６】
（2）12個のDMRSポートは4つのDMRSポートグループに分割され、各DMRSポートグループは3つのDMRSポートを含む。4つのDMRSポートグループは、第1のDMRSポートグループ、第2のDMRSポートグループ、第3のDMRSポートグループ、および第4のDMRSポートグループを含む。同じ時間−周波数リソースが、各DMRSポートグループにおけるDMRSポートに対応するDMRSのためにCDM方式で多重化される。4つのDMRSポートグループのマッピング規則は次のとおりである。
【０３０７】
第1のDMRSポートグループがマッピングされる時間−周波数リソースは、周波数領域におけるリソースユニットのサブキャリア12n、サブキャリア12n＋1、およびサブキャリア12n＋2のうちの少なくとも1つを含む。
【０３０８】
第2のDMRSポートグループがマッピングされる時間−周波数リソースは、周波数領域におけるリソースユニットのサブキャリア12n＋3、サブキャリア12n＋4、およびサブキャリア12n＋5のうちの少なくとも1つを含む。
【０３０９】
第3のDMRSポートグループがマッピングされる時間−周波数リソースは、周波数領域におけるリソースユニットのサブキャリア12n＋6、サブキャリア12n＋7、およびサブキャリア12n＋8のうちの少なくとも1つを含む。
【０３１０】
第4のDMRSポートグループがマッピングされる時間−周波数リソースは、周波数領域におけるリソースユニットのサブキャリア12n＋9、サブキャリア12n＋10、およびサブキャリア12n＋11のうちの少なくとも1つを含む。
【０３１１】
nは0以上かつ
【数３３】
0006943974.tif 000034
未満の任意の1つ以上の整数であり得る。
【０３１２】
図20の（a）は、12個のDMRSポートのマッピング規則の概略図である。それぞれの影付き小ブロックは、DMRSポートグループがマッピングされるREを指示し、n＝0である。
【０３１３】
（3）12個のDMRSポートは3つのDMRSポートグループに分割され、各DMRSポートグループは4つのDMRSポートを含む。3つのDMRSポートグループは、第1のDMRSポートグループ、第2のDMRSポートグループ、および第3のDMRSポートグループを含む。同じ時間−周波数リソースが、各DMRSポートグループにおけるDMRSポートに対応するDMRSのためにCDM方式で多重化される。3つのDMRSポートグループのマッピング規則は次のとおりである。
【０３１４】
第1のDMRSポートグループがマッピングされる時間−周波数リソースは、周波数領域におけるリソースユニットのサブキャリア12n、サブキャリア12n＋1、サブキャリア12n＋2、およびサブキャリア12n＋3のうちの少なくとも1つを含む。
【０３１５】
第2のDMRSポートグループがマッピングされる時間−周波数リソースは、周波数領域におけるリソースユニットのサブキャリア12n＋4、サブキャリア12n＋5、サブキャリア12n＋6、およびサブキャリア12n＋7のうちの少なくとも1つを含む。
【０３１６】
第3のDMRSポートグループがマッピングされる時間−周波数リソースは、周波数領域におけるリソースユニットのサブキャリア12n＋8、サブキャリア12n＋9、サブキャリア12n＋10、およびサブキャリア12n＋11のうちの少なくとも1つを含む。
【０３１７】
nは0以上かつ
【数３４】
0006943974.tif 000035
未満の任意の1つ以上の整数であり得る。
【０３１８】
図20の（b）は、12個のDMRSポートのマッピング規則の概略図である。それぞれの影付き小ブロックは、DMRSポートグループがマッピングされるREを指示し、n＝0である。
【０３１９】
（4）12個のDMRSポートは2つのDMRSポートグループに分割され、各DMRSポートグループは6つのDMRSポートを含む。2つのDMRSポートグループは、第1のDMRSポートグループおよび第2のDMRSポートグループを含む。同じ時間−周波数リソースが、各DMRSポートグループにおけるDMRSポートに対応するDMRSのためにCDM方式で多重化される。2つのDMRSポートグループのマッピング規則は次のとおりである。
【０３２０】
第1：
【０３２１】
第1のDMRSポートグループがマッピングされる時間−周波数リソースは、周波数領域におけるリソースユニットのサブキャリア12n、サブキャリア12n＋1、サブキャリア12n＋2、サブキャリア12n＋3、サブキャリア12n＋4、およびサブキャリア12n＋5のうちの少なくとも1つを含む。
【０３２２】
第2のDMRSポートグループがマッピングされる時間−周波数リソースは、周波数領域におけるリソースユニットのサブキャリア12n＋6、サブキャリア12n＋7、サブキャリア12n＋8、サブキャリア12n＋9、サブキャリア12n＋10、およびサブキャリア12n＋11のうちの少なくとも1つを含む。
【０３２３】
nは0以上かつ
【数３５】
0006943974.tif 000036
未満の任意の1つ以上の整数であり得る。
【０３２４】
図21の（a）は、12個のDMRSポートのマッピング規則の概略図である。それぞれの影付き小ブロックは、DMRSポートグループがマッピングされるREを指示し、n＝0である。
【０３２５】
第2：
【０３２６】
第1のDMRSポートグループがマッピングされる時間−周波数リソースは、周波数領域におけるリソースユニットのサブキャリア12n、サブキャリア12n＋1、サブキャリア12n＋2、サブキャリア12n＋6、サブキャリア12n＋7、およびサブキャリア12n＋8のうちの少なくとも1つを含む。
【０３２７】
第2のDMRSポートグループがマッピングされる時間−周波数リソースは、周波数領域におけるリソースユニットのサブキャリア12n＋3、サブキャリア12n＋4、サブキャリア12n＋5、サブキャリア12n＋9、サブキャリア12n＋10、およびサブキャリア12n＋11のうちの少なくとも1つを含む。
【０３２８】
nは0以上かつ
【数３６】
0006943974.tif 000037
未満の任意の1つ以上の整数であり得る。
【０３２９】
図21の（b）は、12個のDMRSポートのマッピング規則の概略図である。それぞれの影付き小ブロックは、DMRSポートグループがマッピングされるREを指示し、n＝0である。
【０３３０】
第3：
【０３３１】
第1のDMRSポートグループがマッピングされる時間−周波数リソースは、周波数領域におけるリソースユニットのサブキャリア12n、サブキャリア12n＋1、サブキャリア12n＋4、サブキャリア12n＋5、サブキャリア12n＋8、およびサブキャリア12n＋9のうちの少なくとも1つを含む。
【０３３２】
第2のDMRSポートグループがマッピングされる時間−周波数リソースは、周波数領域におけるリソースユニットのサブキャリア12n＋2、サブキャリア12n＋3、サブキャリア12n＋6、サブキャリア12n＋7、サブキャリア12n＋10、およびサブキャリア12n＋11のうちの少なくとも1つを含む。
【０３３３】
nは0以上かつ
【数３７】
0006943974.tif 000038
未満の任意の1つ以上の整数であり得る。
【０３３４】
図21の（c）は、12個のDMRSポートのマッピング規則の概略図である。それぞれの影付き小ブロックは、DMRSポートグループがマッピングされるREを指示し、n＝0である。
【０３３５】
第4：
【０３３６】
第1のDMRSポートグループがマッピングされる時間−周波数リソースは、周波数領域におけるリソースユニットのサブキャリア2nを含む。
【０３３７】
第2のDMRSポートグループがマッピングされる時間−周波数リソースは、周波数領域におけるリソースユニットのサブキャリア2n＋1を含む。
【０３３８】
nは0以上かつ
【数３８】
0006943974.tif 000039
未満の任意の1つ以上の整数であり得る。
【０３３９】
図21の（d）は、12個のDMRSポートのマッピング規則の概略図である。それぞれの影付き小ブロックは、DMRSポートグループがマッピングされるREを指示し、n＝0、1、2、3、4、または5である。この解決策では、ポートは、周波数領域に均等に分散され、高い密度を有する。これにより、様々なシナリオで高いチャネル推定精度が確保される。加えて、ポートは、均等に分散されるが、周波数領域において相互に分離している。従って、この解決策は、低いPAPRの特徴を有し、マルチキャリア送信シナリオとシングルキャリア送信シナリオとの両方に適用可能であり、それにより、アップリンクおよびダウンリンク送信またはマルチ波形送信の統合設計が容易になり、また、この解決策は、MU−MIMOシナリオに適用可能であり、それによりシステムのDMRS指示のオーバーヘッドおよび設計の複雑さが軽減される。この解決策では、1つのシンボルのみが占有される。従って、システムのオーバーヘッドは少なく、この解決策は高周波シナリオで使用され得る。加えて、ポートは周波数領域において均等にマッピングされ、それにより柔軟なスケジューリングが容易になる。さらに、パワーブースティングまたはデータ送信が、占有されていないポートグループの位置で実行され得る。ポートマッピングの位置が固定され、同じパイロットパターンが異なるポートに対して使用され、従って、システム指示オーバーヘッドが削減される。
【０３４０】
（4）同じ時間−周波数リソースが、12個のDMRSポートに対応するDMRSのためにCDM方式で多重化される。この場合、12個のDMRSポートは1つのDMRSポートグループと見なされ得る。DMRSポートグループのマッピング規則は次のとおりである。
【０３４１】
DMRSポートグループがマッピングされる時間−周波数リソースは、周波数領域におけるリソースユニットのサブキャリアnを含む。
【０３４２】
nは0以上かつM未満の任意の1つ以上の整数であり得る。
【０３４３】
図22は、12個のDMRSポートのマッピング規則の概略図である。それぞれの影付き小ブロックは、DMRSポートグループがマッピングされるREを指示し、n＝0、1、2、3、4、5、6、7、8、9、10または11である。
【０３４４】
2．12個のDMRSポートがマッピングされる時間−周波数リソースは、時間領域におけるリソースユニットの第1のシンボルおよび第2のシンボルを含む。
【０３４５】
（1）12個のDMRSポートは6つのDMRSポートグループに分割され、各DMRSポートグループは2つのDMRSポートを含む。6つのDMRSポートグループは、第1のDMRSポートグループ、第2のDMRSポートグループ、第3のDMRSポートグループ、第4のDMRSポートグループ、第5のDMRSポートグループ、および第6のDMRSポートグループを含む。同じ時間−周波数リソースが、各DMRSポートグループにおけるDMRSポートに対応するDMRSのためにCDM方式で多重化される。6つのDMRSポートグループのマッピング規則は次のとおりである。
【０３４６】
第1：各DMRSポートグループがマッビングされる時間−周波数リソースは、第1のシンボルおよび第2のシンボルを含み、各DMRSポートグループが周波数領域においてマッピングされる時間−周波数リソースについては、図19の（a）に対応する解決策が参照され得る。この場合、図23の（a）に例が示される。
【０３４７】
第2：各DMRSポートグループがマッビングされる時間−周波数リソースは、第1のシンボルおよび第2のシンボルを含む。
【０３４８】
第1のDMRSポートグループがマッピングされる時間−周波数リソースが時間領域における第1のシンボルである場合、時間−周波数リソースは周波数領域におけるリソースユニットのサブキャリア12nおよびサブキャリア12n＋1のうちの少なくとも1つを含み、第1のDMRSポートグループがマッピングされる時間−周波数リソースが時間領域における第2のシンボルである場合、時間−周波数リソースは周波数領域におけるリソースユニットのサブキャリア12n＋6およびサブキャリア12n＋7のうちの少なくとも1つを含む。
【０３４９】
第2のDMRSポートグループがマッピングされる時間−周波数リソースが時間領域における第1のシンボルである場合、時間−周波数リソースは周波数領域におけるリソースユニットのサブキャリア12n＋2およびサブキャリア12n＋3のうちの少なくとも1つを含み、第2のDMRSポートグループがマッピングされる時間−周波数リソースが時間領域における第2のシンボルである場合、時間−周波数リソースは周波数領域におけるリソースユニットのサブキャリア12n＋8およびサブキャリア12n＋9のうちの少なくとも1つを含む。
【０３５０】
第3のDMRSポートグループがマッピングされる時間−周波数リソースが時間領域における第1のシンボルである場合、時間−周波数リソースは周波数領域におけるリソースユニットのサブキャリア12n＋4およびサブキャリア12n＋5のうちの少なくとも1つを含み、第3のDMRSポートグループがマッピングされる時間−周波数リソースが時間領域における第2のシンボルである場合、時間−周波数リソースは周波数領域におけるリソースユニットのサブキャリア12n＋10およびサブキャリア12n＋11のうちの少なくとも1つを含む。
【０３５１】
第4のDMRSポートグループがマッピングされる時間−周波数リソースが時間領域における第1のシンボルである場合、時間−周波数リソースは周波数領域におけるリソースユニットのサブキャリア12n＋6およびサブキャリア12n＋7のうちの少なくとも1つを含み、第4のDMRSポートグループがマッピングされる時間−周波数リソースが時間領域における第2のシンボルである場合、時間−周波数リソースは周波数領域におけるリソースユニットのサブキャリア12nおよびサブキャリア12n＋1のうちの少なくとも1つを含む。
【０３５２】
第5のDMRSポートグループがマッピングされる時間−周波数リソースが時間領域における第1のシンボルである場合、時間−周波数リソースは周波数領域におけるリソースユニットのサブキャリア12n＋8およびサブキャリア12n＋9のうちの少なくとも1つを含み、第5のDMRSポートグループがマッピングされる時間−周波数リソースが時間領域における第2のシンボルである場合、時間−周波数リソースは周波数領域におけるリソースユニットのサブキャリア12n＋2およびサブキャリア12n＋3のうちの少なくとも1つを含む。
【０３５３】
第6のDMRSポートグループがマッピングされる時間−周波数リソースが時間領域における第1のシンボルである場合、時間−周波数リソースは周波数領域におけるリソースユニットのサブキャリア12n＋10およびサブキャリア12n＋11のうちの少なくとも1つを含み、第6のDMRSポートグループがマッピングされる時間−周波数リソースが時間領域における第2のシンボルである場合、時間−周波数リソースは周波数領域におけるリソースユニットのサブキャリア12n＋4およびサブキャリア12n＋5のうちの少なくとも1つを含む。
【０３５４】
nは0以上かつ
【数３９】
0006943974.tif 000040
未満の任意の1つ以上の整数であり得る。
【０３５５】
図23の（b）は、12個のDMRSポートのマッピング規則の概略図である。それぞれの影付き小ブロックは、DMRSポートグループがマッピングされるREを指示し、n＝0である。
【０３５６】
第3：各DMRSポートグループがマッビングされる時間−周波数リソースは、第1のシンボルおよび第2のシンボルを含む。
【０３５７】
第1のDMRSポートグループがマッピングされる時間−周波数リソースが時間領域における第1のシンボルである場合、時間−周波数リソースは周波数領域におけるリソースユニットのサブキャリア6nを含み、第1のDMRSポートグループがマッピングされる時間−周波数リソースが時間領域における第2のシンボルである場合、時間−周波数リソースは周波数領域におけるリソースユニットのサブキャリア6n＋3を含む。
【０３５８】
第2のDMRSポートグループがマッピングされる時間−周波数リソースが時間領域における第1のシンボルである場合、時間−周波数リソースは周波数領域におけるリソースユニットのサブキャリア6n＋1を含み、第2のDMRSポートグループがマッピングされる時間−周波数リソースが時間領域における第2のシンボルである場合、時間−周波数リソースは周波数領域におけるリソースユニットのサブキャリア6n＋4を含む。
【０３５９】
第3のDMRSポートグループがマッピングされる時間−周波数リソースが時間領域における第1のシンボルである場合、時間−周波数リソースは周波数領域におけるリソースユニットのサブキャリア6n＋2を含み、第3のDMRSポートグループがマッピングされる時間−周波数リソースが時間領域における第2のシンボルである場合、時間−周波数リソースは周波数領域におけるリソースユニットのサブキャリア6n＋5を含む。
【０３６０】
第4のDMRSポートグループがマッピングされる時間−周波数リソースが時間領域における第1のシンボルである場合、時間−周波数リソースは周波数領域におけるリソースユニットのサブキャリア6n＋3を含み、第4のDMRSポートグループがマッピングされる時間−周波数リソースが時間領域における第2のシンボルである場合、時間−周波数リソースは周波数領域におけるリソースユニットのサブキャリア6nを含む。
【０３６１】
第5のDMRSポートグループがマッピングされる時間−周波数リソースが時間領域における第1のシンボルである場合、時間−周波数リソースは周波数領域におけるリソースユニットのサブキャリア6n＋4を含み、第5のDMRSポートグループがマッピングされる時間−周波数リソースが時間領域における第2のシンボルである場合、時間−周波数リソースは周波数領域におけるリソースユニットのサブキャリア6n＋1を含む。
【０３６２】
第6のDMRSポートグループがマッピングされる時間−周波数リソースが時間領域における第1のシンボルである場合、時間−周波数リソースは周波数領域におけるリソースユニットのサブキャリア6n＋5を含み、第6のDMRSポートグループがマッピングされる時間−周波数リソースが時間領域における第2のシンボルである場合、時間−周波数リソースは周波数領域におけるリソースユニットのサブキャリア6n＋2を含む。
【０３６３】
nは0以上かつ
【数４０】
0006943974.tif 000041
未満の任意の1つ以上の整数であり得る。
【０３６４】
図23の（c）は、12個のDMRSポートのマッピング規則の概略図である。それぞれの影付き小ブロックは、DMRSポートグループがマッピングされるREを指示し、n＝0または1である。
【０３６５】
第4：第1、第2、および第3のDMRSポートグループがマッピングされる時間−周波数リソースは時間領域において第1のシンボルを含み、第4、第5、および第6のDMRSポートグループがマッピングされる時間−周波数リソースは時間領域において第2のシンボルを含む。
【０３６６】
第1のDMRSポートグループがマッピングされる時間−周波数リソースが時間領域における第1のシンボルである場合、時間−周波数リソースは周波数領域におけるリソースユニットのサブキャリア3nを含む。
【０３６７】
第2のDMRSポートグループがマッピングされる時間−周波数リソースが時間領域における第1のシンボルである場合、時間−周波数リソースは周波数領域におけるリソースユニットのサブキャリア3n＋1を含む。
【０３６８】
第3のDMRSポートグループがマッピングされる時間−周波数リソースが時間領域における第1のシンボルである場合、時間−周波数リソースは周波数領域におけるリソースユニットのサブキャリア3n＋2を含む。
【０３６９】
第4のDMRSポートグループがマッピングされる時間−周波数リソースが時間領域における第2のシンボルである場合、時間−周波数リソースは周波数領域におけるリソースユニットのサブキャリア3nを含む。
【０３７０】
第5のDMRSポートグループがマッピングされる時間−周波数リソースが時間領域における第2のシンボルである場合、時間−周波数リソースは周波数領域におけるリソースユニットのサブキャリア3n＋1を含む。
【０３７１】
第6のDMRSポートグループがマッピングされる時間−周波数リソースが時間領域における第2のシンボルである場合、時間−周波数リソースは周波数領域におけるリソースユニットのサブキャリア3n＋2を含む。
【０３７２】
nは0以上かつ
【数４１】
0006943974.tif 000042
未満の任意の1つ以上の整数であり得る。
【０３７３】
図23の（d）は、12個のDMRSポートのマッピング規則の概略図である。それぞれの影付き小ブロックは、DMRSポートグループがマッピングされるREを指示し、n＝0、1、2、または3である。この解決策では、ポートは、周波数領域に均等に分散され、高い密度を有する。これにより、様々なシナリオで高いチャネル推定精度が確保される。加えて、ポートは、均等に分散されるが、周波数領域において相互に分離している。従って、この解決策は、低いPAPRの特徴を有し、マルチキャリア送信シナリオとシングルキャリア送信シナリオとの両方に適用可能であり、それにより、アップリンクおよびダウンリンク送信またはマルチ波形送信の統合設計が容易になり、また、この解決策は、MU−MIMOシナリオに適用可能であり、それによりシステムのDMRS指示のオーバーヘッドおよび設計の複雑さが軽減される。この解決策では、各ポートは1つのシンボルにのみマッピングされる。従って、位相ノイズの影響は回避され、この解決策は高周波シナリオで使用され得る。この解決策では、ポートの数が異なる場合、シンボルの数が動的に構成され得る。従って、柔軟性が向上し、性能が確保され、オーバーヘッドが削減される。加えて、ポートは周波数領域において均等にマッピングされ、それにより柔軟なスケジューリングが容易になる。
【０３７４】
（2）12個のDMRSポートは4つのDMRSポートグループに分割され、各DMRSポートグループは3つのDMRSポートを含む。4つのDMRSポートグループは、第1のDMRSポートグループ、第2のDMRSポートグループ、第3のDMRSポートグループ、および第4のDMRSポートグループを含む。同じ時間−周波数リソースが、各DMRSポートグループにおけるDMRSポートに対応するDMRSのためにCDM方式で多重化される。4つのDMRSポートグループのマッピング規則は次のとおりである。
【０３７５】
第1：各DMRSポートグループがマッビングされる時間−周波数リソースは、第1のシンボルおよび第2のシンボルを含み、各DMRSポートグループが周波数領域においてマッピングされる時間−周波数リソースについては、図20の（a）に対応する解決策が参照され得る。この場合、図24の（a）に例が示される。
【０３７６】
第2：各DMRSポートグループがマッビングされる時間−周波数リソースは、第1のシンボルおよび第2のシンボルを含む。
【０３７７】
第1のDMRSポートグループがマッピングされる時間−周波数リソースが時間領域における第1のシンボルである場合、時間−周波数リソースは周波数領域におけるリソースユニットのサブキャリア12n、サブキャリア12n＋1、およびサブキャリア12n＋2のうちの少なくとも1つを含み、第1のDMRSポートグループがマッピングされる時間−周波数リソースが時間領域における第2のシンボルである場合、時間−周波数リソースは周波数領域におけるリソースユニットのサブキャリア12n＋6、サブキャリア12n＋7、およびサブキャリア12n＋8のうちの少なくとも1つを含む。
【０３７８】
第2のDMRSポートグループがマッピングされる時間−周波数リソースが時間領域における第1のシンボルである場合、時間−周波数リソースは周波数領域におけるリソースユニットのサブキャリア12n＋3、サブキャリア12n＋4、およびサブキャリア12n＋5のうちの少なくとも1つを含み、第2のDMRSポートグループがマッピングされる時間−周波数リソースが時間領域における第2のシンボルである場合、時間−周波数リソースは周波数領域におけるリソースユニットのサブキャリア12n＋9、サブキャリア12n＋10、およびサブキャリア12n＋11のうちの少なくとも1つを含む。
【０３７９】
第3のDMRSポートグループがマッピングされる時間−周波数リソースが時間領域における第1のシンボルである場合、時間−周波数リソースは周波数領域におけるリソースユニットのサブキャリア12n＋6、サブキャリア12n＋7、およびサブキャリア12n＋8のうちの少なくとも1つを含み、第3のDMRSポートグループがマッピングされる時間−周波数リソースが時間領域における第2のシンボルである場合、時間−周波数リソースは周波数領域におけるリソースユニットのサブキャリア12n、サブキャリア12n＋1、およびサブキャリア12n＋2のうちの少なくとも1つを含む。
【０３８０】
第4のDMRSポートグループがマッピングされる時間−周波数リソースが時間領域における第1のシンボルである場合、時間−周波数リソースは周波数領域におけるリソースユニットのサブキャリア12n＋9、サブキャリア12n＋10、およびサブキャリア12n＋11のうちの少なくとも1つを含み、第4のDMRSポートグループがマッピングされる時間−周波数リソースが時間領域における第2のシンボルである場合、時間−周波数リソースは周波数領域におけるリソースユニットのサブキャリア12n＋3、サブキャリア12n＋4、およびサブキャリア12n＋5のうちの少なくとも1つを含む。
【０３８１】
nは0以上かつ
【数４２】
0006943974.tif 000043
未満の任意の1つ以上の整数であり得る。
【０３８２】
図24の（b）は、12個のDMRSポートのマッピング規則の概略図である。それぞれの影付き小ブロックは、DMRSポートグループがマッピングされるREを指示し、n＝0である。
【０３８３】
第3：各DMRSポートグループがマッビングされる時間−周波数リソースは、第1のシンボルおよび第2のシンボルを含む。
【０３８４】
第1のDMRSポートグループがマッピングされる時間−周波数リソースが時間領域における第1のシンボルおよび第2のシンボルである場合、時間−周波数リソースは周波数領域におけるリソースユニットのサブキャリア4nを含む。
【０３８５】
第2のDMRSポートグループがマッピングされる時間−周波数リソースが時間領域における第1のシンボルおよび第2のシンボルである場合、時間−周波数リソースは周波数領域におけるリソースユニットのサブキャリア4n＋1を含む。
【０３８６】
第3のDMRSポートグループがマッピングされる時間−周波数リソースが時間領域における第1のシンボルおよび第2のシンボルである場合、時間−周波数リソースは周波数領域におけるリソースユニットのサブキャリア4n＋2を含む。
【０３８７】
第4のDMRSポートグループがマッピングされる時間−周波数リソースが時間領域における第1のシンボルおよび第2のシンボルである場合、時間−周波数リソースは周波数領域におけるリソースユニットのサブキャリア4n＋3を含む。
【０３８８】
nは0以上かつ
【数４３】
0006943974.tif 000044
未満の任意の1つ以上の整数であり得る。
【０３８９】
図24の（c）は、12個のDMRSポートのマッピング規則の概略図である。それぞれの影付き小ブロックは、DMRSポートグループがマッピングされるREを指示し、n＝0、1、または2である。この解決策では、ポートは、周波数領域において均等に分散され、2つのシンボル上に分散され、高い密度を有する。これにより、様々なシナリオで高いチャネル推定精度が確保される。加えて、ポートは、均等に分散されるが、周波数領域において相互に分離している。従って、この解決策は、低いPAPRの特徴を有し、マルチキャリア送信シナリオとシングルキャリア送信シナリオとの両方に適用可能であり、それにより、アップリンクおよびダウンリンク送信またはマルチ波形送信の統合設計が容易になり、また、この解決策は、MU−MIMOシナリオに適用可能であり、それによりシステムのDMRS指示のオーバーヘッドおよび設計の複雑さが軽減される。加えて、ポートマッピングの位置が固定され、元のポートマッピングを変更せずに、柔軟なポート送信がサポートされる。従って、この解決策はより一般的に使用され、システム指示オーバーヘッドが削減される。加えて、ポートは周波数領域において均等にマッピングされ、それにより柔軟なスケジューリングが容易になる。さらに、パワーブースティングまたはデータ送信が、占有されていないポートグループの位置で実行され得る。加えて、各ポートグループにおけるCDMの長さが短く、それによりポート間のより良い直交性を確保する。
【０３９０】
第4：各DMRSポートグループがマッビングされる時間−周波数リソースは、第1のシンボルおよび第2のシンボルを含む。
【０３９１】
第1のDMRSポートグループがマッピングされる時間−周波数リソースが時間領域における第1のシンボルである場合、時間−周波数リソースは周波数領域におけるリソースユニットのサブキャリア4nを含み、第1のDMRSポートグループがマッピングされる時間−周波数リソースが時間領域における第2のシンボルである場合、時間−周波数リソースは周波数領域におけるリソースユニットのサブキャリア4n＋2を含む。
【０３９２】
第2のDMRSポートグループがマッピングされる時間−周波数リソースが時間領域における第1のシンボルである場合、時間−周波数リソースは周波数領域におけるリソースユニットのサブキャリア4n＋1を含み、第2のDMRSポートグループがマッピングされる時間−周波数リソースが時間領域における第2のシンボルである場合、時間−周波数リソースは周波数領域におけるリソースユニットのサブキャリア4n＋3を含む。
【０３９３】
第3のDMRSポートグループがマッピングされる時間−周波数リソースが時間領域における第1のシンボルである場合、時間−周波数リソースは周波数領域におけるリソースユニットのサブキャリア4n＋2を含み、第3のDMRSポートグループがマッピングされる時間−周波数リソースが時間領域における第2のシンボルである場合、時間−周波数リソースは周波数領域におけるリソースユニットのサブキャリア4nを含む。
【０３９４】
第4のDMRSポートグループがマッピングされる時間−周波数リソースが時間領域における第1のシンボルである場合、時間−周波数リソースは周波数領域におけるリソースユニットのサブキャリア4n＋3を含み、第4のDMRSポートグループがマッピングされる時間−周波数リソースが時間領域における第2のシンボルである場合、時間−周波数リソースは周波数領域におけるリソースユニットのサブキャリア4n＋1を含む。
【０３９５】
nは0以上かつ
【数４４】
0006943974.tif 000045
未満の任意の1つ以上の整数であり得る。
【０３９６】
図24の（d）は、12個のDMRSポートのマッピング規則の概略図である。それぞれの影付き小ブロックは、DMRSポートグループがマッピングされるREを指示し、n＝0、1、または2である。
【０３９７】
第5：第1および第2のDMRSポートグループがマッピングされる時間−周波数リソースは時間領域において第1のシンボルを含み、第3および第4のDMRSポートグループがマッピングされる時間−周波数リソースは時間領域において第2のシンボルを含む。
【０３９８】
第1のDMRSポートグループがマッピングされる時間−周波数リソースが時間領域における第1のシンボルである場合、時間−周波数リソースは周波数領域におけるリソースユニットのサブキャリア12n、サブキャリア12n＋1、サブキャリア12n＋2、サブキャリア12n＋6、サブキャリア12n＋7、およびサブキャリア12n＋8のうちの少なくとも1つを含む。
【０３９９】
第2のDMRSポートグループがマッピングされる時間−周波数リソースが時間領域における第1のシンボルである場合、時間−周波数リソースは周波数領域におけるリソースユニットのサブキャリア12n＋3、サブキャリア12n＋4、サブキャリア12n＋5、サブキャリア12n＋9、サブキャリア12n＋10、およびサブキャリア12n＋11のうちの少なくとも1つを含む。
【０４００】
第3のDMRSポートグループがマッピングされる時間−周波数リソースが時間領域における第2のシンボルである場合、時間−周波数リソースは周波数領域におけるリソースユニットのサブキャリア12n、サブキャリア12n＋1、サブキャリア12n＋2、サブキャリア12n＋6、サブキャリア12n＋7、およびサブキャリア12n＋8のうちの少なくとも1つを含む。
【０４０１】
第4のDMRSポートグループがマッピングされる時間−周波数リソースが時間領域における第2のシンボルである場合、時間−周波数リソースは周波数領域におけるリソースユニットのサブキャリア12n＋3、サブキャリア12n＋4、サブキャリア12n＋5、サブキャリア12n＋9、サブキャリア12n＋10、およびサブキャリア12n＋11のうちの少なくとも1つを含む。
【０４０２】
nは0以上かつ
【数４５】
0006943974.tif 000046
未満の任意の1つ以上の整数であり得る。
【０４０３】
図24の（e）は、12個のDMRSポートのマッピング規則の概略図である。それぞれの影付き小ブロックは、DMRSポートグループがマッピングされるREを指示し、n＝0である。
【０４０４】
（3）12個のDMRSポートは3つのDMRSポートグループに分割され、各DMRSポートグループは4つのDMRSポートを含む。3つのDMRSポートグループは、第1のDMRSポートグループ、第2のDMRSポートグループ、および第3のDMRSポートグループを含む。同じ時間−周波数リソースが、各DMRSポートグループにおけるDMRSポートに対応するDMRSのためにCDM方式で多重化される。3つのDMRSポートグループのマッピング規則は次のとおりである。
【０４０５】
第1：各DMRSポートグループがマッビングされる時間−周波数リソースは、第1のシンボルおよび第2のシンボルを含む。
【０４０６】
第1のDMRSポートグループがマッピングされる時間−周波数リソースが時間領域における第1のシンボルおよび第2のシンボルである場合、時間−周波数リソースは周波数領域におけるリソースユニットのサブキャリア12n、サブキャリア12n＋1、サブキャリア12n＋2、およびサブキャリア12n＋3のうちの少なくとも1つを含む。
【０４０７】
第2のDMRSポートグループがマッピングされる時間−周波数リソースが時間領域における第1のシンボルおよび第2のシンボルである場合、時間−周波数リソースは周波数領域におけるリソースユニットのサブキャリア12n＋4、サブキャリア12n＋5、サブキャリア12n＋6、およびサブキャリア12n＋7のうちの少なくとも1つを含む。
【０４０８】
第3のDMRSポートグループがマッピングされる時間−周波数リソースが時間領域における第1のシンボルおよび第2のシンボルである場合、時間−周波数リソースは周波数領域におけるリソースユニットのサブキャリア12n＋8、サブキャリア12n＋9、サブキャリア12n＋10、およびサブキャリア12n＋11のうちの少なくとも1つを含む。
【０４０９】
nは0以上かつ
【数４６】
0006943974.tif 000047
未満の任意の1つ以上の整数であり得る。
【０４１０】
図25の（a）は、12個のDMRSポートのマッピング規則の概略図である。それぞれの影付き小ブロックは、DMRSポートグループがマッピングされるREを指示し、n＝0である。
【０４１１】
第2：各DMRSポートグループがマッビングされる時間−周波数リソースは、第1のシンボルおよび第2のシンボルを含む。
【０４１２】
第1のDMRSポートグループがマッピングされる時間−周波数リソースが時間領域における第1のシンボルである場合、時間−周波数リソースは周波数領域におけるリソースユニットのサブキャリア12n、サブキャリア12n＋1、サブキャリア12n＋2、およびサブキャリア12n＋3を含み、第1のDMRSポートグループがマッピングされる時間−周波数リソースが時間領域における第2のシンボルである場合、時間−周波数リソースは周波数領域におけるリソースユニットのサブキャリア12n＋8、サブキャリア12n＋9、サブキャリア12n＋10、およびサブキャリア12n＋11のうちの少なくとも1つを含む。
【０４１３】
第2のDMRSポートグループがマッピングされる時間−周波数リソースが時間領域における第1のシンボルである場合、時間−周波数リソースは周波数領域におけるリソースユニットのサブキャリア12n＋4、サブキャリア12n＋5、サブキャリア12n＋6、およびサブキャリア12n＋7を含み、第2のDMRSポートグループがマッピングされる時間−周波数リソースが時間領域における第2のシンボルである場合、時間−周波数リソースは周波数領域におけるリソースユニットのサブキャリア12n、サブキャリア12n＋1、サブキャリア12n＋2、およびサブキャリア12n＋3のうちの少なくとも1つを含む。
【０４１４】
第3のDMRSポートグループがマッピングされる時間−周波数リソースが時間領域における第1のシンボルである場合、時間−周波数リソースは周波数領域におけるリソースユニットのサブキャリア12n＋8、サブキャリア12n＋9、サブキャリア12n＋10、およびサブキャリア12n＋11のうちの少なくとも1つを含み、第3のDMRSポートグループがマッピングされる時間−周波数リソースが時間領域における第2のシンボルである場合、時間−周波数リソースは周波数領域におけるリソースユニットのサブキャリア12n＋4、サブキャリア12n＋5、サブキャリア12n＋6、およびサブキャリア12n＋7のうちの少なくとも1つを含む。
【０４１５】
nは0以上かつ
【数４７】
0006943974.tif 000048
未満の任意の1つ以上の整数であり得る。
【０４１６】
図25の（b）は、12個のDMRSポートのマッピング規則の概略図である。それぞれの影付き小ブロックは、DMRSポートグループがマッピングされるREを指示し、n＝0である。
【０４１７】
第3：各DMRSポートグループがマッビングされる時間−周波数リソースは、第1のシンボルおよび第2のシンボルを含む。
【０４１８】
第1のDMRSポートグループがマッピングされる時間−周波数リソースが時間領域における第1のシンボルである場合、時間−周波数リソースは周波数領域におけるリソースユニットのサブキャリア12n、サブキャリア12n＋1、サブキャリア12n＋2、およびサブキャリア12n＋3のうちの少なくとも1つを含み、第1のDMRSポートグループがマッピングされる時間−周波数リソースが時間領域における第2のシンボルである場合、時間−周波数リソースは周波数領域におけるリソースユニットのサブキャリア12n＋4、サブキャリア12n＋5、サブキャリア12n＋6、およびサブキャリア12n＋7のうちの少なくとも1つを含む。
【０４１９】
第2のDMRSポートグループがマッピングされる時間−周波数リソースが時間領域における第1のシンボルである場合、時間−周波数リソースは周波数領域におけるリソースユニットのサブキャリア12n＋4、サブキャリア12n＋5、サブキャリア12n＋6、およびサブキャリア12n＋7のうちの少なくとも1つを含み、第2のDMRSポートグループがマッピングされる時間−周波数リソースが時間領域における第2のシンボルである場合、時間−周波数リソースは周波数領域におけるリソースユニットのサブキャリア12n＋8、サブキャリア12n＋9、サブキャリア12n＋10、およびサブキャリア12n＋11のうちの少なくとも1つを含む。
【０４２０】
第3のDMRSポートグループがマッピングされる時間−周波数リソースが時間領域における第1のシンボルである場合、時間−周波数リソースは周波数領域におけるリソースユニットのサブキャリア12n＋8、サブキャリア12n＋9、サブキャリア12n＋10、およびサブキャリア12n＋11のうちの少なくとも1つを含み、第3のDMRSポートグループがマッピングされる時間−周波数リソースが時間領域における第2のシンボルである場合、時間−周波数リソースは周波数領域におけるリソースユニットのサブキャリア12n、サブキャリア12n＋1、サブキャリア12n＋2、およびサブキャリア12n＋3のうちの少なくとも1つを含む。
【０４２１】
nは0以上かつ
【数４８】
0006943974.tif 000049
未満の任意の1つ以上の整数であり得る。
【０４２２】
図25の（c）は、12個のDMRSポートのマッピング規則の概略図である。それぞれの影付き小ブロックは、DMRSポートグループがマッピングされるREを指示し、n＝0である。
【０４２３】
第4：各DMRSポートグループがマッビングされる時間−周波数リソースは、第1のシンボルおよび第2のシンボルを含む。
【０４２４】
第1のDMRSポートグループがマッピングされる時間−周波数リソースが時間領域における第1のシンボルおよび第2のシンボルである場合、時間−周波数リソースは周波数領域におけるリソースユニットのサブキャリア3nを含む。
【０４２５】
第2のDMRSポートグループがマッピングされる時間−周波数リソースが時間領域における第1のシンボルおよび第2のシンボルである場合、時間−周波数リソースは周波数領域におけるリソースユニットのサブキャリア3n＋1を含む。
【０４２６】
第3のDMRSポートグループがマッピングされる時間−周波数リソースが時間領域における第1のシンボルおよび第2のシンボルである場合、時間−周波数リソースは周波数領域におけるリソースユニットのサブキャリア3n＋2を含む。
【０４２７】
nは0以上かつ
【数４９】
0006943974.tif 000050
未満の任意の1つ以上の整数であり得る。
【０４２８】
図25の（d）は、12個のDMRSポートのマッピング規則の概略図である。それぞれの影付き小ブロックは、DMRSポートグループがマッピングされるREを指示し、n＝0、1、2、または3である。この解決策では、ポートは、周波数領域において均等に分散され、2つのシンボル上に分散され、高い密度を有する。これにより、様々なシナリオで高いチャネル推定精度が確保される。加えて、ポートは、均等に分散されるが、周波数領域において相互に分離している。従って、この解決策は、低いPAPRの特徴を有し、マルチキャリア送信シナリオとシングルキャリア送信シナリオとの両方に適用可能であり、それにより、アップリンクおよびダウンリンク送信またはマルチ波形送信の統合設計が容易になり、また、この解決策は、MU−MIMOシナリオに適用可能であり、それによりシステムのDMRS指示のオーバーヘッドおよび設計の複雑さが軽減される。加えて、この解決策では、ポートマッピングの場所が固定される。従って、この解決策はより一般的に使用され、システム指示オーバーヘッドが削減される。加えて、この解決策では、ポートは周波数領域に均等にマッピングされ、それにより柔軟なスケジューリングが容易になる。さらに、パワーブースティングまたはデータ送信が、占有されていないポートグループの位置で実行され得る。
【０４２９】
第5：各DMRSポートグループがマッビングされる時間−周波数リソースは、第1のシンボルおよび第2のシンボルを含む。
【０４３０】
第1のDMRSポートグループがマッピングされる時間−周波数リソースが時間領域における第1のシンボルである場合、時間−周波数リソースは周波数領域におけるリソースユニットのサブキャリア3nを含み、第1のDMRSポートグループがマッピングされる時間−周波数リソースが時間領域における第2のシンボルである場合、時間−周波数リソースは周波数領域におけるリソースユニットのサブキャリア3n＋2を含む。
【０４３１】
第2のDMRSポートグループがマッピングされる時間−周波数リソースが時間領域における第1のシンボルである場合、時間−周波数リソースは周波数領域におけるリソースユニットのサブキャリア3n＋1を含み、第2のDMRSポートグループがマッピングされる時間−周波数リソースが時間領域における第2のシンボルである場合、時間−周波数リソースは周波数領域におけるリソースユニットのサブキャリア3nを含む。
【０４３２】
第3のDMRSポートグループがマッピングされる時間−周波数リソースが時間領域における第1のシンボルである場合、時間−周波数リソースは周波数領域におけるリソースユニットのサブキャリア3n＋2を含み、第3のDMRSポートグループがマッピングされる時間−周波数リソースが時間領域における第2のシンボルである場合、時間−周波数リソースは周波数領域におけるリソースユニットのサブキャリア3n＋1を含む。
【０４３３】
nは0以上かつ
【数５０】
0006943974.tif 000051
未満の任意の1つ以上の整数であり得る。
【０４３４】
図25の（e）は、12個のDMRSポートのマッピング規則の概略図である。それぞれの影付き小ブロックは、DMRSポートグループがマッピングされるREを指示し、n＝0、1、2、または3である。
【０４３５】
第6：各DMRSポートグループがマッビングされる時間−周波数リソースは、第1のシンボルおよび第2のシンボルを含む。
【０４３６】
第1のDMRSポートグループがマッピングされる時間−周波数リソースが時間領域における第1のシンボルである場合、時間−周波数リソースは周波数領域におけるリソースユニットのサブキャリア3nを含み、第1のDMRSポートグループがマッピングされる時間−周波数リソースが時間領域における第2のシンボルである場合、時間−周波数リソースは周波数領域におけるリソースユニットのサブキャリア3n＋1を含む。
【０４３７】
第2のDMRSポートグループがマッピングされる時間−周波数リソースが時間領域における第1のシンボルである場合、時間−周波数リソースは周波数領域におけるリソースユニットのサブキャリア3n＋1を含み、第2のDMRSポートグループがマッピングされる時間−周波数リソースが時間領域における第2のシンボルである場合、時間−周波数リソースは周波数領域におけるリソースユニットのサブキャリア3n＋2を含む。
【０４３８】
第3のDMRSポートグループがマッピングされる時間−周波数リソースが時間領域における第1のシンボルである場合、時間−周波数リソースは周波数領域におけるリソースユニットのサブキャリア3n＋2を含み、第3のDMRSポートグループがマッピングされる時間−周波数リソースが時間領域における第2のシンボルである場合、時間−周波数リソースは周波数領域におけるリソースユニットのサブキャリア3nを含む。
【０４３９】
nは0以上かつ
【数５１】
0006943974.tif 000052
未満の任意の1つ以上の整数であり得る。
【０４４０】
図25の（f）は、12個のDMRSポートのマッピング規則の概略図である。それぞれの影付き小ブロックは、DMRSポートグループがマッピングされるREを指示し、n＝0、1、2、または3である。
【０４４１】
第7：各DMRSポートグループがマッビングされる時間−周波数リソースは、第1のシンボルおよび第2のシンボルを含む。
【０４４２】
第1のDMRSポートグループがマッピングされる時間−周波数リソースが時間領域における第1のシンボルである場合、時間−周波数リソースは周波数領域におけるリソースユニットのサブキャリア12n、サブキャリア12n＋1、サブキャリア12n＋6、およびサブキャリア12n＋7のうちの少なくとも1つを含み、第1のDMRSポートグループがマッピングされる時間−周波数リソースが時間領域における第2のシンボルである場合、時間−周波数リソースは周波数領域におけるリソースユニットのサブキャリア12n＋4、サブキャリア12n＋5、サブキャリア12n＋10、およびサブキャリア12n＋11のうちの少なくとも1つを含む。
【０４４３】
第2のDMRSポートグループがマッピングされる時間−周波数リソースが時間領域における第1のシンボルである場合、時間−周波数リソースは周波数領域におけるリソースユニットのサブキャリア12n＋2、サブキャリア12n＋3、サブキャリア12n＋8、およびサブキャリア12n＋9のうちの少なくとも1つを含み、第2のDMRSポートグループがマッピングされる時間−周波数リソースが時間領域における第2のシンボルである場合、時間−周波数リソースは周波数領域におけるリソースユニットのサブキャリア12n、サブキャリア12n＋1、サブキャリア12n＋6、およびサブキャリア12n＋7のうちの少なくとも1つを含む。
【０４４４】
第3のDMRSポートグループがマッピングされる時間−周波数リソースが時間領域における第1のシンボルである場合、時間−周波数リソースは周波数領域におけるリソースユニットのサブキャリア12n＋4、サブキャリア12n＋5、サブキャリア12n＋10、およびサブキャリア12n＋11のうちの少なくとも1つを含み、第3のDMRSポートグループがマッピングされる時間−周波数リソースが時間領域における第2のシンボルである場合、時間−周波数リソースは周波数領域におけるリソースユニットのサブキャリア12n＋2、サブキャリア12n＋3、サブキャリア12n＋8、およびサブキャリア12n＋9のうちの少なくとも1つを含む。
【０４４５】
nは0以上かつ
【数５２】
0006943974.tif 000053
未満の任意の1つ以上の整数であり得る。
【０４４６】
図25の（g）は、12個のDMRSポートのマッピング規則の概略図である。それぞれの影付き小ブロックは、DMRSポートグループがマッピングされるREを指示し、n＝0である。
【０４４７】
（4）12個のDMRSポートは2つのDMRSポートグループに分割され、各DMRSポートグループは6つのDMRSポートを含む。2つのDMRSポートグループは、第1のDMRSポートグループおよび第2のDMRSポートグループを含む。同じ時間−周波数リソースが、各DMRSポートグループにおけるDMRSポートに対応するDMRSのためにCDM方式で多重化される。2つのDMRSポートグループのマッピング規則は次のとおりである。
【０４４８】
第1：各DMRSポートグループがマッビングされる時間−周波数リソースは、第1のシンボルおよび第2のシンボルを含み、各DMRSポートグループが周波数領域においてマッピングされる時間−周波数リソースについては、図21の（a）に対応する解決策が参照され得る。この場合、図26の（a）に例が示される。
【０４４９】
第2：各DMRSポートグループがマッビングされる時間−周波数リソースは、第1のシンボルおよび第2のシンボルを含み、各DMRSポートグループが周波数領域においてマッピングされる時間−周波数リソースについては、図21の（b）に対応する解決策が参照され得る。この場合、図26の（b）に例が示される。
【０４５０】
第3：各DMRSポートグループがマッビングされる時間−周波数リソースは、第1のシンボルおよび第2のシンボルを含み、各DMRSポートグループが周波数領域においてマッピングされる時間−周波数リソースについては、図21の（c）に対応する解決策が参照され得る。この場合、図26の（c）に例が示される。
【０４５１】
第4：各DMRSポートグループがマッビングされる時間−周波数リソースは、第1のシンボルおよび第2のシンボルを含み、各DMRSポートグループが周波数領域においてマッピングされる時間−周波数リソースについては、図21の（d）に対応する解決策が参照され得る。この場合、図26の（d）に例が示される。
【０４５２】
第5：各DMRSポートグループがマッビングされる時間−周波数リソースは、第1のシンボルおよび第2のシンボルを含む。
【０４５３】
第1のDMRSポートグループがマッピングされる時間−周波数リソースが時間領域における第1のシンボルである場合、時間−周波数リソースは周波数領域におけるリソースユニットのサブキャリア12n、サブキャリア12n＋1、サブキャリア12n＋2、サブキャリア12n＋3、サブキャリア12n＋4、およびサブキャリア12n＋5のうちの少なくとも1つを含み、第1のDMRSポートグループがマッピングされる時間−周波数リソースが時間領域における第2のシンボルである場合、時間−周波数リソースは周波数領域におけるリソースユニットのサブキャリア12n＋6、サブキャリア12n＋7、サブキャリア12n＋8、サブキャリア12n＋9、サブキャリア12n＋10、およびサブキャリア12n＋11のうちの少なくとも1つを含む。
【０４５４】
第2のDMRSポートグループがマッピングされる時間−周波数リソースが時間領域における第1のシンボルである場合、時間−周波数リソースは周波数領域におけるリソースユニットのサブキャリア12n＋6、サブキャリア12n＋7、サブキャリア12n＋8、サブキャリア12n＋9、サブキャリア12n＋10、およびサブキャリア12n＋11のうちの少なくとも1つを含み、第2のDMRSポートグループがマッピングされる時間−周波数リソースが時間領域における第2のシンボルである場合、時間−周波数リソースは周波数領域におけるリソースユニットのサブキャリア12n、サブキャリア12n＋1、サブキャリア12n＋2、サブキャリア12n＋3、サブキャリア12n＋4、およびサブキャリア12n＋5のうちの少なくとも1つを含む。
【０４５５】
nは0以上かつ
【数５３】
0006943974.tif 000054
未満の任意の1つ以上の整数であり得る。
【０４５６】
図27の（a）は、12個のDMRSポートのマッピング規則の概略図である。それぞれの影付き小ブロックは、DMRSポートグループがマッピングされるREを指示し、n＝0である。
【０４５７】
第6：各DMRSポートグループがマッビングされる時間−周波数リソースは、第1のシンボルおよび第2のシンボルを含む。
【０４５８】
第1のDMRSポートグループがマッピングされる時間−周波数リソースが時間領域における第1のシンボルである場合、時間−周波数リソースは周波数領域におけるリソースユニットのサブキャリア12n、サブキャリア12n＋1、サブキャリア12n＋2、サブキャリア12n＋6、サブキャリア12n＋7、およびサブキャリア12n＋8のうちの少なくとも1つを含み、第1のDMRSポートグループがマッピングされる時間−周波数リソースが時間領域における第2のシンボルである場合、時間−周波数リソースは周波数領域におけるリソースユニットのサブキャリア12n＋3、サブキャリア12n＋4、サブキャリア12n＋5、サブキャリア12n＋9、サブキャリア12n＋10、およびサブキャリア12n＋11のうちの少なくとも1つを含む。
【０４５９】
第2のDMRSポートグループがマッピングされる時間−周波数リソースが時間領域における第1のシンボルである場合、時間−周波数リソースは周波数領域におけるリソースユニットのサブキャリア12n＋3、サブキャリア12n＋4、サブキャリア12n＋5、サブキャリア12n＋9、サブキャリア12n＋10、およびサブキャリア12n＋11のうちの少なくとも1つを含み、第2のDMRSポートグループがマッピングされる時間−周波数リソースが時間領域における第2のシンボルである場合、時間−周波数リソースは周波数領域におけるリソースユニットのサブキャリア12n、サブキャリア12n＋1、サブキャリア12n＋2、サブキャリア12n＋6、サブキャリア12n＋7、およびサブキャリア12n＋8のうちの少なくとも1つを含む。
【０４６０】
nは0以上かつ
【数５４】
0006943974.tif 000055
未満の任意の1つ以上の整数であり得る。
【０４６１】
図27の（b）は、12個のDMRSポートのマッピング規則の概略図である。それぞれの影付き小ブロックは、DMRSポートグループがマッピングされるREを指示し、n＝0である。
【０４６２】
第7：各DMRSポートグループがマッビングされる時間−周波数リソースは、第1のシンボルおよび第2のシンボルを含む。
【０４６３】
第1のDMRSポートグループがマッピングされる時間−周波数リソースが時間領域における第1のシンボルである場合、時間−周波数リソースは周波数領域におけるリソースユニットのサブキャリア12n、サブキャリア12n＋1、サブキャリア12n＋4、サブキャリア12n＋5、サブキャリア12n＋8、およびサブキャリア12n＋9のうちの少なくとも1つを含み、第1のDMRSポートグループがマッピングされる時間−周波数リソースが時間領域における第2のシンボルである場合、時間−周波数リソースは周波数領域におけるリソースユニットのサブキャリア12n＋2、サブキャリア12n＋3、サブキャリア12n＋6、サブキャリア12n＋7、サブキャリア12n＋10、およびサブキャリア12n＋11のうちの少なくとも1つを含む。
【０４６４】
第2のDMRSポートグループがマッピングされる時間−周波数リソースが時間領域における第1のシンボルである場合、時間−周波数リソースは周波数領域におけるリソースユニットのサブキャリア12n＋2、サブキャリア12n＋3、サブキャリア12n＋6、サブキャリア12n＋7、サブキャリア12n＋10、およびサブキャリア12n＋11のうちの少なくとも1つを含み、第2のDMRSポートグループがマッピングされる時間−周波数リソースが時間領域における第2のシンボルである場合、時間−周波数リソースは周波数領域におけるリソースユニットのサブキャリア12n、サブキャリア12n＋1、サブキャリア12n＋4、サブキャリア12n＋5、サブキャリア12n＋8、およびサブキャリア12n＋9のうちの少なくとも1つを含む。
【０４６５】
nは0以上かつ
【数５５】
0006943974.tif 000056
未満の任意の1つ以上の整数であり得る。
【０４６６】
図27の（c）は、12個のDMRSポートのマッピング規則の概略図である。それぞれの影付き小ブロックは、DMRSポートグループがマッピングされるREを指示し、n＝0である。
【０４６７】
第8：各DMRSポートグループがマッビングされる時間−周波数リソースは、第1のシンボルおよび第2のシンボルを含む。
【０４６８】
第1のDMRSポートグループがマッピングされる時間−周波数リソースが時間領域における第1のシンボルである場合、時間−周波数リソースは周波数領域におけるリソースユニットのサブキャリア2nを含み、第1のDMRSポートグループがマッピングされる時間−周波数リソースが時間領域における第2のシンボルである場合、時間−周波数リソースは周波数領域におけるリソースユニットのサブキャリア2n＋1を含む。
【０４６９】
第2のDMRSポートグループがマッピングされる時間−周波数リソースが時間領域における第1のシンボルである場合、時間−周波数リソースは周波数領域におけるリソースユニットのサブキャリア2n＋1を含み、第2のDMRSポートグループがマッピングされる時間−周波数リソースが時間領域における第2のシンボルである場合、時間−周波数リソースは周波数領域におけるリソースユニットのサブキャリア2nを含む。
【０４７０】
nは0以上かつ
【数５６】
0006943974.tif 000057
未満の任意の1つ以上の整数であり得る。
【０４７１】
図27の（d）は、12個のDMRSポートのマッピング規則の概略図である。それぞれの影付き小ブロックは、DMRSポートグループがマッピングされるREを指示し、n＝0、1、2、3、4、または5である。
【０４７２】
第9：第1のDMRSポートグループがマッピングされる時間−周波数リソースは時間領域における第1のシンボルを含み、第2のDMRSポートグループがマッピングされる時間−周波数リソースは時間領域における第2のシンボルを含む。
【０４７３】
第1のDMRSポートグループがマッピングされる時間−周波数リソースが時間領域における第1のシンボルである場合、時間−周波数リソースは周波数領域におけるリソースユニットのサブキャリア2nである。
【０４７４】
第2のDMRSポートグループがマッピングされる時間−周波数リソースが時間領域における第2のシンボルである場合、時間−周波数リソースは周波数領域におけるリソースユニットのサブキャリア2nである。
【０４７５】
nは0以上かつ
【数５７】
0006943974.tif 000058
未満の任意の1つ以上の整数であり得る。
【０４７６】
図27の（e）は、12個のDMRSポートのマッピング規則の概略図である。それぞれの影付き小ブロックは、DMRSポートグループがマッピングされるREを指示し、n＝0、1、2、3、4、または5である。それぞれの空白の小ブロックは、DMRSポートグループがマッピングされていないREを指示する。
【０４７７】
（4）同じ時間−周波数リソースが、12個のDMRSポートに対応するDMRSのためにCDM方式で多重化される。この場合、12個のDMRSポートは1つのDMRSポートグループと見なされ得る。DMRSポートグループのマッピング規則は次のとおりである。
【０４７８】
DMRSポートグループがマッピングされる時間−周波数リソースが時間領域における第1のシンボルおよび第2のシンボルである場合、時間−周波数リソースは周波数領域におけるリソースユニットのサブキャリアnを含む。
【０４７９】
nは0以上かつM未満の任意の1つ以上の整数であり得る。
【０４８０】
図28は、12個のDMRSポートのマッピング規則の概略図である。それぞれの影付き小ブロックは、DMRSポートグループがマッピングされるREを指示し、n＝0、1、2、3、4、5、6、7、8、9、10または11である。
【０４８１】
システムがサポートするDMRSポートの総数は16である。
【０４８２】
1．16個のDMRSポートがマッピングされる時間−周波数リソースは、時間領域におけるリソースユニットの第1のシンボルを含む。
【０４８３】
（1）16個のDMRSポートは4つのDMRSポートグループに分割され、各DMRSポートグループは4つのDMRSポートを含む。4つのDMRSポートグループは、第1のDMRSポートグループ、第2のDMRSポートグループ、第3のDMRSポートグループ、および第4のDMRSポートグループを含む。同じ時間−周波数リソースが、各DMRSポートグループにおけるDMRSポートに対応するDMRSのためにCDM方式で多重化される。4つのDMRSポートグループのマッピング規則は次のとおりである。
【０４８４】
第1：
【０４８５】
第1のDMRSポートグループがマッピングされる時間−周波数リソースは、周波数領域におけるリソースユニットのサブキャリア12n、サブキャリア12n＋1、およびサブキャリア12n＋2のうちの少なくとも1つを含む。
【０４８６】
第2のDMRSポートグループがマッピングされる時間−周波数リソースは、周波数領域におけるリソースユニットのサブキャリア12n＋3、サブキャリア12n＋4、およびサブキャリア12n＋5のうちの少なくとも1つを含む。
【０４８７】
第3のDMRSポートグループがマッピングされる時間−周波数リソースは、周波数領域におけるリソースユニットのサブキャリア12n＋6、サブキャリア12n＋7、およびサブキャリア12n＋8のうちの少なくとも1つを含む。
【０４８８】
第4のDMRSポートグループがマッピングされる時間−周波数リソースは、周波数領域におけるリソースユニットのサブキャリア12n＋9、サブキャリア12n＋10、およびサブキャリア12n＋11のうちの少なくとも1つを含む。
【０４８９】
nは0以上かつ
【数５８】
0006943974.tif 000059
未満の任意の1つ以上の整数であり得る。
【０４９０】
図29の（a）は、16個のDMRSポートのマッピング規則の概略図である。それぞれの影付き小ブロックは、DMRSポートグループがマッピングされるREを指示し、n＝0である。
【０４９１】
第2：
【０４９２】
第1のDMRSポートグループがマッピングされる時間−周波数リソースは、周波数領域におけるリソースユニットのサブキャリア4nを含む。
【０４９３】
第2のDMRSポートグループがマッピングされる時間−周波数リソースは、周波数領域におけるリソースユニットのサブキャリア4n＋1を含む。
【０４９４】
第3のDMRSポートグループがマッピングされる時間−周波数リソースは、周波数領域におけるリソースユニットのサブキャリア4n＋2を含む。
【０４９５】
第4のDMRSポートグループがマッピングされる時間−周波数リソースは、周波数領域におけるリソースユニットのサブキャリア4n＋3を含む。
【０４９６】
nは0以上かつ
【数５９】
0006943974.tif 000060
未満の任意の1つ以上の整数であり得る。
【０４９７】
図29の（b）は、16個のDMRSポートのマッピング規則の概略図である。それぞれの影付き小ブロックは、DMRSポートグループがマッピングされるREを指示し、n＝0、1、または2である。
【０４９８】
（2）16個のDMRSポートは2つのDMRSポートグループに分割され、各DMRSポートグループは8つのDMRSポートを含む。2つのDMRSポートグループは、第1のDMRSポートグループおよび第2のDMRSポートグループを含む。同じ時間−周波数リソースが、各DMRSポートグループにおけるDMRSポートに対応するDMRSのためにCDM方式で多重化される。2つのDMRSポートグループのマッピング規則は次のとおりである。
【０４９９】
第1：
【０５００】
第1のDMRSポートグループがマッピングされる時間−周波数リソースは、周波数領域におけるリソースユニットのサブキャリア12n、サブキャリア12n＋1、サブキャリア12n＋4、サブキャリア12n＋5、サブキャリア12n＋8、およびサブキャリア12n＋9のうちの少なくとも1つを含む。
【０５０１】
第2のDMRSポートグループがマッピングされる時間−周波数リソースは、周波数領域におけるリソースユニットのサブキャリア12n＋2、サブキャリア12n＋3、サブキャリア12n＋6、サブキャリア12n＋7、サブキャリア12n＋10、およびサブキャリア12n＋11のうちの少なくとも1つを含む。
【０５０２】
nは0以上かつ
【数６０】
0006943974.tif 000061
未満の任意の1つ以上の整数であり得る。
【０５０３】
図30の（a）は、16個のDMRSポートのマッピング規則の概略図である。それぞれの影付き小ブロックは、DMRSポートグループがマッピングされるREを指示し、n＝0である。
【０５０４】
第2：
【０５０５】
第1のDMRSポートグループがマッピングされる時間−周波数リソースは、周波数領域におけるリソースユニットのサブキャリア2nを含む。
【０５０６】
第2のDMRSポートグループがマッピングされる時間−周波数リソースは、周波数領域におけるリソースユニットのサブキャリア2n＋1を含む。
【０５０７】
nは0以上かつ
【数６１】
0006943974.tif 000062
未満の任意の1つ以上の整数であり得る。
【０５０８】
図30の（b）は、16個のDMRSポートのマッピング規則の概略図である。それぞれの影付き小ブロックは、DMRSポートグループがマッピングされるREを指示し、n＝0、1、2、3、4、または5である。
【０５０９】
（3）同じ時間−周波数リソースが、16個のDMRSポートに対応するDMRSのためにCDM方式で多重化される。この場合、16個のDMRSポートは1つのDMRSポートグループと見なされ得る。DMRSポートグループのマッピング規則は次のとおりである。
【０５１０】
DMRSポートグループがマッピングされる時間−周波数リソースは、周波数領域におけるリソースユニットのサブキャリアnを含む。
【０５１１】
nは0以上かつM未満の任意の1つ以上の整数であり得る。
【０５１２】
図31は、16個のDMRSポートのマッピング規則の概略図である。それぞれの影付き小ブロックは、DMRSポートグループがマッピングされるREを指示し、n＝0、1、2、3、4、5、6、7、8、9、10または11である。
【０５１３】
2．16個のDMRSポートがマッピングされる時間−周波数リソースは、時間領域におけるリソースユニットの第1のシンボルおよび第2のシンボルを含む。
【０５１４】
（1）16個のDMRSポートは4つのDMRSポートグループに分割され、各DMRSポートグループは4つのDMRSポートを含む。4つのDMRSポートグループは、第1のDMRSポートグループ、第2のDMRSポートグループ、第3のDMRSポートグループ、および第4のDMRSポートグループを含む。同じ時間−周波数リソースが、各DMRSポートグループにおけるDMRSポートに対応するDMRSのためにCDM方式で多重化される。4つのDMRSポートグループのマッピング規則は次のとおりである。
【０５１５】
第1：各DMRSポートグループがマッビングされる時間−周波数リソースは、第1のシンボルおよび第2のシンボルを含み、各DMRSポートグループが周波数領域においてマッピングされる時間−周波数リソースについては、図29の（a）に対応する解決策が参照され得る。この場合、図32の（a）に例が示される。
【０５１６】
第2：各DMRSポートグループがマッビングされる時間−周波数リソースは、第1のシンボルおよび第2のシンボルを含み、各DMRSポートグループが周波数領域においてマッピングされる時間−周波数リソースについては、図29の（b）に対応する解決策が参照され得る。この場合、図32の（b）に例が示される。この解決策では、ポートは、周波数領域において均等に分散され、2つのシンボル上に分散され、高い密度を有する。これにより、様々なシナリオで高いチャネル推定精度が確保される。加えて、ポートは、均等に分散されるが、周波数領域において相互に分離している。従って、この解決策は、低いPAPRの特徴を有し、マルチキャリア送信シナリオとシングルキャリア送信シナリオとの両方に適用可能であり、それにより、アップリンクおよびダウンリンク送信またはマルチ波形送信の統合設計を実施し、また、この解決策は、MU−MIMOシナリオに適用可能であり、それによりシステムのDMRS指示のオーバーヘッドおよび設計の複雑さが軽減される。加えて、この解決策では、ポートマッピングの場所が固定される。従って、この解決策はより一般的に使用され、システム指示オーバーヘッドが削減される。この解決策では、ポートは周波数領域において均等にマッピングされ、それにより柔軟なスケジューリングが容易になる。さらに、パワーブースティングまたはデータ送信が、占有されていないポートグループの位置で実行され得る。
【０５１７】
第3：各DMRSポートグループがマッビングされる時間−周波数リソースは、第1のシンボルおよび第2のシンボルを含む。
【０５１８】
第1のDMRSポートグループがマッピングされる時間−周波数リソースが時間領域における第1のシンボルである場合、時間−周波数リソースは周波数領域におけるリソースユニットのサブキャリア12n、サブキャリア12n＋1、およびサブキャリア12n＋2のうちの少なくとも1つを含み、第1のDMRSポートグループがマッピングされる時間−周波数リソースが時間領域における第2のシンボルである場合、時間−周波数リソースは周波数領域におけるリソースユニットのサブキャリア12n＋6、サブキャリア12n＋7、およびサブキャリア12n＋8のうちの少なくとも1つを含む。
【０５１９】
第2のDMRSポートグループがマッピングされる時間−周波数リソースが時間領域における第1のシンボルである場合、時間−周波数リソースは周波数領域におけるリソースユニットのサブキャリア12n＋3、サブキャリア12n＋4、およびサブキャリア12n＋5のうちの少なくとも1つを含み、第2のDMRSポートグループがマッピングされる時間−周波数リソースが時間領域における第2のシンボルである場合、時間−周波数リソースは周波数領域におけるリソースユニットのサブキャリア12n＋9、サブキャリア12n＋10、およびサブキャリア12n＋11のうちの少なくとも1つを含む。
【０５２０】
第3のDMRSポートグループがマッピングされる時間−周波数リソースが時間領域における第1のシンボルである場合、時間−周波数リソースは周波数領域におけるリソースユニットのサブキャリア12n＋6、サブキャリア12n＋7、およびサブキャリア12n＋8のうちの少なくとも1つを含み、第3のDMRSポートグループがマッピングされる時間−周波数リソースが時間領域における第2のシンボルである場合、時間−周波数リソースは周波数領域におけるリソースユニットのサブキャリア12n、サブキャリア12n＋1、およびサブキャリア12n＋2のうちの少なくとも1つを含む。
【０５２１】
第4のDMRSポートグループがマッピングされる時間−周波数リソースが時間領域における第1のシンボルである場合、時間−周波数リソースは周波数領域におけるリソースユニットのサブキャリア12n＋9、サブキャリア12n＋10、およびサブキャリア12n＋11のうちの少なくとも1つを含み、第4のDMRSポートグループがマッピングされる時間−周波数リソースが時間領域における第2のシンボルである場合、時間−周波数リソースは周波数領域におけるリソースユニットのサブキャリア12n＋3、サブキャリア12n＋4、およびサブキャリア12n＋5のうちの少なくとも1つを含む。
【０５２２】
nは0以上かつ
【数６２】
0006943974.tif 000063
未満の任意の1つ以上の整数であり得る。
【０５２３】
図32の（c）は、16個のDMRSポートのマッピング規則の概略図である。それぞれの影付き小ブロックは、DMRSポートグループがマッピングされるREを指示し、n＝0である。
【０５２４】
第4：第1および第2のDMRSポートグループがマッピングされる時間−周波数リソースは時間領域において第1のシンボルを含み、第3および第4のDMRSポートグループがマッピングされる時間−周波数リソースは時間領域において第2のシンボルを含む。
【０５２５】
第1のDMRSポートグループがマッピングされる時間−周波数リソースが時間領域における第1のシンボルである場合、時間−周波数リソースは周波数領域におけるリソースユニットのサブキャリア12n、サブキャリア12n＋1、サブキャリア12n＋2、サブキャリア12n＋6、サブキャリア12n＋7、およびサブキャリア12n＋8のうちの少なくとも1つである。
【０５２６】
第2のDMRSポートグループがマッピングされる時間−周波数リソースが時間領域における第1のシンボルである場合、時間−周波数リソースは周波数領域におけるリソースユニットのサブキャリア12n＋3、サブキャリア12n＋4、サブキャリア12n＋5、サブキャリア12n＋9、サブキャリア12n＋10、およびサブキャリア12n＋11のうちの少なくとも1つである。
【０５２７】
第3のDMRSポートグループがマッピングされる時間−周波数リソースが時間領域における第2のシンボルである場合、時間−周波数リソースは周波数領域におけるリソースユニットのサブキャリア12n、サブキャリア12n＋1、サブキャリア12n＋2、サブキャリア12n＋6、サブキャリア12n＋7、およびサブキャリア12n＋8のうちの少なくとも1つである。
【０５２８】
第4のDMRSポートグループがマッピングされる時間−周波数リソースが時間領域における第2のシンボルである場合、時間−周波数リソースは周波数領域におけるリソースユニットのサブキャリア12n＋3、サブキャリア12n＋4、サブキャリア12n＋5、サブキャリア12n＋9、サブキャリア12n＋10、およびサブキャリア12n＋11のうちの少なくとも1つである。
【０５２９】
nは0以上かつ
【数６３】
0006943974.tif 000064
未満の任意の1つ以上の整数であり得る。
【０５３０】
図32の（d）は、16個のDMRSポートのマッピング規則の概略図である。それぞれの影付き小ブロックは、DMRSポートグループがマッピングされるREを指示し、n＝0である。
【０５３１】
第5：第1および第2のDMRSポートグループがマッピングされる時間−周波数リソースは時間領域において第1のシンボルを含み、第3および第4のDMRSポートグループがマッピングされる時間−周波数リソースは時間領域において第2のシンボルを含む。
【０５３２】
第1のDMRSポートグループがマッピングされる時間−周波数リソースが時間領域における第1のシンボルである場合、時間−周波数リソースは周波数領域におけるリソースユニットのサブキャリア12n、サブキャリア12n＋1、サブキャリア12n＋4、サブキャリア12n＋5、サブキャリア12n＋8、およびサブキャリア12n＋9のうちの少なくとも1つである。
【０５３３】
第2のDMRSポートグループがマッピングされる時間−周波数リソースが時間領域における第1のシンボルである場合、時間−周波数リソースは周波数領域におけるリソースユニットのサブキャリア12n＋2、サブキャリア12n＋3、サブキャリア12n＋6、サブキャリア12n＋7、サブキャリア12n＋10、およびサブキャリア12n＋11のうちの少なくとも1つである。
【０５３４】
第3のDMRSポートグループがマッピングされる時間−周波数リソースが時間領域における第2のシンボルである場合、時間−周波数リソースは周波数領域におけるリソースユニットのサブキャリア12n、サブキャリア12n＋1、サブキャリア12n＋4、サブキャリア12n＋5、サブキャリア12n＋8、およびサブキャリア12n＋9のうちの少なくとも1つである。
【０５３５】
第4のDMRSポートグループがマッピングされる時間−周波数リソースが時間領域における第2のシンボルである場合、時間−周波数リソースは周波数領域におけるリソースユニットのサブキャリア12n＋2、サブキャリア12n＋3、サブキャリア12n＋6、サブキャリア12n＋7、サブキャリア12n＋10、およびサブキャリア12n＋11のうちの少なくとも1つである。
【０５３６】
nは0以上かつ
【数６４】
0006943974.tif 000065
未満の任意の1つ以上の整数であり得る。
【０５３７】
図32の（e）は、16個のDMRSポートのマッピング規則の概略図である。それぞれの影付き小ブロックは、DMRSポートグループがマッピングされるREを指示し、n＝0である。
【０５３８】
第6：各DMRSポートグループがマッビングされる時間−周波数リソースは、第1のシンボルおよび第2のシンボルを含む。
【０５３９】
第1のDMRSポートグループがマッピングされる時間−周波数リソースが時間領域における第1のシンボルである場合、時間−周波数リソースは周波数領域におけるリソースユニットのサブキャリア4nを含み、第1のDMRSポートグループがマッピングされる時間−周波数リソースが時間領域における第2のシンボルである場合、時間−周波数リソースは周波数領域におけるリソースユニットのサブキャリア4n＋2を含む。
【０５４０】
第2のDMRSポートグループがマッピングされる時間−周波数リソースが時間領域における第1のシンボルである場合、時間−周波数リソースは周波数領域におけるリソースユニットのサブキャリア4n＋1を含み、第2のDMRSポートグループがマッピングされる時間−周波数リソースが時間領域における第2のシンボルである場合、時間−周波数リソースは周波数領域におけるリソースユニットのサブキャリア4n＋3を含む。
【０５４１】
第3のDMRSポートグループがマッピングされる時間−周波数リソースが時間領域における第1のシンボルである場合、時間−周波数リソースは周波数領域におけるリソースユニットのサブキャリア4n＋2を含み、第3のDMRSポートグループがマッピングされる時間−周波数リソースが時間領域における第2のシンボルである場合、時間−周波数リソースは周波数領域におけるリソースユニットのサブキャリア4nを含む。
【０５４２】
第4のDMRSポートグループがマッピングされる時間−周波数リソースが時間領域における第1のシンボルである場合、時間−周波数リソースは周波数領域におけるリソースユニットのサブキャリア4n＋3を含み、第4のDMRSポートグループがマッピングされる時間−周波数リソースが時間領域における第2のシンボルである場合、時間−周波数リソースは周波数領域におけるリソースユニットのサブキャリア4n＋1を含む。
【０５４３】
nは0以上かつ
【数６５】
0006943974.tif 000066
未満の任意の1つ以上の整数であり得る。
【０５４４】
図32の（f）は、16個のDMRSポートのマッピング規則の概略図である。それぞれの影付き小ブロックは、DMRSポートグループがマッピングされるREを指示し、n＝0、1、または2である。
【０５４５】
（2）16個のDMRSポートは2つのDMRSポートグループに分割され、各DMRSポートグループは8つのDMRSポートを含む。2つのDMRSポートグループは、第1のDMRSポートグループおよび第2のDMRSポートグループを含む。同じ時間−周波数リソースが、各DMRSポートグループにおけるDMRSポートに対応するDMRSのためにCDM方式で多重化される。2つのDMRSポートグループのマッピング規則は次のとおりである。
【０５４６】
第1：各DMRSポートグループがマッビングされる時間−周波数リソースは、第1のシンボルおよび第2のシンボルを含み、各DMRSポートグループが周波数領域においてマッピングされる時間−周波数リソースについては、図30の（a）に対応する解決策が参照され得る。この場合、図33の（a）に例が示される。
【０５４７】
第2：各DMRSポートグループがマッビングされる時間−周波数リソースは、第1のシンボルおよび第2のシンボルを含み、各DMRSポートグループが周波数領域においてマッピングされる時間−周波数リソースについては、図30の（b）に対応する解決策が参照され得る。この場合、図33の（b）に例が示される。この解決策では、ポートは、周波数領域において均等に分散され、2つのシンボル上に分散され、高い密度を有する。これにより、様々なシナリオで高いチャネル推定精度が確保される。加えて、ポートは、均等に分散されるが、周波数領域において相互に分離している。従って、この解決策は、低いPAPRの特徴を有し、マルチキャリア送信シナリオとシングルキャリア送信シナリオとの両方に適用可能であり、それにより、アップリンクおよびダウンリンク送信またはマルチ波形送信の統合設計が容易になり、また、この解決策は、MU−MIMOシナリオに適用可能であり、それによりシステムのDMRS指示のオーバーヘッドおよび設計の複雑さが軽減される。加えて、この解決策では、ポートマッピングの場所が固定される。従って、この解決策はより一般的に使用され、システム指示オーバーヘッドが削減される。この解決策では、ポートは周波数領域において均等にマッピングされ、それにより柔軟なスケジューリングが容易になる。さらに、パワーブースティングまたはデータ送信が、占有されていないポートグループの位置で実行され得る。
【０５４８】
第3：各DMRSポートグループがマッビングされる時間−周波数リソースは、第1のシンボルおよび第2のシンボルを含む。
【０５４９】
第1のDMRSポートグループがマッピングされる時間−周波数リソースが時間領域における第1のシンボルである場合、時間−周波数リソースは周波数領域におけるリソースユニットのサブキャリア12n、サブキャリア12n＋1、サブキャリア12n＋4、サブキャリア12n＋5、サブキャリア12n＋8、およびサブキャリア12n＋9のうちの少なくとも1つを含み、第1のDMRSポートグループがマッピングされる時間−周波数リソースが時間領域における第2のシンボルである場合、時間−周波数リソースは周波数領域におけるリソースユニットのサブキャリア12n＋2、サブキャリア12n＋3、サブキャリア12n＋6、サブキャリア12n＋7、サブキャリア12n＋10、およびサブキャリア12n＋11のうちの少なくとも1つを含む。
【０５５０】
第2のDMRSポートグループがマッピングされる時間−周波数リソースが時間領域における第1のシンボルである場合、時間−周波数リソースは周波数領域におけるリソースユニットのサブキャリア12n＋2、サブキャリア12n＋3、サブキャリア12n＋6、サブキャリア12n＋7、サブキャリア12n＋10、およびサブキャリア12n＋11のうちの少なくとも1つを含み、第2のDMRSポートグループがマッピングされる時間−周波数リソースが時間領域における第2のシンボルである場合、時間−周波数リソースは周波数領域におけるリソースユニットのサブキャリア12n、サブキャリア12n＋1、サブキャリア12n＋4、サブキャリア12n＋5、サブキャリア12n＋8、およびサブキャリア12n＋9のうちの少なくとも1つを含む。
【０５５１】
nは0以上かつ
【数６６】
0006943974.tif 000067
未満の任意の1つ以上の整数であり得る。
【０５５２】
図33の（c）は、16個のDMRSポートのマッピング規則の概略図である。それぞれの影付き小ブロックは、DMRSポートグループがマッピングされるREを指示し、n＝0である。
【０５５３】
第4：各DMRSポートグループがマッビングされる時間−周波数リソースは、第1のシンボルおよび第2のシンボルを含む。
【０５５４】
第1のDMRSポートグループがマッピングされる時間−周波数リソースが時間領域における第1のシンボルである場合、時間−周波数リソースは周波数領域におけるリソースユニットのサブキャリア2nを含み、第1のDMRSポートグループがマッピングされる時間−周波数リソースが時間領域における第2のシンボルである場合、時間−周波数リソースは周波数領域におけるリソースユニットのサブキャリア2n＋1を含む。
【０５５５】
第2のDMRSポートグループがマッピングされる時間−周波数リソースが時間領域における第1のシンボルである場合、時間−周波数リソースは周波数領域におけるリソースユニットのサブキャリア2n＋1を含み、第2のDMRSポートグループがマッピングされる時間−周波数リソースが時間領域における第2のシンボルである場合、時間−周波数リソースは周波数領域におけるリソースユニットのサブキャリア2nを含む。
【０５５６】
nは0以上かつ
【数６７】
0006943974.tif 000068
未満の任意の1つ以上の整数であり得る。
【０５５７】
図33の（d）は、16個のDMRSポートのマッピング規則の概略図である。それぞれの影付き小ブロックは、DMRSポートグループがマッピングされるREを指示し、n＝0、1、2、3、4、または5である。
【０５５８】
（3）同じ時間−周波数リソースが、16個のDMRSポートに対応するDMRSのためにCDM方式で多重化される。この場合、16個のDMRSポートは1つのDMRSポートグループと見なされ得る。DMRSポートグループのマッピング規則は次のとおりである。
【０５５９】
DMRSポートグループがマッピングされる時間−周波数リソースは、周波数領域におけるリソースユニットのサブキャリアnを含む。
【０５６０】
nは0以上かつM未満の任意の1つ以上の整数であり得る。
【０５６１】
図34は、16個のDMRSポートのマッピング規則の概略図である。それぞれの影付き小ブロックは、DMRSポートグループがマッピングされるREを指示し、n＝0、1、2、3、4、5、6、7、8、9、10または11である。
【０５６２】
上記は、ネットワーク要素間の相互作用の観点から、本出願の実施形態で提供される解決策を主に説明している。ネットワーク要素は、例えば基地局または端末であり得ることが理解され得る。上述の機能を実施するために、ネットワーク要素は、機能を実行するための対応するハードウェア構造および／またはソフトウェアモジュールを含む。当業者であれば、本明細書で開示された各実施形態において説明した例と組み合わせて、ユニットおよびアルゴリズムステップが、本出願におけるハードウェアまたはハードウェアとコンピュータソフトウェアとの組み合わせによって実施され得ることを容易に承知するはずである。機能がハードウェアで行われるかコンピュータソフトウェアによって駆動されるハードウェアで行われるかは、技術的解決策の具体的な応用形態および設計制約によって決まる。当業者は、それぞれの具体的な応用形態に対して説明された機能を実施するために、異なる方法を使用することができるが、こうした実施が、本出願の範囲を超えるものであると見なされるべきではない。
【０５６３】
本出願の実施形態では、機能モジュールの分割は、上述の方法例に基づいて基地局または端末上で実行され得る。例えば、機能モジュールは、対応する機能に基づいて分割されてもよいし、2つ以上の機能が1つの処理モジュールに統合されてもよい。統合されたモジュールはハードウェアの形態で実施されてもよいし、ソフトウェア機能モジュールの形態で実施されてもよい。本出願の実施形態におけるモジュール分割は一例であり、論理的な機能分割に過ぎないことに留意されたい。実際の実施の際には他の分割方式があってもよい。以下では、機能モジュールが対応する機能に基づいて分割される例を使用することによって説明する。
【０５６４】
図35は、DMRSを送信するための装置350の概略構成図である。装置350は、基地局100または端末200であり得る。装置350は、判定ユニット3501と送信ユニット3502とを備え得る。判定ユニット3501は、図6および／または本明細書で説明される技術をサポートするために使用される他のプロセスを実行するように構成され得る。送信ユニット3502は、図6のS102で送信側によって実行される動作および／または本明細書で説明される技術をサポートするために使用される他のプロセスを実行するように構成され得る。上述の方法の実施形態におけるステップのすべての関連する内容が、対応する機能モジュールの機能を説明するために使用され得、従って、詳細は本明細書で繰り返し説明されない。
【０５６５】
図36は、DMRSを取得するための装置360の概略構成図である。装置360は、判定ユニット3601と、取得ユニット3602と、受信ユニット3603と、を備え得る。装置360は、端末200または基地局100であり得る。判定ユニット3601は、図6のS103および／または本明細書で説明される技術をサポートするために使用される他のプロセスを実行するように構成され得る。取得ユニット3602は、図6のS104および／または本明細書で説明される技術をサポートするために使用される他のプロセスを実行するように構成され得る。受信ユニット3603は、図6のS102において受信側によって実行される動作を実行するように構成される。上述の方法の実施形態におけるステップのすべての関連する内容が、対応する機能モジュールの機能を説明するために使用され得、従って、詳細は本明細書で繰り返し説明されない。例えば、具体的な実施プロセスにおいて、装置360は、例えば限定されるものではないが逆フーリエ変換（inverse fourier transform、IFFT）を通じて、各REで運ばれるシンボルをまず取得（例えば、各サブキャリアおよび各OFDMシンボルで運ばれるシンボルを取得）し、次いで、DMRSが配置されている時間−周波数リソースに基づいて、取得されたシンボルからDMRSを取得することが理解され得る。
【０５６６】
図37は、指示装置の概略構成図である。装置370は基地局100であり得る。装置370は、生成ユニット3701と送信ユニット3702とを備え得る。生成ユニット3701は、図6aのS201および／または本明細書で説明される技術をサポートするために使用される他のプロセスを実行するように構成され得る。送信ユニット3702は、図6aのS202で基地局によって実行される動作および／または本明細書で説明される技術をサポートするために使用される他のプロセスを実行するように構成され得る。上述の方法の実施形態におけるステップのすべての関連する内容が、対応する機能モジュールの機能を説明するために使用され得、従って、詳細は本明細書で繰り返し説明されない。
【０５６７】
図38は、時間−周波数リソースを判定するための装置380の概略構成図である。装置380は、受信ユニット3801と判定ユニット3802とを備え得る。装置380は基地局100であり得る。受信ユニット3801は、図6aのS202で受信側によって実行される動作および／または本明細書で説明される技術をサポートするために使用される他のプロセスを実行するように構成される。判定ユニット3802は、図6aのS203および／または本明細書で説明される技術をサポートするために使用される他のプロセスを実行するように構成され得る。上述の方法の実施形態におけるステップのすべての関連する内容が、対応する機能モジュールの機能を説明するために使用され得、従って、詳細は本明細書で繰り返し説明されない。
【０５６８】
本出願の実施形態において、装置350から装置380は、対応する機能に基づいて機能モジュールを分割する形で提示される、または機能モジュールを統合的に分割する形で提示される。本明細書における「モジュール」は、特定用途向け集積回路（application−specific integrated circuit、ASIC）、1つ以上のソフトウェアもしくはファームウェアプログラムを実行するプロセッサおよびメモリ、集積論理回路、ならびに／または上述の機能を提供し得る別のデバイスとすることができ、プロセッサおよびメモリは一緒に統合されてもよいし、互いに独立していてもよい。
【０５６９】
単純な実施形態では、当業者は、装置350から装置380のうちのいずれか1つが図39に示される構造によって実施されることを理解することができる。
【０５７０】
図39に示されるように、装置390は、メモリ3902と、プロセッサ3901と、通信インターフェース3903と、を備え得る。メモリ3902は、コンピュータ実行可能命令を格納するように構成される。装置390が実行されると、プロセッサ3901は、メモリ3902に格納されたコンピュータ実行可能命令を実行し、その結果、装置390は、本出願の一実施形態で提供される情報送信方法を実行する。具体的な情報送信方法については、上述の関連説明および添付の図面を参照されたい。ここでは細部を繰り返し説明しない。通信インターフェース3903は送受信機であり得る。
【０５７１】
場合により、装置390は、フィールドプログラマブルゲートアレイ（field−programmable gate array、FPGA）、特定用途向け集積チップ（application specific integrated circuit、ASIC）、システムオンチップ（system on chip、SoC）、中央処理装置（central processor unit、CPU）、ネットワークプロセッサ（network processor、NP）、デジタル信号処理回路（digital signal processor、DSP）、またはマイクロコントローラ（micro controller unit、MCU）とすることもできるし、プログラマブルコントローラ（programmable logic device、PLD）もしくは別の集積チップとすることもできる。
【０５７２】
本出願の一実施形態は、記憶媒体をさらに提供する。記憶媒体はメモリ3902を含み得る。
【０５７３】
本出願の一実施形態において提供される情報送信装置は、情報送信方法を実行するように構成され得る。従って、情報送信装置によって達成され得る技術的効果については、上述の方法の実施形態を参照されたい。本出願の本実施形態では、詳細は繰り返し説明されない。
【０５７４】
上記の実施形態のすべてまたは一部は、ソフトウェア、ハードウェア、ファームウェア、またはそれらの任意の組み合わせを使用することによって実施されてもよい。ソフトウェアプログラムが実施形態を実施するために使用される場合、実施形態のすべてまたは一部は、コンピュータプログラム製品の形態で実施されてもよい。コンピュータプログラム製品は、1つ以上のコンピュータ命令を含む。コンピュータプログラム命令がコンピュータにロードされて実行されると、本出願の実施形態に記載された手順または機能のすべてまたは一部が生成される。コンピュータは、汎用コンピュータ、専用コンピュータ、コンピュータネットワーク、または別のプログラマブル装置であり得る。コンピュータ命令は、コンピュータ可読記憶媒体に格納されてもよく、またはコンピュータ可読記憶媒体から別のコンピュータ可読記憶媒体に送信されてもよい。例えば、コンピュータ命令は、ウェブサイト、コンピュータ、サーバ、またはデータセンタから別のウェブサイト、コンピュータ、サーバ、またはデータセンタに、有線（例えば、同軸ケーブル、光ファイバ、またはデジタル加入者線（digital subscriber line、DSL））または無線（例えば、赤外線、電波、またはマイクロ波）方式で送信され得る。コンピュータ可読記憶媒体は、コンピュータによってアクセスされ得る任意の使用可能な媒体であってもよいし、1つ以上の使用可能な媒体を統合するサーバまたはデータセンタなどのデータ記憶デバイスであってもよい。使用可能な媒体は、磁気媒体（例えば、フロッピーディスク、ハードディスクまたは磁気テープ）、光学媒体（例えばDVD）、半導体媒体（例えば、ソリッドステートディスク（solid state disk、SSD））などであってもよい。
【０５７５】
本出願を実施形態に関連して説明したが、保護を請求する本出願を実施する過程において、当業者であれば、添付の図面、開示内容、および添付の特許請求の範囲を検討することにより本開示の実施形態の他の変形を理解し実施することができる。請求項において、「含む」（comprising）は他の構成要素または他のステップを排除せず、「a」または「one」は「複数の」場合を排除しない。単一のプロセッサまたは他のユニットが、特許請求の範囲に列挙されたいくつかの機能を実施することができる。一部の手段が互いに異なる従属請求項に記録されているが、このことは、より良い効果を生み出すためにこれらの手段を組み合わせることができないことを意味しない。
【０５７６】
本出願は、特定の特徴およびその実施形態に関連して説明されているが、当然のことながら、本出願の趣旨および範囲から逸脱することなく、様々な修正および組み合わせを行うことができる。それに対応して、本明細書および添付の図面は、添付の特許請求の範囲によって定義される本出願の例示的な説明に過ぎず、本出願の範囲を包含するいずれかのまたはすべての修正、変形、組み合わせ、または均等物と見なされる。当然のことながら、当業者であれば、本出願の趣旨および範囲から逸脱することなしに、本出願に対して様々な修正および変形をなし得る。このように、本出願は、本出願のこれらの修正および変形が本出願の特許請求の範囲およびその均等技術によって定義される範囲内にある限り、本出願のこれらの修正および変形を包含するように意図されている。
【符号の説明】
【０５７７】
100  基地局
110  無線周波数回路
120  メモリ
130  別の入力デバイス
140  ディスプレイ
141  ディスプレイパネル
142  タッチパネル
150  センサ
160  音声回路
170  I／Oサブシステム
180  プロセッサ
190  電源
200  端末、携帯電話
350  DMRSを送信するための装置
360  DMRSを取得するための装置
370  指示装置
380  時間−周波数リソースを判定するための装置
390  装置
3501  判定ユニット
3502  送信ユニット
3601  判定ユニット
3602  取得ユニット
3603  受信ユニット
3701  生成ユニット
3702  送信ユニット
3801  受信ユニット
3802  判定ユニット
3901  プロセッサ
3902  メモリ
3903  通信インターフェース
【図１】
0006943974.tif 000085
【図２】
0006943974.tif 000086
【図３】
0006943974.tif 000087
【図４】
0006943974.tif 000088
【図５】
0006943974.tif 000089
【図６】
0006943974.tif 000090
【図６ａ】
0006943974.tif 000091
【図７】
0006943974.tif 000092
【図８】
0006943974.tif 000093
【図９】
0006943974.tif 000094
【図１０】
0006943974.tif 000095
【図１１】
0006943974.tif 000096
【図１２】
0006943974.tif 000097
【図１３】
0006943974.tif 000098
【図１４】
0006943974.tif 000099
【図１５】
0006943974.tif 000100
【図１６】
0006943974.tif 000101
【図１７】
0006943974.tif 000102
【図１８】
0006943974.tif 000103
【図１９】
0006943974.tif 000104
【図２０】
0006943974.tif 000105
【図２１】
0006943974.tif 000106
【図２２】
0006943974.tif 000107
【図２３】
0006943974.tif 000108
【図２４】
0006943974.tif 000109
【図２５】
0006943974.tif 000110
【図２６】
0006943974.tif 000111
【図２７】
0006943974.tif 000112
【図２８】
0006943974.tif 000113
【図２９】
0006943974.tif 000114
【図３０】
0006943974.tif 000115
【図３１】
0006943974.tif 000116
【図３２】
0006943974.tif 000117
【図３３】
0006943974.tif 000118
【図３４】
0006943974.tif 000119
【図３５】
0006943974.tif 000120
【図３６】
0006943974.tif 000121
【図３７】
0006943974.tif 000122
【図３８】
0006943974.tif 000123
【図３９】
0006943974.tif 000124